(57)【要約】  制御情報通信方法、基地局およびユーザ機器が提供される。制御情報通信方法は、指示情報をダウンリンク制御情報に追加するステップであって、ここで、指示情報は、マルチキャスト制御チャネルが更新されたかどうか、および/またはマルチキャストトラフィックチャネルが更新されたかどうかを示すために使用される、ステップと、マルチキャストチャネルをスケジュールするために使用されるスケジューリング情報をダウンリンク制御情報に追加するステップであって、ここで、マルチキャストチャネルは、マルチキャスト制御チャネルおよび/またはマルチキャストトラフィックチャネルを含む、ステップと、第1のダウンリンク制御情報フォーマットを使用することによって、ダウンリンク制御情報をユーザ機器に送信するステップとを含む。
2019528003.tif 000002
【特許請求の範囲】
【請求項１】
制御情報通信方法であって、
指示情報をダウンリンク制御情報に追加するステップであって、前記指示情報は、マルチキャスト制御チャネルが更新されたかどうか、および/またはマルチキャストトラフィックチャネルが更新されたかどうかを示すために使用される、ステップと、
マルチキャストチャネルをスケジュールするために使用されるスケジューリング情報を前記ダウンリンク制御情報に追加するステップであって、前記マルチキャストチャネルは、前記マルチキャスト制御チャネルおよび/または前記マルチキャストトラフィックチャネルを含む、ステップと、
第1のダウンリンク制御情報フォーマットを使用することによって、前記ダウンリンク制御情報をユーザ機器に送信するステップとを含む方法。
【請求項２】
前記第1のダウンリンク制御情報フォーマットは、ダウンリンク制御情報フォーマットDCI format 6-2を含み、または、
前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項1に記載の方法。
【請求項３】
前記指示情報は、1ビットを占有する第1の情報を含み、1の状態を有する前記第1の情報は前記マルチキャスト制御チャネルが更新されたことを示し、または、0の状態を有する前記第1の情報は前記マルチキャスト制御チャネルが更新されていないことを示し、または、
前記指示情報は、1ビットを占有する第2の情報を含み、0の状態を有する前記第2の情報は前記マルチキャスト制御チャネルが更新されたことを示し、または、1の状態を有する前記第2の情報は前記マルチキャスト制御チャネルが更新されていないことを示す、請求項1に記載の方法。
【請求項４】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項1乃至3のいずれか1項に記載の方法。
【請求項５】
前記スケジューリング情報は、前記マルチキャスト制御チャネルの前記リソースブロック割当てに関する情報、前記マルチキャスト制御チャネルの前記変調および符号化方式に関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記送信ブロックサイズに関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記変調および符号化方式に関する情報および前記マルチキャスト制御チャネルの前記繰返し数に関する情報を含み、または、
前記スケジューリング情報は、前記マルチキャスト制御チャネルの前記リソースブロック割当てに関する情報、前記マルチキャスト制御チャネルの前記送信ブロックサイズに関する情報および前記マルチキャスト制御チャネルの前記繰返し数に関する情報を含む、請求項1または4に記載の方法。
【請求項６】
前記スケジューリング情報は、前記マルチキャストトラフィックチャネルの前記リソースブロック割当てに関する情報、前記マルチキャストトラフィックチャネルの前記変調および符号化方式に関する情報、前記マルチキャストトラフィックチャネルの前記繰返し数に関する情報および前記ダウンリンク制御情報の前記繰返し数を含み、または、
前記スケジューリング情報は、前記マルチキャストトラフィックチャネルの前記リソースブロック割当てに関する情報、前記マルチキャストトラフィックチャネルの前記送信ブロックサイズに関する情報、前記マルチキャストトラフィックチャネルの前記繰返し数に関する情報および前記ダウンリンク制御情報の前記繰返し数をさらに含み、または、
前記スケジューリング情報は、前記マルチキャストトラフィックチャネルの前記リソースブロック割当てに関する情報、前記マルチキャストトラフィックチャネルの前記変調および符号化方式に関する情報および前記マルチキャストトラフィックチャネルの前記繰返し数に関する情報をさらに含み、または、
前記スケジューリング情報は、前記マルチキャストトラフィックチャネルの前記リソースブロック割当てに関する情報、前記マルチキャストトラフィックチャネルの前記送信ブロックサイズに関する情報および前記マルチキャストトラフィックチャネルの前記繰返し数に関する情報をさらに含む、請求項1または4に記載の方法。
【請求項７】
前記マルチキャスト制御チャネルの前記リソースブロック割当てと前記マルチキャストトラフィックチャネルの前記リソースブロック割当てとの間には第1の関連付け関係があり、かつ／または、
前記マルチキャスト制御チャネルの前記変調および符号化方式と前記マルチキャストトラフィックチャネルの前記変調および符号化方式との間には第2の関連付け関係があり、かつ／または、
前記マルチキャスト制御チャネルの前記送信ブロックサイズと前記マルチキャストトラフィックチャネルの前記送信ブロックサイズとの間には第3の関連付け関係があり、かつ／または、
前記マルチキャスト制御チャネルの前記繰返し数と前記マルチキャストトラフィックチャネルの前記繰返し数との間には第4の関連付け関係がある、請求項4に記載の方法。
【請求項８】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項7に記載の方法。
【請求項９】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項1乃至8のいずれか1項に記載の方法。
【請求項１０】
前記方法は、前記マルチキャストチャネルが前記マルチキャストトラフィックチャネルのみを含む場合、前記ユーザ機器に、前記マルチキャスト制御チャネルをスケジュールするために使用されるシステム情報ブロックを送信し、または、前記ユーザ機器に、前記マルチキャスト制御チャネルが追加されるシステム情報ブロックを送信するステップをさらに含む、請求項1乃至8のいずれか1項に記載の方法。
【請求項１１】
制御情報通信方法であって、
第1のダウンリンク制御情報フォーマットを使用することによって、基地局によって送信されたダウンリンク制御情報を受信するステップと、
指示情報を前記ダウンリンク制御情報から取得するステップであって、前記指示情報は、マルチキャスト制御チャネルが更新されたかどうか、および/またはマルチキャストトラフィックチャネルが更新されたかどうかを示すために使用される、ステップと、
前記ダウンリンク制御情報から、マルチキャストチャネルをスケジュールするために使用されるスケジューリング情報を取得するステップであって、前記マルチキャストチャネルは、前記マルチキャスト制御チャネルおよび/または前記マルチキャストトラフィックチャネルを含む、ステップとを含む方法。
【請求項１２】
前記第1のダウンリンク制御情報フォーマットは、ダウンリンク制御情報フォーマットDCI format 6-2を含み、または、
前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項11に記載の方法。
【請求項１３】
前記指示情報は、1ビットを占有する第1の情報を含み、1の状態を有する前記第1の情報は前記マルチキャスト制御チャネルが更新されたことを示し、または、0の状態を有する前記第1の情報は前記マルチキャスト制御チャネルが更新されていないことを示し、または、
前記指示情報は、1ビットを占有する第2の情報を含み、0の状態を有する前記第2の情報は前記マルチキャスト制御チャネルが更新されたことを示し、または、1の状態を有する前記第2の情報は前記マルチキャスト制御チャネルが更新されていないことを示す、請求項11に記載の方法。
【請求項１４】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項11乃至13のいずれか1項に記載の方法。
【請求項１５】
前記スケジューリング情報は、前記マルチキャスト制御チャネルの前記リソースブロック割当てに関する情報、前記マルチキャスト制御チャネルの前記変調および符号化方式に関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記送信ブロックサイズに関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記変調および符号化方式に関する情報および前記マルチキャスト制御チャネルの前記繰返し数に関する情報を含み、または、
前記スケジューリング情報は、前記マルチキャスト制御チャネルの前記リソースブロック割当てに関する情報、前記マルチキャスト制御チャネルの前記送信ブロックサイズに関する情報および前記マルチキャスト制御チャネルの前記繰返し数に関する情報を含む、請求項11または14に記載の方法。
【請求項１６】
前記スケジューリング情報は、前記マルチキャストトラフィックチャネルの前記リソースブロック割当てに関する情報、前記マルチキャストトラフィックチャネルの前記変調および符号化方式に関する情報、前記マルチキャストトラフィックチャネルの前記繰返し数に関する情報および前記ダウンリンク制御情報の前記繰返し数を含み、または、
前記スケジューリング情報は、前記マルチキャストトラフィックチャネルの前記リソースブロック割当てに関する情報、前記マルチキャストトラフィックチャネルの前記送信ブロックサイズに関する情報、前記マルチキャストトラフィックチャネルの前記繰返し数に関する情報および前記ダウンリンク制御情報の前記繰返し数をさらに含み、または、
前記スケジューリング情報は、前記マルチキャストトラフィックチャネルの前記リソースブロック割当てに関する情報、前記マルチキャストトラフィックチャネルの前記変調および符号化方式に関する情報および前記マルチキャストトラフィックチャネルの前記繰返し数に関する情報をさらに含み、または、
前記スケジューリング情報は、前記マルチキャストトラフィックチャネルの前記リソースブロック割当てに関する情報、前記マルチキャストトラフィックチャネルの前記送信ブロックサイズに関する情報および前記マルチキャストトラフィックチャネルの前記繰返し数に関する情報をさらに含む、請求項11または14に記載の方法。
【請求項１７】
前記ダウンリンク制御情報から、マルチキャストチャネルをスケジュールするために使用されるスケジューリング情報を取得する前記ステップは、
第1の関連付け関係および前記マルチキャスト制御チャネルの前記リソースブロック割当てに基づいて、前記マルチキャストトラフィックチャネルの前記リソースブロック割当てを決定し、または、第1の関連付け関係および前記マルチキャストトラフィックチャネルの前記リソースブロック割当てに基づいて、前記マルチキャスト制御チャネルの前記リソースブロック割当てを決定するステップであって、前記第1の関連付け関係は、前記マルチキャスト制御チャネルの前記リソースブロック割当てと前記マルチキャストトラフィックチャネルの前記リソースブロック割当てとの間の関連付け関係である、ステップ、および/または、
第2の関連付け関係および前記マルチキャスト制御チャネルの前記変調および符号化方式に基づいて、前記マルチキャストトラフィックチャネルの前記変調および符号化方式を決定し、または、第2の関連付け関係および前記マルチキャストトラフィックチャネルの前記変調および符号化方式に基づいて、前記マルチキャスト制御チャネルの前記変調および符号化方式を決定するステップであって、前記第2の関連付け関係は、前記マルチキャスト制御チャネルの前記変調および符号化方式と前記マルチキャストトラフィックチャネルの前記変調および符号化方式との間の関連付け関係である、ステップ、および/または、
第3の関連付け関係および前記マルチキャスト制御チャネルの前記送信ブロックサイズに基づいて、前記マルチキャストトラフィックチャネルの前記送信ブロックサイズを決定し、または、第3の関連付け関係および前記マルチキャストトラフィックチャネルの前記送信ブロックサイズに基づいて、前記マルチキャスト制御チャネルの前記送信ブロックサイズを決定するステップであって、前記第3の関連付け関係は、前記マルチキャスト制御チャネルの前記送信ブロックサイズと前記マルチキャストトラフィックチャネルの前記送信ブロックサイズとの間の関連付け関係である、ステップ、および/または、
第4の関連付け関係および前記マルチキャスト制御チャネルの前記送信ブロックサイズに基づいて、前記マルチキャストトラフィックチャネルの前記送信ブロックサイズを決定し、または、第4の関連付け関係および前記マルチキャストトラフィックチャネルの前記送信ブロックサイズに基づいて、前記マルチキャスト制御チャネルの前記送信ブロックサイズを決定するステップであって、前記第4の関連付け関係は、前記マルチキャスト制御チャネルの前記送信ブロックサイズと前記マルチキャストトラフィックチャネルの前記送信ブロックサイズとの間の関連付け関係である、ステップを含む、請求項14に記載の方法。
【請求項１８】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項17に記載の方法。
【請求項１９】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項11乃至18のいずれか1項に記載の方法。
【請求項２０】
前記方法は、
前記マルチキャストチャネルが前記マルチキャストトラフィックチャネルのみを含む場合、前記マルチキャスト制御チャネルをスケジュールするために使用されるシステム情報ブロックを受信し、前記システム情報ブロックを使用することによって実行される前記スケジューリングに基づいて、前記マルチキャスト制御チャネルを受信するステップ、または、
前記マルチキャスト制御チャネルが追加されるシステム情報ブロックを受信し、前記マルチキャスト制御チャネルを前記システム情報ブロックから取得するステップをさらに含む、請求項11乃至18のいずれか1項に記載の方法。
【請求項２１】
基地局であって、
指示情報をダウンリンク制御情報に追加するように構成される指示情報決定モジュールであって、前記指示情報は、マルチキャスト制御チャネルが更新されたかどうか、および/またはマルチキャストトラフィックチャネルが更新されたかどうかを示すために使用される、指示情報決定モジュールと、
マルチキャストチャネルをスケジュールするために使用されるスケジューリング情報を前記ダウンリンク制御情報に追加するように構成されるスケジューリング情報決定モジュールであって、前記マルチキャストチャネルは、前記マルチキャスト制御チャネルおよび/または前記マルチキャストトラフィックチャネルを含む、スケジューリング情報決定モジュールと、
第1のダウンリンク制御情報フォーマットを使用することによって、前記ダウンリンク制御情報をユーザ機器に送信するように構成される送信モジュールとを含む基地局。
【請求項２２】
前記送信モジュールによって使用される前記第1のダウンリンク制御情報フォーマットは、ダウンリンク制御情報フォーマットDCI format 6-2を含み、または、前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項21に記載の基地局。
【請求項２３】
前記指示情報決定モジュールによって決定される前記指示情報は、1ビットを占有する第1の情報を含み、1の状態を有する前記第1の情報は前記マルチキャスト制御チャネルが更新されたことを示し、または、0の状態を有する前記第1の情報は前記マルチキャスト制御チャネルが更新されていないことを示し、または、前記指示情報は、1ビットを占有する第2の情報を含み、0の状態を有する前記第2の情報は前記マルチキャスト制御チャネルが更新されたことを示し、または、1の状態を有する前記第2の情報は前記マルチキャスト制御チャネルが更新されていないことを示す、請求項21に記載の基地局。
【請求項２４】
前記スケジューリング情報決定モジュールによって決定される前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項21乃至23のいずれか1項に記載の基地局。
【請求項２５】
前記スケジューリング情報は、前記マルチキャスト制御チャネルの前記リソースブロック割当てに関する情報、前記マルチキャスト制御チャネルの前記変調および符号化方式に関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記送信ブロックサイズに関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記変調および符号化方式に関する情報および前記マルチキャスト制御チャネルの前記繰返し数に関する情報を含み、または、
前記スケジューリング情報は、前記マルチキャスト制御チャネルの前記リソースブロック割当てに関する情報、前記マルチキャスト制御チャネルの前記送信ブロックサイズに関する情報および前記マルチキャスト制御チャネルの前記繰返し数に関する情報を含む、請求項21または24に記載の基地局。
【請求項２６】
前記スケジューリング情報は、前記マルチキャストトラフィックチャネルの前記リソースブロック割当てに関する情報、前記マルチキャストトラフィックチャネルの前記変調および符号化方式に関する情報、前記マルチキャストトラフィックチャネルの前記繰返し数に関する情報および前記ダウンリンク制御情報の前記繰返し数を含み、または、
前記スケジューリング情報は、前記マルチキャストトラフィックチャネルの前記リソースブロック割当てに関する情報、前記マルチキャストトラフィックチャネルの前記送信ブロックサイズに関する情報、前記マルチキャストトラフィックチャネルの前記繰返し数に関する情報および前記ダウンリンク制御情報の前記繰返し数をさらに含み、または、
前記スケジューリング情報は、前記マルチキャストトラフィックチャネルの前記リソースブロック割当てに関する情報、前記マルチキャストトラフィックチャネルの前記変調および符号化方式に関する情報および前記マルチキャストトラフィックチャネルの前記繰返し数に関する情報をさらに含み、または、
前記スケジューリング情報は、前記マルチキャストトラフィックチャネルの前記リソースブロック割当てに関する情報、前記マルチキャストトラフィックチャネルの前記送信ブロックサイズに関する情報および前記マルチキャストトラフィックチャネルの前記繰返し数に関する情報をさらに含む、請求項21または24に記載の基地局。
【請求項２７】
前記マルチキャスト制御チャネルの前記リソースブロック割当てと前記マルチキャストトラフィックチャネルの前記リソースブロック割当てとの間には第1の関連付け関係があり、かつ／または、
前記マルチキャスト制御チャネルの前記変調および符号化方式と前記マルチキャストトラフィックチャネルの前記変調および符号化方式との間には第2の関連付け関係があり、かつ／または、
前記マルチキャスト制御チャネルの前記送信ブロックサイズと前記マルチキャストトラフィックチャネルの前記送信ブロックサイズとの間には第3の関連付け関係があり、かつ／または、
前記マルチキャスト制御チャネルの前記繰返し数と前記マルチキャストトラフィックチャネルの前記繰返し数との間には第4の関連付け関係がある、請求項24に記載の基地局。
【請求項２８】
前記スケジューリング情報決定モジュールによって決定される前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項27に記載の基地局。
【請求項２９】
前記スケジューリング情報はNビットを含み、前記Nビットの各々の状態は前記指示情報のビット状態と同じであり、Nは1以上の正の整数であり、または、前記スケジューリング情報はNビットを含み、前記Nビットの各々の状態は固定値を有するビット状態であり、Nは1以上の正の整数である、請求項21乃至28のいずれか1項に記載の基地局。
【請求項３０】
前記送信モジュールは、前記マルチキャストチャネルが前記マルチキャストトラフィックチャネルのみを含む場合、前記ユーザ機器に、前記マルチキャスト制御チャネルをスケジュールするために使用されるシステム情報ブロックを送信し、または、前記ユーザ機器に、前記マルチキャスト制御チャネルが追加されるシステム情報ブロックを送信するようにさらに構成される、請求項21乃至28のいずれか1項に記載の基地局。
【請求項３１】
ユーザ機器であって、
第1のダウンリンク制御情報フォーマットを使用することによって、基地局によって送信されたダウンリンク制御情報を受信するように構成される受信モジュールと、
指示情報を前記ダウンリンク制御情報から取得するように構成される指示情報取得モジュールであって、前記指示情報は、マルチキャスト制御チャネルが更新されたかどうか、および/またはマルチキャストトラフィックチャネルが更新されたかどうかを示すために使用される、指示情報取得モジュールと、
前記ダウンリンク制御情報から、マルチキャストチャネルをスケジュールするために使用されるスケジューリング情報を取得するように構成されるスケジューリング情報取得モジュールであって、前記マルチキャストチャネルは、前記マルチキャスト制御チャネルおよび/または前記マルチキャストトラフィックチャネルを含む、スケジューリング情報取得モジュールとを含むユーザ機器。
【請求項３２】
前記受信モジュールによって使用される前記第1のダウンリンク制御情報フォーマットは、ダウンリンク制御情報フォーマットDCI format 6-2を含み、または、前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項31に記載のユーザ機器。
【請求項３３】
前記指示情報取得モジュールによって取得される前記指示情報は、1ビットを占有する第1の情報を含み、1の状態を有する前記第1の情報は前記マルチキャスト制御チャネルが更新されたことを示し、または、0の状態を有する前記第1の情報は前記マルチキャスト制御チャネルが更新されていないことを示し、または、前記指示情報は、1ビットを占有する第2の情報を含み、0の状態を有する前記第2の情報は前記マルチキャスト制御チャネルが更新されたことを示し、または、1の状態を有する前記第2の情報は前記マルチキャスト制御チャネルが更新されていないことを示す、請求項31に記載のユーザ機器。
【請求項３４】
前記スケジューリング情報取得モジュールによって取得される前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項31乃至33のいずれか1項に記載のユーザ機器。
【請求項３５】
前記スケジューリング情報は、前記マルチキャスト制御チャネルの前記リソースブロック割当てに関する情報、前記マルチキャスト制御チャネルの前記変調および符号化方式に関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記送信ブロックサイズに関する情報、前記マルチキャスト制御チャネルの前記繰返し数に関する情報および前記ダウンリンク制御情報の前記繰返し数を含み、または、
前記スケジューリング情報は、前記マルチキャスト制御チャネルの前記リソースブロック割当てに関する情報、前記マルチキャスト制御チャネルの前記変調および符号化方式に関する情報および前記マルチキャスト制御チャネルの前記繰返し数に関する情報を含み、または、
前記スケジューリング情報は、前記マルチキャスト制御チャネルの前記リソースブロック割当てに関する情報、前記マルチキャスト制御チャネルの前記送信ブロックサイズに関する情報および前記マルチキャスト制御チャネルの前記繰返し数に関する情報を含む、請求項31または34に記載のユーザ機器。
【請求項３６】
前記スケジューリング情報は、前記マルチキャストトラフィックチャネルの前記リソースブロック割当てに関する情報、前記マルチキャストトラフィックチャネルの前記変調および符号化方式に関する情報、前記マルチキャストトラフィックチャネルの前記繰返し数に関する情報および前記ダウンリンク制御情報の前記繰返し数を含み、または、
前記スケジューリング情報は、前記マルチキャストトラフィックチャネルの前記リソースブロック割当てに関する情報、前記マルチキャストトラフィックチャネルの前記送信ブロックサイズに関する情報、前記マルチキャストトラフィックチャネルの前記繰返し数に関する情報および前記ダウンリンク制御情報の前記繰返し数をさらに含み、または、
前記スケジューリング情報は、前記マルチキャストトラフィックチャネルの前記リソースブロック割当てに関する情報、前記マルチキャストトラフィックチャネルの前記変調および符号化方式に関する情報および前記マルチキャストトラフィックチャネルの前記繰返し数に関する情報をさらに含み、または、
前記スケジューリング情報は、前記マルチキャストトラフィックチャネルの前記リソースブロック割当てに関する情報、前記マルチキャストトラフィックチャネルの前記送信ブロックサイズに関する情報および前記マルチキャストトラフィックチャネルの前記繰返し数に関する情報をさらに含む、請求項31または34に記載のユーザ機器。
【請求項３７】
前記スケジューリング情報取得モジュールは、具体的には、
第1の関連付け関係および前記マルチキャスト制御チャネルの前記リソースブロック割当てに基づいて、前記マルチキャストトラフィックチャネルの前記リソースブロック割当てを決定し、または、第1の関連付け関係および前記マルチキャストトラフィックチャネルの前記リソースブロック割当てに基づいて、前記マルチキャスト制御チャネルの前記リソースブロック割当てを決定するように構成され、前記第1の関連付け関係は、前記マルチキャスト制御チャネルの前記リソースブロック割当てと前記マルチキャストトラフィックチャネルの前記リソースブロック割当てとの間の関連付け関係であり、および/または、
第2の関連付け関係および前記マルチキャスト制御チャネルの前記変調および符号化方式に基づいて、前記マルチキャストトラフィックチャネルの前記変調および符号化方式を決定し、または、第2の関連付け関係および前記マルチキャストトラフィックチャネルの前記変調および符号化方式に基づいて、前記マルチキャスト制御チャネルの前記変調および符号化方式を決定するように構成され、前記第2の関連付け関係は、前記マルチキャスト制御チャネルの前記変調および符号化方式と前記マルチキャストトラフィックチャネルの前記変調および符号化方式との間の関連付け関係であり、および/または、
第3の関連付け関係および前記マルチキャスト制御チャネルの前記送信ブロックサイズに基づいて、前記マルチキャストトラフィックチャネルの前記送信ブロックサイズを決定し、または、第3の関連付け関係および前記マルチキャストトラフィックチャネルの前記送信ブロックサイズに基づいて、前記マルチキャスト制御チャネルの前記送信ブロックサイズを決定するように構成され、前記第3の関連付け関係は、前記マルチキャスト制御チャネルの前記送信ブロックサイズと前記マルチキャストトラフィックチャネルの前記送信ブロックサイズとの間の関連付け関係であり、および/または、
第4の関連付け関係および前記マルチキャスト制御チャネルの前記送信ブロックサイズに基づいて、前記マルチキャストトラフィックチャネルの前記送信ブロックサイズを決定し、または、第4の関連付け関係および前記マルチキャストトラフィックチャネルの前記送信ブロックサイズに基づいて、前記マルチキャスト制御チャネルの前記送信ブロックサイズを決定するように構成され、前記第4の関連付け関係は、前記マルチキャスト制御チャネルの前記送信ブロックサイズと前記マルチキャストトラフィックチャネルの前記送信ブロックサイズとの間の関連付け関係である、請求項34に記載のユーザ機器。
【請求項３８】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項37に記載のユーザ機器。
【請求項３９】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項31乃至38のいずれか1項に記載のユーザ機器。
【請求項４０】
前記受信モジュールは、前記マルチキャストチャネルが前記マルチキャストトラフィックチャネルのみを含む場合、前記マルチキャスト制御チャネルをスケジュールするために使用されるシステム情報ブロックを受信し、前記システム情報ブロックを使用することによって実行される前記スケジューリングに基づいて、前記マルチキャスト制御チャネルを受信するようにさらに構成され、または、前記マルチキャスト制御チャネルが追加されるシステム情報ブロックを受信し、前記マルチキャスト制御チャネルを前記システム情報ブロックから取得するようにさらに構成される、請求項31乃至38のいずれか1項に記載のユーザ機器。
【発明の詳細な説明】
【技術分野】
【０００１】
本発明の実施形態は通信の分野に関し、詳細には、制御情報送信方法、基地局およびユーザ機器に関する。
【背景技術】
【０００２】
従来技術では、マルチキャスト通信では、シングルセルポイントツーマルチポイント（英語のフルネーム：Single-Cell Point-To-Multi, 略してSC-PTM）メカニズムが使用される。現在のSC-PTMメカニズムでは、システム情報ブロック（英語のフルネーム：System Information Block, 略してSIB）20は、シングルセルマルチキャスト制御チャネル（英語のフルネーム：Single Cell Multicast Control channel, 略称：SC-MCCH）のいくつかの設定情報を含み、ユーザ機器（英語のフルネーム：User Equipment, 略してUE）は、SIB20に含まれる設定に基づいてSC-MCCHを受信する。
【０００３】
従来技術では、UEは、物理ダウンリンク共有データチャネル（英語のフルネーム：Physical downlink shared data channel, 略してPDSCH）をスケジュールするために使用される制御チャネルを最初に受信する必要がある。PDSCHはSC-MCCHを搬送する。制御チャネルの検出に成功した後、UEは、SC-MCCHを搬送するデータチャネルをさらに検出する。UEがデータチャネルの検出に成功した場合、UEは、SC-MCCHに含まれるシングルセルマルチキャストトラフィックチャネル（英語のフルネーム：Single-Cell Multicast Traffic Channel, 略称：SC-MTCH）の設定情報を学習する。その後、UEはPDSCHをスケジュールする制御チャネルを検出する必要がある。PDSCHはSC-MTCHを搬送する。制御チャネルの検出に成功した後、UEは、SC-MTCHを搬送するデータチャネルをさらに検出する。SC-MTCHは、基地局とUEとの間の通信のために使用されるマルチキャスト情報を含む。
【０００４】
SC-PTMマルチキャスト通信の実際のプロセスでは、SC-MCCHは更新されることがある。従来技術では、SC-MCCHの制御チャネルがスケジュールされる前に、通常は単一の制御チャネルが送信される必要がある。単一の制御チャネルは、SC-MCCHが更新されたかどうかを示すために使用される。制御チャネルが、SC-MCCHが更新されたと示す場合、UEは、前述の方法を使用することによって、SC-MCCHおよびSC-MTCHを受信する。
【０００５】
例えば、従来技術において、SC-MCCHの更新を示す方法では、SC-MCCHに関連する情報が変化した場合、単一のPDCCHが送信される必要がある。PDCCHは、format 1Cを使用することによって、SC-MCCHの更新を通知する。
【０００６】
従って、SC-MCCHが更新されたかどうかを示す更新指示は、単一の制御チャネルを使用することによって送信される必要がある。このように、UEがSC-MTCHを含むPDSCHを受信する必要がある場合、UEは、複数の制御チャネルおよび複数のデータチャネルを受信する必要があり得る。特に、拡張されたカバレッジを有するUEについては、各制御チャネルまたは各データチャネルまたはその両方が、信頼性のある通信を保証するために複数回繰り返し送信される必要がある。このように、システムの通信リソースは、複数の制御チャネルのカバレッジ強化伝送および複数のデータチャネルのカバレッジ強化伝送によって大きく占有され、UEによる検出を実行する複雑さは高くなり、UEの電力消費オーバヘッドは実質的に増加する。
【発明の概要】
【課題を解決するための手段】
【０００７】
本発明の実施形態は、制御情報通信方法、基地局およびユーザ機器を提供し、その結果、マルチキャスト情報通信は単純化されることができ、ユーザ機器による検出を実行する複雑さは低減されることができ、ユーザ機器の電力消費オーバヘッドは低減されることができ、リソース利用は最適化されることができる。
【０００８】
第1の態様によると、本発明の実施形態は制御情報通信方法を提供する。制御情報通信方法は、
指示情報をダウンリンク制御情報に追加するステップであって、ここで、指示情報は、マルチキャスト制御チャネルが更新されたかどうか、および/またはマルチキャストトラフィックチャネルが更新されたかどうかを示すために使用される、ステップと、
マルチキャストチャネルをスケジュールするために使用されるスケジューリング情報をダウンリンク制御情報に追加するステップであって、ここで、マルチキャストチャネルは、マルチキャスト制御チャネルおよび/またはマルチキャストトラフィックチャネルを含む、ステップと、
第1のダウンリンク制御情報フォーマットを使用することによって、ダウンリンク制御情報をユーザ機器に送信するステップとを含む。
【０００９】
本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００１０】
第1の態様を参照すると、第1の態様の第1の可能な実施では、第1のダウンリンク制御情報フォーマットは、ダウンリンク制御情報フォーマットDCI format 6-2を含み、または、
第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００１１】
第1の態様を参照すると、第1の態様の第2の可能な実施では、指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、
指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００１２】
第1の態様または第1の態様の第1の可能なまたは第2の可能な実施を参照すると、第1の態様の第3の可能な実施では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００１３】
第1の態様または第1の態様の第3の可能な実施を参照すると、第1の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００１４】
第1の態様または第1の態様の第3の可能な実施を参照すると、第1の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００１５】
第1の態様の第3の可能な実施を参照すると、第1の態様の第6の可能な実施では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【００１６】
第1の態様の第6の可能な実施を参照すると、第1の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００１７】
第1の態様または第1の態様の第1の可能なまたは第2の可能なまたは第3の可能なまたは第4の可能なまたは第5の可能なまたは第6の可能なまたは第7の可能な実施を参照すると、第1の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００１８】
第1の態様または第1の態様の第1の可能なまたは第2の可能なまたは第3の可能なまたは第4の可能なまたは第5の可能なまたは第6の可能なまたは第7の可能な実施を参照すると、第1の態様の第9の可能な実施では、方法は、
マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するステップをさらに含む。
【００１９】
第2の態様によると、本発明の実施形態は制御情報通信方法を提供する。制御情報通信方法は、
第1のダウンリンク制御情報フォーマットを使用することによって、基地局によって送信されたダウンリンク制御情報を受信するステップと、
指示情報をダウンリンク制御情報から取得するステップであって、ここで、指示情報は、マルチキャスト制御チャネルが更新されたかどうか、および/またはマルチキャストトラフィックチャネルが更新されたかどうかを示すために使用される、ステップと、
ダウンリンク制御情報から、マルチキャストチャネルをスケジュールするために使用されるスケジューリング情報を取得するステップであって、ここで、マルチキャストチャネルは、マルチキャスト制御チャネルおよび/またはマルチキャストトラフィックチャネルを含む、ステップとを含む。
【００２０】
本発明の本実施形態では、ユーザ機器は、スケジューリング情報と指示情報の両方をダウンリンク制御情報において検出してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００２１】
第2の態様を参照すると、第2の態様の第1の可能な実施では、第1のダウンリンク制御情報フォーマットは、ダウンリンク制御情報フォーマットDCI format 6-2を含み、または、
第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００２２】
マルチキャスト情報通信の制御チャネルはDCI format 6-2に基づいて実施され得るため、ダウンリンク制御情報通信は、既存のDCIフォーマットを使用することによって実施され得る。
【００２３】
第2の態様を参照すると、第2の態様の第2の可能な実施では、指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、
指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００２４】
第2の態様または第2の態様の第1の可能なまたは第2の可能な実施を参照すると、第2の態様の第3の可能な実施では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００２５】
第2の態様または第2の態様の第3の可能な実施を参照すると、第2の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００２６】
第2の態様または第2の態様の第3の可能な実施を参照すると、第2の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００２７】
第2の態様の第3の可能な実施を参照すると、第2の態様の第6の可能な実施では、ダウンリンク制御情報から、マルチキャストチャネルをスケジュールするために使用されるスケジューリング情報を取得するステップは、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するステップであって、ここで、第1の関連付け関係は、マルチキャスト制御チャネルのリソースブロック割当てとマルチキャストトラフィックチャネルのリソースブロック割当てとの間の関連付け関係である、ステップ、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するステップであって、ここで、第2の関連付け関係は、マルチキャスト制御チャネルの変調および符号化方式とマルチキャストトラフィックチャネルの変調および符号化方式との間の関連付け関係である、ステップ、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するステップであって、ここで、第3の関連付け関係は、マルチキャスト制御チャネルの送信ブロックサイズとマルチキャストトラフィックチャネルの送信ブロックサイズとの間の関連付け関係である、ステップ、および/または、
第4の関連付け関係およびマルチキャスト制御チャネルの送信ブロックサイズに基づいて、マルチキャストトラフィックチャネルの送信ブロックサイズを決定し、または、第4の関連付け関係およびマルチキャストトラフィックチャネルの送信ブロックサイズに基づいて、マルチキャスト制御チャネルの送信ブロックサイズを決定するステップであって、ここで、第4の関連付け関係は、マルチキャスト制御チャネルの送信ブロックサイズとマルチキャストトラフィックチャネルの送信ブロックサイズとの間の関連付け関係である、ステップを含む。
【００２８】
第2の態様の第6の可能な実施を参照すると、第2の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００２９】
第2の態様または第2の態様の第1の可能なまたは第2の可能なまたは第3の可能なまたは第4の可能なまたは第5の可能なまたは第6の可能なまたは第7の可能な実施を参照すると、第2の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００３０】
第2の態様または第2の態様の第1の可能なまたは第2の可能なまたは第3の可能なまたは第4の可能なまたは第5の可能なまたは第6の可能なまたは第7の可能な実施を参照すると、第2の態様の第9の可能な実施では、方法は、
マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するステップ、または、
マルチキャスト制御チャネルが追加されるシステム情報ブロックを受信し、マルチキャスト制御チャネルをシステム情報ブロックから取得するステップをさらに含む。
【００３１】
第3の態様によると、本発明の実施形態は基地局を提供する。基地局は、
指示情報をダウンリンク制御情報に追加するように構成される指示情報決定モジュールであって、ここで、指示情報は、マルチキャスト制御チャネルが更新されたかどうか、および/またはマルチキャストトラフィックチャネルが更新されたかどうかを示すために使用される、指示情報決定モジュールと、
マルチキャストチャネルをスケジュールするために使用されるスケジューリング情報をダウンリンク制御情報に追加するように構成されるスケジューリング情報決定モジュールであって、ここで、マルチキャストチャネルは、マルチキャスト制御チャネルおよび/またはマルチキャストトラフィックチャネルを含む、スケジューリング情報決定モジュールと、
第1のダウンリンク制御情報フォーマットを使用することによって、ダウンリンク制御情報をユーザ機器に送信するように構成される送信モジュールとを含む。
【００３２】
本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００３３】
第3の態様を参照すると、第3の態様の第1の可能な実施では、送信モジュールによって使用される第1のダウンリンク制御情報フォーマットは、ダウンリンク制御情報フォーマットDCI format 6-2を含み、または、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００３４】
第3の態様を参照すると、第3の態様の第2の可能な実施では、指示情報決定モジュールによって決定される指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００３５】
第3の態様または第3の態様の第1の可能なまたは第2の可能な実施を参照すると、第3の態様の第3の可能な実施では、スケジューリング情報決定モジュールによって決定されるスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００３６】
第3の態様または第3の態様の第3の可能な実施を参照すると、第3の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００３７】
第3の態様または第3の態様の第3の可能な実施を参照すると、第3の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００３８】
第3の態様の第3の可能な実施を参照すると、第3の態様の第6の可能な実施では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【００３９】
第3の態様の第6の可能な実施を参照すると、第3の態様の第7の可能な実施では、スケジューリング情報決定モジュールによって決定されるスケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００４０】
第3の態様または第3の態様の第1の可能なまたは第2の可能なまたは第3の可能なまたは第4の可能なまたは第5の可能なまたは第6の可能なまたは第7の可能な実施を参照すると、第3の態様の第8の可能な実施では、スケジューリング情報はNビットを含み、Nビットの各々の状態は指示情報のビット状態と同じであり、Nは1以上の正の整数であり、または、スケジューリング情報はNビットを含み、Nビットの各々の状態は固定値を有するビット状態であり、Nは1以上の正の整数である。
【００４１】
第3の態様または第3の態様の第1の可能なまたは第2の可能なまたは第3の可能なまたは第4の可能なまたは第5の可能なまたは第6の可能なまたは第7の可能な実施を参照すると、第3の態様の第9の可能な実施では、送信モジュールは、マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するようにさらに構成される。
【００４２】
第4の態様によると、本発明の実施形態はユーザ機器を提供する。ユーザ機器は、
第1のダウンリンク制御情報フォーマットを使用することによって、基地局によって送信されたダウンリンク制御情報を受信するように構成される受信モジュールと、
指示情報をダウンリンク制御情報から取得するように構成される指示情報取得モジュールであって、ここで、指示情報は、マルチキャスト制御チャネルが更新されたかどうか、および/またはマルチキャストトラフィックチャネルが更新されたかどうかを示すために使用される、指示情報取得モジュールと、
ダウンリンク制御情報から、マルチキャストチャネルをスケジュールするために使用されるスケジューリング情報を取得するように構成されるスケジューリング情報取得モジュールであって、ここで、マルチキャストチャネルは、マルチキャスト制御チャネルおよび/またはマルチキャストトラフィックチャネルを含む、スケジューリング情報取得モジュールとを含む。
【００４３】
本発明の本実施形態では、ユーザ機器は、スケジューリング情報と指示情報の両方をダウンリンク制御情報において検出してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００４４】
第4の態様を参照すると、第4の態様の第1の可能な実施では、受信モジュールによって使用される第1のダウンリンク制御情報フォーマットは、ダウンリンク制御情報フォーマットDCI format 6-2を含み、または、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００４５】
第4の態様を参照すると、第4の態様の第2の可能な実施では、指示情報取得モジュールによって取得される指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００４６】
第4の態様または第4の態様の第1の可能なまたは第2の可能な実施を参照すると、第4の態様の第3の可能な実施では、スケジューリング情報取得モジュールによって取得されるスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００４７】
第4の態様または第4の態様の第3の可能な実施を参照すると、第4の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００４８】
第4の態様または第4の態様の第3の可能な実施を参照すると、第4の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００４９】
第4の態様の第3の可能な実施を参照すると、第4の態様の第6の可能な実施では、スケジューリング情報取得モジュールは、具体的には、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するように構成され、ここで、第1の関連付け関係は、マルチキャスト制御チャネルのリソースブロック割当てとマルチキャストトラフィックチャネルのリソースブロック割当てとの間の関連付け関係であり、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するように構成され、ここで、第2の関連付け関係は、マルチキャスト制御チャネルの変調および符号化方式とマルチキャストトラフィックチャネルの変調および符号化方式との間の関連付け関係であり、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するように構成され、ここで、第3の関連付け関係は、マルチキャスト制御チャネルの送信ブロックサイズとマルチキャストトラフィックチャネルの送信ブロックサイズとの間の関連付け関係であり、および/または、
第4の関連付け関係およびマルチキャスト制御チャネルの送信ブロックサイズに基づいて、マルチキャストトラフィックチャネルの送信ブロックサイズを決定し、または、第4の関連付け関係およびマルチキャストトラフィックチャネルの送信ブロックサイズに基づいて、マルチキャスト制御チャネルの送信ブロックサイズを決定するように構成され、ここで、第4の関連付け関係は、マルチキャスト制御チャネルの送信ブロックサイズとマルチキャストトラフィックチャネルの送信ブロックサイズとの間の関連付け関係である。
【００５０】
第4の態様の第6の可能な実施を参照すると、第4の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００５１】
第4の態様または第4の態様の第1の可能なまたは第2の可能なまたは第3の可能なまたは第4の可能なまたは第5の可能なまたは第6の可能なまたは第7の可能な実施を参照すると、第4の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００５２】
第4の態様または第4の態様の第1の可能なまたは第2の可能なまたは第3の可能なまたは第4の可能なまたは第5の可能なまたは第6の可能なまたは第7の可能な実施を参照すると、第4の態様の第9の可能な実施では、受信モジュールは、マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するようにさらに構成され、または、マルチキャスト制御チャネルが追加されるシステム情報ブロックを受信し、マルチキャスト制御チャネルをシステム情報ブロックから取得するようにさらに構成される。
【図面の簡単な説明】
【００５３】
【図１】図1は、本発明に係る制御情報通信方法が適用される通信システムのシステム構成図である。
【図２】図2は、本発明の実施形態に係る制御情報通信方法の概略ブロックフロー図である。
【図３】図3は、本発明の実施形態に係る別の制御情報通信方法の概略ブロックフロー図である。
【図４】図4は、本発明の実施形態に係る、MPDCCHがSC-MCCHもまたスケジュールする適用シナリオの概略図である。
【図５】図5は、本発明の実施形態に係る、SIB20メッセージを使用することによってSC-MCCHがスケジュールされる適用シナリオの概略図である。
【図６】図6は、本発明の実施形態に係る、SIB20メッセージがSC-MCCHを含む適用シナリオの概略図である。
【図７】図7は、本発明の実施形態に係る、基地局の概略構造構成図である。
【図８】図8は、本発明の実施形態に係る、ユーザ機器の概略構成構造図である。
【図９】図9は、本発明の実施形態に係る、別の基地局の概略構成構造図である。
【図１０】図10は、本発明の実施形態に係る、別のユーザ機器の概略構成構造図である。
【発明を実施するための形態】
【００５４】
本発明の実施形態は、制御情報通信方法、基地局およびユーザ機器を提供し、その結果、マルチキャストチャネル通信は単純化されることができ、ユーザ機器による検出を実行する複雑さは低減されることができ、ユーザ機器の電力消費オーバヘッドは低減されることができ、リソース利用は最適化されることができる。
【００５５】
本発明の発明の目的、特徴および利点をより明確かつより理解し易くするために、以下では、本発明の実施形態における添付図面を参照して、本発明の実施形態における技術的解決手段を明確かつ完全に説明する。明らかに、以下で説明される実施形態は単に本発明の実施形態の全てではなく一部である。本発明の実施形態に基づいて当業者によって得られる全ての他の実施形態は、本発明の保護範囲に包含されるべきである。
【００５６】
本発明の明細書、特許請求の範囲および添付図面において、「第1」、「第2」等の用語は、類似の対象の間で区別するように意図されているが、必ずしも特定の順序またはシーケンスを示さない。このような方法で使用される用語は、適切な状況において交換可能であり、これは単に、同じ属性を有する対象が本発明の実施形態において説明されるときに使用される区別の方式であることは理解されるべきである。加えて、「含む（include）」、「含む（contain）」および任意の他の変形の用語は、非排他的な包含をカバーすることを意味しており、その結果、一連のユニットを含むプロセス、方法、システム、製品またはデバイスは、必ずしもこれらのユニットに限定されないが、明示的に列挙されていない、またはこのようなプロセス、方法、システム、製品またはデバイスに固有の他のユニットを含み得る。
【００５７】
本発明の制御情報通信方法が適用されるシステム構成が最初に簡潔に説明される。本発明は主に、LTEシステムまたはロングタームエボリューションアドバンスト（LTE-A, LTE Advanced）システムに適用される。本発明はまた、通信システムが情報を送信することができるエンティティおよび情報を受信することができる別のエンティティを含む限り、広帯域符号分割多元接続（Wideband Code Division Multiple Access, WCDMA（登録商標））システムまたは時分割同期符号分割多元接続（Time Division-Synchronous Code Division Multiple Access, TD-SCDMA）システム等の別の通信システムに適用されてよい。
【００５８】
本発明の実施形態における通信は、送信であっても受信であってもよい。通信中、一方のデバイスの処理が送信である場合、その一方のデバイスに対応する他方の通信デバイスの処理は受信であり、または、一方のデバイスの処理が受信である場合、その一方のデバイスに対応する他方の通信デバイスの処理は送信であり、逆も同様である。本発明の実施形態におけるカバレッジ強化は、繰返し送信、スペクトル拡散送信、再送信、時間間隔バンドリング送信、狭帯域（例えば、サブキャリアスケジューリング）送信、超狭帯域（例えば、数十ヘルツから数十キロヘルツの帯域幅範囲）送信、パワースペクトル密度向上送信、要求低減送信および連続的に試行される送信のうちの1つまたは複数であってよい。低コスト端末または低複雑度端末は、非低コスト端末または非低複雑度端末の動作帯域幅未満の動作帯域幅を有する端末デバイスを指す。動作帯域幅は、処理帯域幅、無線周波数処理帯域幅およびベースバンド処理帯域幅のうちの1つまたは複数であってよい。例えば、動作帯域幅は1.4 MHz（または200 KHzまたは180 KHz）である。動作帯域幅は、特定の周波数帯域幅を有する周波数リソースである。動作帯域幅は、1つまたは複数のサブキャリア（例えば、サブキャリアのサイズは15 KHz、または2.5 KHz、または3.75 KHzである）を含んでよく、または、1つまたは複数のリソースブロックを含んでよい。
【００５９】
図1を参照すると、図1は本発明における制御情報通信方法が適用される通信システムのシステム構成図である。図1に示されるように、基地局（英語の名前：Base station）およびユーザ機器（User Equipment, UE）1からUE 6が通信システムを構成する。通信システムでは、基地局は、システム情報、RARメッセージおよびページングメッセージのうちの1つまたは複数をUE 1からUE 6のうちの1つまたは複数に送信する。基地局は本発明の制御情報通信方法における送信側デバイスであり、UE 1からUE 6は本発明の制御情報通信方法における受信側デバイスである。加えて、UE 4からUE 6はまた、通信システムを構成する。通信システムでは、UE 5は基地局の機能を適用してよく、UE 5は、システム情報、RARメッセージおよびページングメッセージのうちの1つまたは複数をUE 4およびUE 6のうちの1つまたは複数に送信してよい。
【００６０】
詳細な説明が以下で別々に提供される。
【００６１】
本発明の制御情報通信方法の実施形態は、基地局がUEに制御情報を送信するシナリオに適用されてよく、その結果、マルチキャスト情報通信手順は最適化され、制御情報通信および/またはデータチャネル通信のステップが低減され、リソース利用が最適化される。図2を参照すると、制御情報通信方法は以下のステップを含んでよい。
【００６２】
201. 指示情報をダウンリンク制御情報に追加し、ここで、指示情報は、マルチキャスト制御チャネルが更新されたかどうか、および/またはマルチキャストトラフィックチャネルが更新されたかどうかを示すために使用される。
【００６３】
本発明の本実施形態では、基地局はUEにサービスを提供する。UEは具体的には、マシン型通信（Machine Type Communication, MTC）ユーザ機器、すなわち、低複雑度ユーザ機器または低電力消費ユーザ機器またはカバレッジが強化されたユーザ機器等を含んでよい。通常、低複雑度ユーザ機器または低電力消費MTCユーザ機器によってサポートされる動作帯域幅は、通常のユーザ機器の動作帯域幅未満である。
【００６４】
本発明の本実施形態では、マルチキャスト制御チャネルはSC-MCCHまたはMCCHであってよく、マルチキャストトラフィックチャネルはSC-MTCHまたはMTCHであってよい。
【００６５】
現在の適用シナリオでは、マルチキャスト制御チャネルが更新されることがあり、またはマルチキャストトラフィックチャネルが更新されることがある。チャネルの更新は通常、単一チャネルを使用することによって示される必要がある。本発明の本実施形態では、もはや、チャネルの更新は単一のチャネルを使用することによって示されるのではなく、ダウンリンク制御情報を使用することによって示される。例えば、SC-MCCHが更新される場合、または、割り当てられたMBMSセッションが変化した場合、または割り当てられた無線リソースが変化した場合、基地局は指示情報を生成してよく、指示情報はSC-MCCHが更新されたことを示し、基地局は指示情報をダウンリンク制御情報に追加する。加えて、指示情報はまた、マルチキャストトラフィックチャネルの更新を示してもよい。以下に示されるように、マルチキャスト情報通信のために使用される制御チャネルは、SC-MCCH（および/またはSC-MTCH）の更新指示を含む。例えば、マルチキャスト情報通信のために使用される制御チャネル内の1ビットは指示情報として使用され、指示情報は、SC-MCCH（および/またはSC-MTCH）が更新されたかどうかを示すために使用される。
【００６６】
本発明のいくつかの実施形態では、指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、
指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【００６７】
202. マルチキャストチャネルをスケジュールするために使用されるスケジューリング情報をダウンリンク制御情報に追加し、ここで、マルチキャストチャネルは、マルチキャスト制御チャネルおよび/またはマルチキャストトラフィックチャネルを含む。
【００６８】
本発明の本実施形態では、前述の指示情報に加えて、スケジューリング情報はまた、ダウンリンク制御情報に追加されてよく、スケジューリング情報がマルチキャストチャネルをスケジュールするために使用される。具体的には、マルチキャストチャネルは、マルチキャスト制御チャネルおよび/またはマルチキャストトラフィックチャネルである。スケジューリング情報は、マルチキャスト制御チャネルをスケジュールするために使用されてよく、または、マルチキャストトラフィックチャネルをスケジュールするために使用されてよい。前述のステップにおける説明から、本発明の本実施形態では、基地局は、スケジューリング情報と指示情報の両方をダウンリンク制御情報に追加してよく、従って、マルチキャスト制御チャネルが更新されたかどうか、および/またはマルチキャストトラフィックチャネルが更新されたかどうかは、単一のチャネルを使用することによって示される必要はなく、その結果、リソース利用は最適化されることができることがわかる。
【００６９】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００７０】
例えば、マルチキャスト情報通信のために使用される制御チャネルは、マルチキャスト制御チャネルをスケジュールするために使用されるスケジューリング情報をさらに含んでよく、マルチキャスト制御チャネルをスケジュールするために使用されるスケジューリング情報は、マルチキャスト制御チャネルのリソースブロック割当て、マルチキャスト制御チャネルの変調および符号化方式（または送信ブロックサイズ）、マルチキャスト制御チャネルの繰返し数およびDCIサブフレームの繰返し数のうちの1つまたは複数を含んでよい。
【００７１】
さらに、本発明のいくつかの実施形態では、スケジューリング情報がマルチキャスト制御チャネルをスケジュールするために使用される場合、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００７２】
以上では、例を使用することによってスケジューリング情報の可能な実施のみを適宜説明したが、本発明はこれらに限定されない。
【００７３】
さらに、本発明のいくつかの実施形態では、スケジューリング情報がマルチキャストトラフィックチャネルをスケジュールするために使用される場合、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００７４】
以上では、例を使用することによってスケジューリング情報の可能な実施のみを適宜説明したが、本発明はこれらに限定されない。
【００７５】
本発明のいくつかの実施形態では、マルチキャスト制御チャネルのスケジューリングとマルチキャストトラフィックチャネルのスケジューリングとの間に関連付け関係がある。例えば、マルチキャスト制御チャネルのリソースブロック割当てとマルチキャストトラフィックチャネルのリソースブロック割当てとの間には第1の関連付け関係があり、かつ／または、マルチキャスト制御チャネルの変調および符号化方式とマルチキャストトラフィックチャネルの変調および符号化方式との間には第2の関連付け関係があり、かつ／または、マルチキャスト制御チャネルの送信ブロックサイズとマルチキャストトラフィックチャネルの送信ブロックサイズとの間には第3の関連付け関係があり、かつ／または、マルチキャスト制御チャネルの繰返し数とマルチキャストトラフィックチャネルの繰返し数との間には第4の関連付け関係がある。
【００７６】
マルチキャスト制御チャネルのスケジューリングとマルチキャストトラフィックチャネルのスケジューリングとの間の関連付け関係は、前述の例に限定されない。システムは、第1の関連付け関係、第2の関連付け関係、第3の関連付け関係および第4の関連付け関係のうちの1つまたは複数を事前に指定してよい。基地局はまた、第1の関連付け関係、第2の関連付け関係、第3の関連付け関係および第4の関連付け関係のうちの1つまたは複数を示し、または構成してもよい。基地局は、前述の関連付け関係を使用することによって、マルチキャスト制御チャネルおよびマルチキャストトラフィックチャネルをスケジュールする方法を決定してよい。加えて、ユーザ機器は、前述の関連付け関係を使用することによって、マルチキャスト制御チャネルおよびマルチキャストトラフィックチャネルを受信する方法を決定してよい。
【００７７】
以下に示されるように、同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、SC-MCCH送信の狭帯域に狭帯域シフトを追加することによって取得される。狭帯域シフトは、SC-MCCH送信の狭帯域からSC-MTCH送信の狭帯域までのオフセットを示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであることを示し、狭帯域シフトがkである場合、SC-MTCH送信における狭帯域のインデックスはn+kである。
【００７８】
さらに、本発明のいくつかの実施形態では、DCIにおけるスケジューリング情報は関連付け情報をさらに含む。関連付け情報は、第1の関連付け関係、第2の関連付け関係、第3の関連付け関係および第4の関連付け関係のうちの1つまたは複数を示す。すなわち、基地局は、第1の関連付け関係、第2の関連付け関係、第3の関連付け関係および第4の関連付け関係のうちの1つまたは複数を、スケジューリング情報を使用することによって、ユーザ機器にさらに送信してよく、その結果、ユーザ機器は、スケジューリング情報を使用することによって、第1の関連付け関係、第2の関連付け関係、第3の関連付け関係および第4の関連付け関係のうちの1つまたは複数を取得することができる。
【００７９】
本発明のいくつかの実施形態では、スケジューリング情報はNビットを含み、Nビットの各々の状態は、指示情報のビット状態と同じであり、Nは1以上の正の整数である。あるいは、スケジューリング情報はNビットを含み、Nビットの各々の状態は、固定値を有するビット状態であり、Nは1以上の正の整数である。
【００８０】
以下に示されるように、SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。Nビットの状態は指示情報のビット状態と同じであり、またはNビットの状態は固定値を有し、その結果、指示情報の繰返し送信またはDCI送信のチェックが実施されてよく、指示情報通信の信頼性が改善され、誤ったアラームの可能性が低減される。
【００８１】
本発明のいくつかの実施形態では、前述のステップに加えて、本発明の制御情報通信方法は、
マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するステップをさらに含んでよい。
【００８２】
マルチキャストチャネルがマルチキャストトラフィックチャネルのみを含む場合、すなわち、ステップ202におけるスケジューリング情報がマルチキャストトラフィックチャネルをスケジュールするためにのみ使用されることができる場合、この実施シナリオでは、本発明の本実施形態は、マルチキャスト制御チャネルをスケジュールする方法をさらに説明する。例えば、マルチキャスト制御チャネルは、システム情報ブロックを使用することによってスケジュールされてよい。あるいは、マルチキャスト情報通信のステップを低減するために、マルチキャスト制御チャネルはシステム情報ブロックに直接追加される。このようにして、基地局によって送信されたシステム情報ブロックを受信した後、ユーザ機器はシステム情報ブロック内のマルチキャスト制御チャネルを取得することができる。
【００８３】
203. 第1のダウンリンク制御情報フォーマットを使用することによって、ダウンリンク制御情報をユーザ機器に送信する。
【００８４】
本発明の本実施形態では、前述の指示情報および前述のスケジューリング情報は、ダウンリンク制御情報に追加され、基地局は、第1のダウンリンク制御情報フォーマットを使用することによって、ダウンリンク制御情報をユーザ機器に送信してよい。ユーザ機器は、事前に設定された、または事前に指定された第1のダウンリンク制御情報フォーマットに基づいてダウンリンク制御情報を受信してよい。受信されたダウンリンク制御情報を解析することによって、ユーザ機器は、指示情報およびスケジューリング情報を取得することができ、その結果、ユーザ機器による複数回の異なるチャネルの検出によって生じるオーバヘッドは低減され、リソース利用効率は改善され、情報通信遅延が低減される。
【００８５】
本発明のいくつかの実施形態では、第1のダウンリンク制御情報フォーマットはダウンリンク制御情報フォーマット（DCI format）6-2を含む。あるいは、第1のダウンリンク制御情報フォーマットは、マシン型通信MTCユーザ機器によってサポートされるダウンリンク制御情報フォーマットを含む。MTCユーザ機器は、帯域幅が低減されたユーザ機器および/またはカバレッジが強化されたユーザ機器を含む。本発明の本実施形態では、ダウンリンク制御情報を送信するときに基地局によって使用され得る第1のダウンリンク制御情報フォーマットは、具体的には、DCI format 6-2であり得る。DCI format 6-2は、負荷が小さく、ページングメッセージの繰返しをサポートする。従って、マルチキャスト情報通信のために使用される制御チャネルは、DCI format 6-2に基づいて実施されてよい。例えば、制御チャネルがマルチキャスト情報通信に関連している場合、制御チャネルは第1のRNTIを使用することによってスクランブルされる。制御チャネルがページングメッセージ通信に関連している場合、制御チャネルは、ページング無線ネットワーク一時識別子（Paging Radio Network Temporary Identifier, P-RNTI）を使用することによってスクランブルされる。ここでの第1のRNTIはP-RNTIとは異なるRNTIである。例えば、第1のRNTIは、SC-RNTI（Single Cell Radio Network Temporary Identifier）またはSC-N-RNTI（Single Cell Notification Radio Network Temporary Identifier）である。加えて、本発明の本実施形態では、ダウンリンク制御情報を送信するときに基地局によって使用され得る第1のダウンリンク制御情報フォーマットは、MTCユーザ機器によってサポートされることができるダウンリンク制御情報フォーマットである。MTCユーザ機器は、基地局によって送信されたダウンリンク制御情報を受信してよい。
【００８６】
本発明の例である前述の実施形態から、指示情報はダウンリンク制御情報に追加され、ここで、指示情報は、マルチキャスト制御チャネルが更新されたかどうか、および/またはマルチキャストトラフィックチャネルが更新されたかどうかを示すために使用され、マルチキャストチャネルをスケジュールするために使用されるスケジューリング情報はダウンリンク制御情報に追加され、ここで、マルチキャストチャネルは、マルチキャスト制御チャネルおよび/またはマルチキャストトラフィックチャネルを含み、最後に、第1のダウンリンク制御情報フォーマットを使用することによって、ダウンリンク制御情報はユーザ機器に送信されることがわかる。本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００８７】
前述の実施形態は、基地局側から、本発明の実施形態で提供される制御情報通信方法を説明している。以下では、UE側から、発明の実施形態で提供される制御情報通信方法を説明する。本発明の制御情報通信方法の実施形態は、どのようにUEがダウンリンク制御情報を受信するかのシナリオに適用されてよい。図3を参照すると、制御情報通信方法は以下のステップを含んでよい。
【００８８】
301. 第1のダウンリンク制御情報フォーマットを使用することによって、基地局によって送信されたダウンリンク制御情報を受信する。
【００８９】
本発明の本実施形態では、基地局はUEにサービスを提供する。UEは具体的には、MTCユーザ機器、すなわち、低複雑度ユーザ機器または低電力消費ユーザ機器またはカバレッジが強化されたユーザ機器等を含んでよい。通常、低複雑度ユーザ機器または低電力消費ユーザ機器によってサポートされる動作帯域幅は、通常のユーザ機器の動作帯域幅未満である。ユーザ機器は、事前に設定された、または事前に指定された第1のダウンリンク制御情報フォーマットに基づいて、基地局によって送信されたダウンリンク制御情報を受信する。
【００９０】
本発明のいくつかの実施形態では、第1のダウンリンク制御情報フォーマットはダウンリンク制御情報フォーマット（DCI format）6-2を含む。あるいは、第1のダウンリンク制御情報フォーマットは、マシン型通信MTCユーザ機器によってサポートされるダウンリンク制御情報フォーマットを含む。MTCユーザ機器は、帯域幅が低減されたユーザ機器および/またはカバレッジが強化されたユーザ機器を含む。本発明の本実施形態では、ダウンリンク制御情報を受信するときにユーザ機器によって使用され得る第1のダウンリンク制御情報フォーマットは、具体的には、DCI format 6-2であり得る。DCI format 6-2は、負荷が小さく、ページングメッセージの繰返しをサポートする。従って、マルチキャスト情報通信のために使用される制御チャネルは、DCI format 6-2に基づいて実施されてよい。
【００９１】
302. 指示情報をダウンリンク制御情報から取得し、ここで、指示情報は、マルチキャスト制御チャネルが更新されたかどうか、および/またはマルチキャストトラフィックチャネルが更新されたかどうかを示すために使用される。
【００９２】
本発明の本実施形態では、ユーザ機器が基地局によって送信されたダウンリンク制御情報を受信した後、ユーザ機器は、次いで、ダウンリンク制御情報を検出することによって、指示情報を取得してよい。ユーザ機器は、取得された指示情報を使用することによって、マルチキャスト制御チャネルが更新されたかどうか、および/またはマルチキャストトラフィックチャネルが更新されたかどうかを決定してよい。ユーザ機器は、単一の制御チャネルを検出することによって、マルチキャスト制御チャネルが更新されたかどうか、および/またはマルチキャストトラフィックチャネルが更新されたかどうかを決定する必要がなく、それによって、ユーザ機器による検出を実行する複雑さを低減する。
【００９３】
本発明のいくつかの実施形態では、指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、
指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【００９４】
303. ダウンリンク制御情報から、マルチキャストチャネルをスケジュールするために使用されるスケジューリング情報を取得し、ここで、マルチキャストチャネルは、マルチキャスト制御チャネルおよび/またはマルチキャストトラフィックチャネルを含む。
【００９５】
本発明の本実施形態では、前述の指示情報に加えて、ユーザ機器は、ダウンリンク制御情報からスケジューリング情報をさらに取得してよい。スケジューリング情報は、マルチキャストチャネルをスケジュールするために使用される。具体的には、マルチキャストチャネルは、マルチキャスト制御チャネルおよび/またはマルチキャストトラフィックチャネルである。スケジューリング情報は、マルチキャスト制御チャネルをスケジュールするために使用されてよく、または、マルチキャストトラフィックチャネルをスケジュールするために使用されてよい。前述のステップにおける説明から、本発明の本実施形態では、スケジューリング情報と指示情報の両方が、ユーザ機器によって受信されたダウンリンク制御情報に追加され、従って、ユーザ機器は、マルチキャスト制御チャネルが更新されたかどうか、および/またはマルチキャストトラフィックチャネルが更新されたかどうかを学習するために単一の制御チャネルを検出する必要がないことがわかる。このように、ユーザ機器による検出を実行する複雑さは低減され、ユーザ機器の電力消費オーバヘッドは低減され、システムのリソース利用が最適化される。
【００９６】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００９７】
例えば、マルチキャスト情報通信のために使用される制御チャネルは、マルチキャスト制御チャネルをスケジュールするために使用されるスケジューリング情報をさらに含んでよく、マルチキャスト制御チャネルをスケジュールするために使用されるスケジューリング情報は、マルチキャスト制御チャネルのリソースブロック割当て、マルチキャスト制御チャネルの変調および符号化方式（または送信ブロックサイズ）、マルチキャスト制御チャネルの繰返し数およびDCIサブフレームの繰返し数のうちの1つまたは複数を含んでよい。
【００９８】
さらに、本発明のいくつかの実施形態では、スケジューリング情報がマルチキャスト制御チャネルをスケジュールするために使用される場合、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００９９】
以上では、例を使用することによってスケジューリング情報の可能な実施のみを適宜説明したが、本発明はこれらに限定されない。
【０１００】
さらに、本発明のいくつかの実施形態では、スケジューリング情報がマルチキャストトラフィックチャネルをスケジュールするために使用される場合、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１０１】
以上では、例を使用することによってスケジューリング情報の可能な実施のみを適宜説明したが、本発明はこれらに限定されない。
【０１０２】
本発明のいくつかの実施形態では、ダウンリンク制御情報から、マルチキャストチャネルをスケジュールするために使用されるスケジューリング情報を取得するステップ303は、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するステップであって、ここで、第1の関連付け関係は、マルチキャスト制御チャネルのリソースブロック割当てとマルチキャストトラフィックチャネルのリソースブロック割当てとの間の関連付け関係である、ステップ、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するステップであって、ここで、第2の関連付け関係は、マルチキャスト制御チャネルの変調および符号化方式とマルチキャストトラフィックチャネルの変調および符号化方式との間の関連付け関係である、ステップ、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するステップであって、ここで、第3の関連付け関係は、マルチキャスト制御チャネルの送信ブロックサイズとマルチキャストトラフィックチャネルの送信ブロックサイズとの間の関連付け関係である、ステップ、および/または、
第4の関連付け関係およびマルチキャスト制御チャネルの送信ブロックサイズに基づいて、マルチキャストトラフィックチャネルの送信ブロックサイズを決定し、または、第4の関連付け関係およびマルチキャストトラフィックチャネルの送信ブロックサイズに基づいて、マルチキャスト制御チャネルの送信ブロックサイズを決定するステップであって、ここで、第4の関連付け関係は、マルチキャスト制御チャネルの送信ブロックサイズとマルチキャストトラフィックチャネルの送信ブロックサイズとの間の関連付け関係である、ステップを含む。
【０１０３】
ユーザ機器は、事前設定または基地局によって送信された受信されたシグナリングに基づいて、第1の関連付け関係、第2の関連付け関係、第3の関連付け関係および第4の関連付け関係のうちの1つまたは複数を取得してよい。マルチキャストトラフィックチャネルのスケジューリング情報は、マルチキャスト制御チャネルの既知のスケジューリング情報および関連付け関係に基づいて決定されてよい。あるいは、マルチキャスト制御チャネルのスケジューリング情報は、マルチキャストトラフィックチャネルの既知のスケジューリング情報および関連付け関係に基づいて決定されてよい。
【０１０４】
以下に示されるように、同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、狭帯域シフトによってSC-MCCH送信の狭帯域を増加させることによって取得される。狭帯域シフトは、SC-MTCH送信の狭帯域とSC-MCCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであり、狭帯域シフトがkであることを示す場合、SC-MTCH送信における狭帯域のインデックスはn+kである。
【０１０５】
さらに、本発明のいくつかの実施形態では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。すなわち、基地局は、第1の関連付け関係、第2の関連付け関係、第3の関連付け関係および第4の関連付け関係のうちの1つまたは複数を、スケジューリング情報を使用することによって、ユーザ機器にさらに送信してよく、その結果、ユーザ機器は、スケジューリング情報を使用することによって、第1の関連付け関係、第2の関連付け関係、第3の関連付け関係および第4の関連付け関係のうちの1つまたは複数を取得することができる。
【０１０６】
本発明のいくつかの実施形態では、スケジューリング情報はNビットを含み、Nビットの各々の状態は、指示情報のビット状態と同じであり、Nは1以上の正の整数である。あるいは、スケジューリング情報はNビットを含み、Nビットの各々の状態は、固定値を有するビット状態であり、Nは1以上の正の整数である。
【０１０７】
以下に示されるように、SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。Nビットの状態は指示情報のビット状態と同じであり、またはNビットの状態は固定値を有し、その結果、指示情報の繰返し送信が実施されてよく、または、DCI送信のチェックが改善されてよく、指示情報通信の信頼性が改善され、誤ったアラームの可能性が低減される。
【０１０８】
本発明のいくつかの実施形態では、前述のステップに加えて、本発明の制御情報通信方法は、
マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するステップ、または、
マルチキャスト制御チャネルが追加されるシステム情報ブロックを受信し、マルチキャスト制御チャネルをシステム情報ブロックから取得するステップをさらに含んでよい。
【０１０９】
マルチキャストチャネルがマルチキャストトラフィックチャネルのみを含む場合、ユーザ機器によって受信されたスケジューリング情報がマルチキャストトラフィックチャネルをスケジュールするためにのみ使用されることができ、この実施シナリオでは、本発明の本実施形態は、マルチキャスト制御チャネルをスケジュールする方法をさらに説明する。例えば、マルチキャスト制御チャネルは、システム情報ブロックを使用することによってスケジュールされてよい。あるいは、より多くの通信リソースを節約するために、マルチキャスト制御チャネルはシステム情報ブロックに直接追加される。基地局によって送信されたシステム情報ブロックを受信した後、ユーザ機器はシステム情報ブロック内のマルチキャスト制御チャネルを取得することができる。
【０１１０】
本発明の本実施形態の説明の例から、基地局によって送信されたダウンリンク制御情報は、第1のダウンリンク制御情報フォーマットを使用することによって受信され、指示情報は、ダウンリンク制御情報から取得され、ここで、指示情報は、マルチキャスト制御チャネルが更新されたかどうか、および/またはマルチキャストトラフィックチャネルが更新されたかどうかを示すために使用されることがわかる。マルチキャストチャネルをスケジュールするために使用されるスケジューリング情報は、ダウンリンク制御情報から取得され、ここで、マルチキャストチャネルは、マルチキャスト制御チャネルおよび/またはマルチキャストトラフィックチャネルを含む。本発明の本実施形態では、スケジューリング情報と指示情報の両方が、ユーザ機器によって受信されたダウンリンク制御情報に追加され、従って、ユーザ機器は、マルチキャスト制御チャネルが更新されたかどうかを示す単一の制御チャネルを検出する必要がなく、その結果、ユーザ機器による検出を実行する複雑さは低減されることができ、ユーザ機器の電力消費オーバヘッドは低減されることができ、リソース利用は最適化されることができる。
【０１１１】
本発明の本実施形態の前述の解決手段のより良い理解および実施のために、以下では、例を使用することによって具体的な説明を提供する。本発明の本実施形態は、主に、マルチキャスト情報通信の手順を最適化し、制御情報通信および/またはデータチャネル通信のステップを低減し、リソース利用を最適化するために使用される。特に、マルチキャスト情報が繰り返し送信される場合、マルチキャスト情報通信のあまりに多くのステップは、システムのリソースオーバヘッドを大幅に増加させ、UEによる検出を実行する複雑さを増加させる。従って、本発明の本実施形態によって達成されるべき目的は、マルチキャスト情報通信の手順を最適化し、制御情報通信および/またはデータチャネル通信のステップを低減することである。従来技術では、カバレッジ強化と繰返し送信のいずれも、マルチキャスト情報通信においてサポートされていない。従って、マルチキャスト情報の繰返し送信をサポートする方法はまた、本発明によって達成されるべき目的である。
【０１１２】
図4を参照すると、図4は本発明の実施形態に係る、MPDCCHがまたSC-MCCHもスケジュールする適用シナリオの概略図である。本発明の本実施形態では、マシン型通信のための物理ダウンリンク制御チャネル（Physical Downlink Control Channel for MTC, MPDCCH）DCI format 6-2は、SC-PTMをサポートするために再利用されてよい。第1のRNTIは、DCI format 6-2がページングメッセージのために使用されるか、またはマルチキャスト情報のために使用されるかを決定するために使用される。ユーザ機器によって受信されたDCI format 6-2がP-RNTIを使用することによってスクランブルされないが、第1のRNTIを使用することによってスクランブルされる場合、DCIは、SC-MCCHが更新されるかどうかを通知するために使用される。加えて、本発明におけるDCI format 6-2がSC-MCCHが更新されたかどうかを示す場合、SC-MCCHまたはSC-MTCHのスケジューリング情報はDCI format 6-2にさらに追加されてよい。このように、マルチキャスト情報通信の手順は単純化され、リソース利用は最適化され、UEによる検出を実行する複雑さが低減され、UEの電力消費は低減される。
【０１１３】
例えば、既存のDCI format 6-2は、以下のものを含む：
ページングメッセージのスケジューリングと直接指示とを区別するために使用される識別子は、識別子が0の状態である場合、識別子は直接情報指示および予約ビットに適用され、または、識別子が1の状態である場合、識別子は、ページングメッセージをスケジュールするために使用され、ページングメッセージをスケジュールするために使用されるスケジューリング情報は、以下の情報を含む：
リソースブロック割当て
【０１１４】
【数１】
2019528003.tif 000003
【０１１５】
ビット；
変調および符号化方式：3ビット；
PDSCHの繰返し数：3ビット；
DCIサブフレームの繰返し数：2ビット。
【０１１６】
【数２】
2019528003.tif 000004
【０１１７】
は、ダウンリンク帯域幅に含まれるリソースブロックの量を表す。ページングメッセージをスケジュールするために使用されるDCI format 6-2は負荷が小さく、ページングメッセージの繰返しをサポートするため、マルチキャスト情報通信のために使用される制御チャネルは、DCI format 6-2に基づいてよい。例えば、制御チャネルがマルチキャスト情報通信に関連する場合、制御チャネルは、第1のRNTIを使用することによってスクランブルされる。制御チャネルがページングメッセージ通信に関連する場合、制御チャネルは、P-RNTIを使用することによってスクランブルされる。ここでの第1のRNTIはP-RNTIとは異なるRNTIである。
【０１１８】
マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されるかどうかを示すために使用される。マルチキャスト情報通信のために使用される制御チャネルは、SC-MCCHをスケジュールするために使用されるスケジューリング情報をさらに含んでよい。SC-MCCHをスケジュールするために使用されるDCIは、SC-MCCHのリソースブロック割当て、SC-MCCHの変調および符号化方式（または送信ブロックサイズ）、SC-MCCHの繰返し数およびDCIサブフレームの繰返し数のうちの1つまたは複数を含んでよい。
【０１１９】
図4に示されるように、MPDCCHはまたSC-MCCHをスケジュールし、MPDCCHはeMTC（enhanced MTC）またはFeMTC（Further enhanced MTC）において使用される制御チャネルである。本発明の本実施形態では、ダウンリンク制御情報は、MPDCCHを使用することによって使用されてよい。実際の適用の間、ダウンリンク制御情報（Downlink Control Information, DCI）の具体的な実施は、以下の例で説明されるケースを含んでよい：
【０１２０】
A. SC-MCCHをスケジュールするために使用されるDCIの具体的な例が提供される：
SC-MCCH（および/またはSC-MTCH）の更新指示：1ビット；
SC-MCCHのリソースブロック割当て：
【０１２１】
【数３】
2019528003.tif 000005
【０１２２】
ビット；
SC-MCCHの変調および符号化方式（または送信ブロックサイズ）：3ビット；
SC-MCCHの繰返し数：3ビット；
DCIサブフレームの繰返し数：2ビット。
【０１２３】
B. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１２４】
【数４】
2019528003.tif 000006
【０１２５】
ビット；
SC-MCCHの変調および符号化方式（または送信ブロックサイズ）：3ビット；
SC-MCCHの繰返し数：3ビット。
【０１２６】
C. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１２７】
【数５】
2019528003.tif 000007
【０１２８】
ビット；
SC-MCCHの変調および符号化方式（または送信ブロックサイズ）：3ビット；
SC-MCCHの繰返し数：3ビット；
予約ビット。
【０１２９】
D. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１３０】
【数６】
2019528003.tif 000008
【０１３１】
ビット；
SC-MCCHの変調および符号化方式（または送信ブロックサイズ）：3ビット；
予約ビット。
【０１３２】
E. SC-MCCHをスケジュールするために使用されるDCIの別の具体的な例が提供される：
SC-MCCH（および/またはSC-MTCH）の更新指示：1ビット；
SC-MCCHの繰返し数：3ビット；
予約ビット（任意）。
【０１３３】
任意で、本実施形態では、SC-MCCH更新指示が、SC-MCCHが更新されていないと示す場合、マルチキャストをスケジュールするDCI内の別のフィールドは、SC-MTCHのリソースブロック割当て、SC-MTCHの変調および符号化方式（または送信ブロックサイズ）、SC-MTCHの繰返し数およびDCIサブフレームの繰返し数のうちの1つまたは複数を含む。SC-MCCH更新指示が、SC-MCCHが更新されたと示す場合、マルチキャストをスケジュールするDCI内の別のフィールドは、SC-MCCHのリソースブロック割当て、SC-MCCHの変調および符号化方式（または送信ブロックサイズ）、SC-MCCHの繰返し数およびDCIサブフレームの繰返し数のうちの1つまたは複数を含む。
【０１３４】
本発明のいくつかの他の実施形態では、マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されたかどうかを示すために使用される。
【０１３５】
マルチキャスト情報通信のために使用される制御チャネルは、SC-MTCHをスケジュールするために使用されるスケジューリング情報をさらに含んでよい。SC-MTCHをスケジュールするために使用されるDCIは、SC-MTCHのリソースブロック割当て、SC-MTCHの変調および符号化方式（または送信ブロックサイズ）、SC-MTCHの繰返し数、DCIサブフレームの繰返し数のうちの1つまたは複数を含んでよい。実際の適用の間、DCIの具体的な実施は、以下の例で説明されるケースを含んでよい：
【０１３６】
A. SC-MTCHをスケジュールするために使用されるDCIの具体的な例が提供される：
SC-MCCH（および/またはSC-MTCH）の更新指示：1ビット；
SC-MTCHのリソースブロック割当て：
【０１３７】
【数７】
2019528003.tif 000009
【０１３８】
ビット；
SC-MTCHの変調および符号化方式（または送信ブロックサイズ）：3ビット；
SC-MTCHの繰返し数：3ビット；
DCIサブフレームの繰返し数：2ビット。
【０１３９】
B. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４０】
【数８】
2019528003.tif 000010
【０１４１】
ビット；
SC-MTCHの変調および符号化方式（または送信ブロックサイズ）：3ビット；
SC-MTCHの繰返し数：3ビット。
【０１４２】
C. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４３】
【数９】
2019528003.tif 000011
【０１４４】
ビット；
SC-MTCHの変調および符号化方式（または送信ブロックサイズ）：3ビット；
SC-MTCHの繰返し数：3ビット；
予約ビット。
【０１４５】
D. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４６】
【数１０】
2019528003.tif 000012
【０１４７】
ビット；
SC-MTCHの変調および符号化方式（または送信ブロックサイズ）：3ビット；
SC-MTCHの繰返し数：3ビット；
予約ビット。
【０１４８】
E. SC-MTCHをスケジュールするために使用されるDCIの別の具体的な例が提供される：
SC-MCCH（および/またはSC-MTCH）の更新指示：1ビット；
SC-MTCHの繰返し数：3ビット；
予約ビット（任意）。
【０１４９】
本発明のいくつかの他の実施形態では、マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されたかどうかを示すために使用される。マルチキャスト情報通信のために使用される制御チャネルは、SC-MCCHおよびSC-MTCHをスケジュールするために使用されるスケジューリング情報をさらに含んでよい。SC-MCCHおよびSC-MTCHをスケジュールするために使用されるDCIは、SC-MCCHのリソースブロック割当て、SC-MCCHの変調および符号化方式（または送信ブロックサイズ）、SC-MCCHの繰返し数、SC-MTCHのリソースブロック割当て、SC-MTCHの変調および符号化方式（または送信ブロックサイズ）、SC-MTCHの繰返し数およびDCIサブフレームの繰返し数のうちの1つまたは複数を含んでよい。
【０１５０】
ケース1:マルチキャストDCIは、SC-MCCHおよび/またはSC-MTCHのリソースブロック割当てを示す。
【０１５１】
同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、狭帯域シフトによってSC-MCCH送信の狭帯域を増加させることによって取得される。狭帯域シフトは、SC-MTCH送信の狭帯域とSC-MCCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであることを示し、狭帯域シフトがkである場合、SC-MTCH送信における狭帯域のインデックスはn+kである。
【０１５２】
同様に、マルチキャスト情報通信のために使用されるDCIにおけるリソースブロック割当ては、SC-MTCH送信の狭帯域を示し、SC-MCCH送信の狭帯域は、SC-MTCH送信の狭帯域に基づいて決定される。例えば、SC-MCCH送信の狭帯域は、狭帯域シフトによってSC-MTCH送信の狭帯域を増加させることによって取得される。狭帯域シフトは、SC-MCCH送信の狭帯域とSC-MTCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当ては、SC-MTCH送信で使用される狭帯域が狭帯域nであることを示し、狭帯域シフトはkであり、SC-MCCH送信における狭帯域のインデックスはn+kである。
【０１５３】
ケース2：マルチキャストDCIは、SC-MCCHおよび/またはSC-MTCHの変調および符号化方式（または送信ブロックサイズ）を示す。
【０１５４】
任意で、マルチキャスト情報通信のために使用されるDCIは、SC-MCCHおよび/またはSC-MTCHの変調および符号化方式（または送信ブロックサイズ）をさらに示す。マルチキャスト情報通信のために使用されるDCIでは、SC-MCCHおよびSC-MTCHの変調および符号化方式（または送信ブロックサイズ）は独立して示されてよい。あるいは、マルチキャスト情報通信のために使用されるDCIでは、SC-MCCH送信の変調および符号化方式（または送信ブロックサイズ）が示されてよく、SC-MTCHの変調および符号化方式（または送信ブロックサイズ）は、SC-MCCH送信の変調および符号化方式（または送信ブロックサイズ）に基づいて決定される。あるいは、マルチキャスト情報通信のために使用されるDCIでは、SC-MTCH送信の変調および符号化方式（または送信ブロックサイズ）が示されてよく、SC-MCCHの変調および符号化方式（または送信ブロックサイズ）は、SC-MTCH送信の変調および符号化方式（または送信ブロックサイズ）に基づいて決定される。例えば、SC-MTCH送信の変調および符号化方式（または送信ブロックサイズ）とSC-MCCH送信の変調および符号化方式（または送信ブロックサイズ）との間には関係がある。
【０１５５】
ケース3：マルチキャストDCIは、SC-MCCHおよび/またはSC-MTCHの繰返し数を示す。
【０１５６】
任意で、マルチキャスト情報通信のために使用されるDCIは、SC-MCCHおよび/またはSC-MTCH送信の繰返し数をさらに示す。マルチキャスト情報通信のために使用されるDCIでは、SC-MCCHの繰返し数およびSC-MTCH送信の繰返し数は独立して示されてよい。あるいは、マルチキャスト情報通信のために使用されるDCIでは、SC-MCCH送信の繰返し数が示されてよく、SC-MTCH送信の繰返し数は、SC-MCCH送信の繰返し数に基づいて決定される。あるいは、マルチキャスト情報通信のために使用されるDCIでは、SC-MTCH送信の繰返し数が示されてよく、SC-MCCH送信の繰返し数は、SC-MTCH送信の繰返し数に基づいて決定される。例えば、SC-MTCH送信の繰返し数とSC-MCCH送信の繰返し数との間には関係がある。SC-MCCH（またはSC-MTCH）送信の繰返し数がわかっている場合、SC-MTCH（またはSC-MCCH）送信の繰返し数は、SC-MCCH（またはSC-MTCH）送信の繰返し数および既知の関係に基づいて決定されてよい。
【０１５７】
例えば、SC-MCCHをスケジュールするために使用されるDCIの具体的な例が提供される：
SC-MCCH（および/またはSC-MTCH）の更新指示：1ビット；
SC-MCCHのリソースブロック割当て：
【０１５８】
【数１１】
2019528003.tif 000013
【０１５９】
ビット；
SC-MTCHの狭帯域シフト：nビット；
SC-MCCHの変調および符号化方式（または送信ブロックサイズ）：aビット；
SC-MTCHの変調および符号化方式（または送信ブロックサイズ）：bビット；
SC-MTCHの繰返し数：cビット。
【０１６０】
本発明のいくつかの他の実施形態では、マルチキャスト情報通信のために使用される制御チャネルは、SC-MCCH（またはSC-MTCH）の更新指示を含む。例えば、マルチキャスト情報通信のために使用される制御チャネル内の1ビットは、SC-MCCH（またはSC-MTCH）が更新されたかどうかを示すために使用される。マルチキャスト情報通信のために使用される制御チャネル内の別のビットは、SC-MCCH（またはSC-MTCH）の更新を示すビットの繰返しであるか、または予約ビットである。実際の適用の間、DCIの具体的な実施は、以下の例で説明されるケースを含んでよい：
【０１６１】
A. SC-MCCHをスケジュールするために使用されるDCIの具体的な例が提供される：
SC-MCCH更新指示：1ビット；
SC-MCCH更新指示の繰返し：1のnビットまたは0のnビット。
【０１６２】
更新情報は1ビットであり、1または0である。他のビットは、更新ビットを繰り返し、すなわち、ビットは全て1または全て０である。予約ビットは、SC-MCCH更新指示のビット状態と同じ状態である。SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。
【０１６３】
B. SC-MCCHをスケジュールするために使用されるDCIの別の具体的な例が提供される：
SC-MCCH更新指示：1ビット；
予約ビット：nビット。
【０１６４】
C. DCIはnビットを含み、SC-MCCHをスケジュールするために使用されるDCIの別の具体的な例が提供される：
SC-MCCH更新指示：nビット、すなわち、1のnビットまたは0のnビット。
【０１６５】
本発明のいくつかの実施形態では、SC-MCCHは、SIB20またはSIB1（または別のSIB）を使用することによってスケジュールされてよい。図5に示されるように、第1のステップは、SIB20においてSC-MCCHをスケジュールすることであり、第2のステップは、MPDCCHにおいてSC-MCCHの更新に関する情報を通知することであり、第3のステップは、MPDCCHを使用することによって、SC-MTCHをスケジュールすることである。SC-MTCHをスケジュールするためのMPDCCHのDCIフォーマットは、前述の実施において説明され、詳細はここでは再び説明されない。
【０１６６】
図6に示されるように、第1のステップは、SIB20にSC-MCCHを含むことであり、第2のステップは、MPDCCHにおいてSC-MCCHの更新に関する情報を通知することであり、第3のステップは、MPDCCHを使用することによって、SC-MTCHをスケジュールすることである。SC-MTCHをスケジュールするためのMPDCCHのDCIフォーマットは、前述の実施形態において説明され、詳細はここでは再び説明されない。
【０１６７】
確かに、任意で、第1のステップは、SIB20においてSC-MCCHをスケジュールすることであり、第2のステップは、MPDCCHにおいてSC-MCCHの更新に関する情報を通知することおよびSC-MTCHをスケジュールすることである。SC-MTCHをスケジュールするためのMPDCCHのDCIフォーマットは、前述の実施形態において説明され、詳細はここでは再び説明されない。あるいは、第1のステップは、SIB20にSC-MCCHを含むことであり、第2のステップは、MPDCCHにおいて、SC-MCCHの更新に関する情報を通知することおよびSC-MTCHをスケジュールすることである。SC-MTCHをスケジュールするためのMPDCCHのDCIフォーマットは、前述の実施形態において説明され、詳細はここでは再び説明されない。
【０１６８】
本発明の本実施形態では、MPDCCH DCI format 6-2は、第1のRNTIを使用することによってスクランブルすることによって再利用されて、SC-PTM送信をサポートする。MPDCCH内には、SC-MCCH情報が更新されたかどうかを示すために使用される1ビットがある。DCI format 6-2に含まれるビット数はさらにより少なく、SC-MCCHの更新およびSC-MCCHのスケジューリングを動的に示すためにDCI format 6-2が再利用される。従って、基地局によるMPDCCHの送信回数およびUEによるMPDCCHの検出回数は低減され、SC-PTMのカバレッジ強化はサポートされ、UEによる検出を実行する複雑さは低減され、UEの電力消費オーバヘッドは低減され、リソース利用は最適化され、情報通信遅延は低減される。
【０１６９】
簡単な説明のために、前述の方法の実施形態は一連の動作として表されているが、本発明に従っていくつかのステップは別の順序で実行されるか、同時に実行されてよいため、本発明は説明された動作の順序に限定されないことを当業者は理解するべきであることは留意されるべきである。加えて、当業者はまた、本明細書で説明されている全ての実施形態は好ましい実施形態であり、関連する動作およびモジュールは本発明で必ずしも必要とされないことを理解するべきである。
【０１７０】
本発明の実施形態の解決手段をより良く実施するために、以下では、解決手段を実施するための関連装置をさらに提供する。
【０１７１】
図7を参照すると、本発明の実施形態は基地局700を提供する。基地局700は、指示情報決定モジュール701、スケジューリング情報決定モジュール702および送信モジュール703を含んでよい。
【０１７２】
指示情報決定モジュール701は、指示情報をダウンリンク制御情報に追加するように構成され、ここで、指示情報は、マルチキャスト制御チャネルが更新されたかどうか、および/またはマルチキャストトラフィックチャネルが更新されたかどうかを示すために使用される。
【０１７３】
スケジューリング情報決定モジュール702は、マルチキャストチャネルをスケジュールするために使用されるスケジューリング情報をダウンリンク制御情報に追加するように構成され、ここで、マルチキャストチャネルは、マルチキャスト制御チャネルおよび/またはマルチキャストトラフィックチャネルを含む。
【０１７４】
送信モジュール703は、第1のダウンリンク制御情報フォーマットを使用することによって、ダウンリンク制御情報をユーザ機器に送信するように構成される。
【０１７５】
本発明のいくつかの実施形態では、送信モジュール703によって使用される第1のダウンリンク制御情報フォーマットはダウンリンク制御情報フォーマットDCI format 6-2を含む。あるいは、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【０１７６】
本発明のいくつかの実施形態では、指示情報決定モジュール701によって取得された指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【０１７７】
本発明のいくつかの実施形態では、スケジューリング情報決定モジュール702によって取得されたスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【０１７８】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【０１７９】
本発明のいくつかの実施形態では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１８０】
本発明のいくつかの実施形態では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【０１８１】
本発明のいくつかの実施形態では、スケジューリング情報決定モジュール702によって取得されるスケジューリング情報は関連付け情報をさらに含み、ここで、関連付け情報は、第1の関連付け関係、第2の関連付け関係、第3の関連付け関係および第4の関連付け関係のうちの1つまたは複数を示す。
【０１８２】
本発明のいくつかの実施形態では、スケジューリング情報はNビットを含み、Nビットの各々の状態は指示情報のビット状態と同じであり、Nは1以上の正の整数であり、または、スケジューリング情報はNビットを含み、Nビットの各々の状態は固定値を有するビット状態であり、Nは1以上の正の整数である。
【０１８３】
本発明のいくつかの実施形態では、送信モジュール703は、マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するようにさらに構成される。
【０１８４】
図8を参照すると、本発明の実施形態はユーザ機器800を提供する。ユーザ機器800は、受信モジュール801、指示情報取得モジュール802およびスケジューリング情報取得モジュール803を含んでよい。
【０１８５】
受信モジュール801は、第1のダウンリンク制御情報フォーマットを使用することによって、基地局によって送信されたダウンリンク制御情報を受信するように構成される。
【０１８６】
指示情報取得モジュール802は、指示情報をダウンリンク制御情報から取得するように構成され、ここで、指示情報は、マルチキャスト制御チャネルが更新されたかどうか、および/またはマルチキャストトラフィックチャネルが更新されたかどうかを示すために使用される。
【０１８７】
スケジューリング情報取得モジュール803は、ダウンリンク制御情報から、マルチキャストチャネルをスケジュールするために使用されるスケジューリング情報を取得するように構成され、ここで、マルチキャストチャネルは、マルチキャスト制御チャネルおよび/またはマルチキャストトラフィックチャネルを含む。
【０１８８】
本発明のいくつかの実施形態では、受信モジュール801によって使用される第1のダウンリンク制御情報フォーマットはダウンリンク制御情報フォーマットDCI format 6-2を含む。あるいは、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【０１８９】
本発明のいくつかの実施形態では、指示情報取得モジュール802によって取得された指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【０１９０】
本発明のいくつかの実施形態では、スケジューリング情報取得モジュール803によって取得されたスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【０１９１】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【０１９２】
本発明のいくつかの実施形態では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１９３】
本発明のいくつかの実施形態では、スケジューリング情報取得モジュール803は、具体的には、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するように構成され、ここで、第1の関連付け関係は、マルチキャスト制御チャネルのリソースブロック割当てとマルチキャストトラフィックチャネルのリソースブロック割当てとの間の関連付け関係であり、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するように構成され、ここで、第2の関連付け関係は、マルチキャスト制御チャネルの変調および符号化方式とマルチキャストトラフィックチャネルの変調および符号化方式との間の関連付け関係であり、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するように構成され、ここで、第3の関連付け関係は、マルチキャスト制御チャネルの送信ブロックサイズとマルチキャストトラフィックチャネルの送信ブロックサイズとの間の関連付け関係であり、および/または、
第4の関連付け関係およびマルチキャスト制御チャネルの送信ブロックサイズに基づいて、マルチキャストトラフィックチャネルの送信ブロックサイズを決定し、または、第4の関連付け関係およびマルチキャストトラフィックチャネルの送信ブロックサイズに基づいて、マルチキャスト制御チャネルの送信ブロックサイズを決定するように構成され、ここで、第4の関連付け関係は、マルチキャスト制御チャネルの送信ブロックサイズとマルチキャストトラフィックチャネルの送信ブロックサイズとの間の関連付け関係である。
【０１９４】
本発明のいくつかの実施形態では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【０１９５】
本発明のいくつかの実施形態では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【０１９６】
本発明のいくつかの実施形態では、受信モジュール801は、マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するようにさらに構成され、または、マルチキャスト制御チャネルが追加されるシステム情報ブロックを受信し、マルチキャスト制御チャネルをシステム情報ブロックから取得するようにさらに構成される。
【０１９７】
前述の装置のモジュール/ユニットの実行プロセスとの間の情報交換等の内容は、本発明の方法の実施形態と同じ概念に属するため、本発明の方法の実施形態と同じ技術的効果をもたらすことは留意されるべきである。詳細については、本発明の前述の方法の実施形態における説明を参照されたく、ここではさらに説明はされない。
【０１９８】
本発明の実施形態は、コンピュータ記憶媒体をさらに提供する。コンピュータ記憶媒体はプログラムを記憶し、プログラムは、前述の方法の実施形態に記録されるステップの一部または全てを実行する。
【０１９９】
本発明の実施形態によって提供される別の基地局を以下で説明する。図9を参照すると、基地局900は、
受信器901、送信器902、プロセッサ903およびメモリ904を含む（基地局900内には1つまたは複数のプロセッサ903があってよく、図9における例としては、基地局900内には1つのプロセッサがあることが使用される）。本発明のいくつかの実施形態では、受信器901、送信器902、プロセッサ903およびメモリ904は、バスを使用することによって、または別の方式で接続されてよい。図9における例としては、バスを使用することによる接続が使用される。
【０２００】
メモリ904は、読出し専用メモリおよびランダムアクセスメモリを含んでよく、命令およびデータをプロセッサ903に提供する。メモリ904の一部は、不揮発性ランダムアクセスメモリ（英語のフルネーム：Non-Volatile Random Access Memory, 略してNVRAM）をさらに含んでよい。メモリ904はオペレーティングシステム、動作命令、実行可能モジュールまたはデータ構造、またはそれらのサブセット、またはそれらの拡張セットを記憶する。動作命令は、様々な動作を実施するための様々な動作命令を含んでよい。オペレーティングシステムは、様々な基本サービスを実施し、ハードウェアベースのタスクを処理するように構成される様々なシステムプログラムを含んでよい。
【０２０１】
プロセッサ903は基地局の動作を制御し、プロセッサ903はさらに中央処理装置（英語のフルネーム：Central Processing Unit, 略してCPU）と呼ばれることもある。特定のアプリケーションにおいては、基地局の全てのコンポーネントはバスシステムを使用することによって互いに結合される。データバスに加えて、バスシステムは、電源バス、制御バス、状態信号バス等をさらに含んでよい。しかしながら、明確な説明のために、図においては、様々なバスはバスシステムと呼ばれる。
【０２０２】
本発明の前述の実施形態で開示される方法はプロセッサ903に適用されてよく、または換言すると、プロセッサ903によって実施されてよい。プロセッサ903は集積回路チップであってよく、信号処理能力を有する。実施プロセスにおいて、前述の方法のステップは、プロセッサ903におけるハードウェア集積論理回路、またはソフトウェアの形態の命令を使用することによって実施されてよい。プロセッサ903は、汎用プロセッサ、デジタル信号プロセッサ（英語のフルネーム：digital signal processing, 略してDSP）、特定用途向け集積回路（英語のフルネーム：Application Specific Integrated Circuit, 略してASIC）、フィールドプログラマブルゲートアレイ（英語のフルネーム：Field-Programmable Gate Array, 略してFPGA）または別のプログラマブル論理コンポーネント、ディスクリートゲートまたはトランジスタ論理コンポーネント、またはディスクリートハードウェアコンポーネントであってよく、本発明の実施形態で開示される方法、ステップおよび論理ブロック図を実施または実行することができる。汎用プロセッサはマイクロプロセッサであってよく、または、プロセッサは任意の従来のプロセッサ等であってよい。本発明の実施形態を参照して開示される方法のステップは、ハードウェア復号プロセッサを使用することによって直接実行および達成されてよく、または、復号プロセッサにおけるハードウェアおよびソフトウェアモジュールの組合せを使用することによって実行および達成されてよい。ソフトウェアモジュールは、ランダムアクセスメモリ、フラッシュメモリ、読出し専用メモリ、プログラマブル読出し専用メモリ、電気的消去可能プログラマブルメモリまたはレジスタ等の、当該分野における成熟した記憶媒体に配置されてよい。記憶媒体はメモリ904に配置され、プロセッサ903は、メモリ904内の情報を読み出し、プロセッサ903のハードウェアと組み合わせて、前述の方法のステップを完了する。
【０２０３】
本発明の本実施形態では、プロセッサ903は図2に示される方法のステップを実行するように構成される。
【０２０４】
本発明の実施形態によって提供される別のユーザ機器を以下で説明する。図10を参照すると、ユーザ機器1000は、
受信器1001、送信器1002、プロセッサ1003およびメモリ1004を含む（ユーザ機器1000内には1つまたは複数のプロセッサ1003があってよく、図10における例としては、ユーザ機器1000内には1つのプロセッサがあることが使用される）。本発明のいくつかの実施形態では、受信器1001、送信器1002、プロセッサ1003およびメモリ1004は、バスを使用することによって、または別の方式で接続されてよい。図10における例としては、バスを使用することによる接続が使用される。
【０２０５】
メモリ1004は、読出し専用メモリおよびランダムアクセスメモリを含んでよく、命令およびデータをプロセッサ1003に提供する。メモリ1004の一部は、NVRAMをさらに含んでよい。メモリ1004はオペレーティングシステム、動作命令、実行可能モジュールまたはデータ構造、またはそれらのサブセット、またはそれらの拡張セットを記憶する。動作命令は、様々な動作を実施するための様々な動作命令を含んでよい。オペレーティングシステムは、様々な基本サービスを実施し、ハードウェアベースのタスクを処理するように構成される様々なシステムプログラムを含んでよい。
【０２０６】
プロセッサ1003はユーザ機器の動作を制御し、プロセッサ1003はさらにCPUと呼ばれることもある。特定のアプリケーションにおいては、ユーザ機器の全てのコンポーネントはバスシステムを使用することによって互いに結合される。データバスに加えて、バスシステムは、電源バス、制御バス、状態信号バス等をさらに含む。しかしながら、明確な説明のために、図においては、様々なバスはバスシステムと呼ばれる。
【０２０７】
本発明の前述の実施形態で開示される方法はプロセッサ1003に適用されてよく、または換言すると、プロセッサ1003によって実施されてよい。プロセッサ1003は集積回路チップであってよく、信号処理能力を有する。実施プロセスにおいて、前述の方法のステップは、プロセッサ1003におけるハードウェア集積論理回路、またはソフトウェアの形態の命令を使用することによって実施されてよい。前述のプロセッサ1003は、汎用プロセッサ、DSP、ASIC、FPGAまたは別のプログラマブル論理コンポーネント、ディスクリートゲートまたはトランジスタ論理コンポーネント、またはディスクリートハードウェアコンポーネントであってよく、本発明の実施形態で開示される方法、ステップおよび論理ブロック図を実施または実行することができる。汎用プロセッサはマイクロプロセッサであってよく、または、プロセッサは任意の従来のプロセッサ等であってよい。本発明の実施形態を参照して開示される方法のステップは、ハードウェア復号プロセッサを使用することによって直接実行および達成されてよく、または、復号プロセッサにおけるハードウェアおよびソフトウェアモジュールの組合せを使用することによって実行および達成されてよい。ソフトウェアモジュールは、ランダムアクセスメモリ、フラッシュメモリ、読出し専用メモリ、プログラマブル読出し専用メモリ、電気的消去可能プログラマブルメモリまたはレジスタ等の、当該分野における成熟した記憶媒体に配置されてよい。記憶媒体はメモリ1004に配置され、プロセッサ1003は、メモリ1004内の情報を読み出し、プロセッサ1003のハードウェアと組み合わせて、前述の方法のステップを完了する。
【０２０８】
本発明の本実施形態では、プロセッサ1003は、図3に示される方法のステップを実行するように構成される。
【０２０９】
加えて、説明された装置の実施形態は単なる例であることは留意されるべきである。別々の部分として説明されるユニットは、物理的に分離していてもしていなくてもよく、ユニットとして表示される部分は、物理的ユニットであってもなくてもよく、1つの位置に配置されてよく、または、複数のネットワークユニット上に分配されてよい。いくつかまたは全てのモジュールは、実施形態の解決手段の目的を達成するための実際の必要性に従って選択されてよい。加えて、本発明によって提供される装置の実施形態の添付図面では、モジュール間の接続関係は、モジュールが互いに通信接続を有することを示し、これは、具体的には、1つまたは複数の通信バスまたは信号ケーブルとして実施されてよい。当業者は、創造的努力無しに、本発明の実施形態を理解し実施することができる。
【０２１０】
前述の実施の説明に基づいて、当業者は、本発明が、必要な汎用ハードウェアに加えてソフトウェアによって実施されることができ、または、確かに専用集積回路、専用CPU、専用メモリ、専用コンポーネント等を含む専用ハードウェアによって実施されることができることを明確に理解し得る。一般に、コンピュータプログラムによって実行されることができる任意の機能は、対応するハードウェアを使用することによって容易に実施されることができる。さらに、同じ機能を達成するために使用される特定のハードウェア構造は様々な形態のものであってよく、例えば、アナログ回路、デジタル回路または専用回路の形態であってよい。しかしながら、本発明に関しては、ソフトウェアプログラムの実施は、ほとんどの場合においてより良い実施である。このような理解に基づいて、本発明の技術的な解決手段は本質的に、または、従来技術に貢献する部分は、ソフトウェア製品の形態で実施されてよい。コンピュータソフトウェア製品は、コンピュータのフロッピーディスク、USBフラッシュドライブ、リムーバブルハードディスク、読出し専用メモリ（ROM, Read-Only Memory）、ランダムアクセスメモリ（RAM, Random Access Memory）、磁気ディスクまたは光ディスク等の可読記憶媒体に記憶され、本発明の様々な実施形態で説明される方法を実行するために、コンピュータデバイス（パーソナルコンピュータ、サーバ、ネットワークデバイス等であってよい）に命令するためのいくつかの命令を含む。
【０２１１】
結論として、前述の実施形態は単に本発明の技術的解決手段を説明するように意図されるが、本発明を限定するようには意図されていない。本発明は前述の実施形態を参照して詳細に説明されたが、当業者は、本発明の実施形態の技術的解決手段の精神および範囲を逸脱することなく、前述の実施形態で説明される技術的解決手段に対して修正をさらに行ってよく、または、そのいくつかの技術的特徴に対して均等置換を行ってよいことを理解すべきである。
【符号の説明】
【０２１２】
700  基地局
701  指示情報決定モジュール
702  スケジューリング情報決定モジュール
703  送信モジュール
800  ユーザ機器
801  受信モジュール
802  指示情報取得モジュール
803  スケジューリング情報取得モジュール
900  基地局
901  受信器
902  送信器
903  プロセッサ
904  メモリ
1000  ユーザ機器
1001  受信器
1002  送信器
1003  プロセッサ
1004  メモリ
【図１】
2019528003.tif 000014
【図２】
2019528003.tif 000015
【図３】
2019528003.tif 000016
【図４】
2019528003.tif 000017
【図５】
2019528003.tif 000018
【図６】
2019528003.tif 000019
【図７】
2019528003.tif 000020
【図８】
2019528003.tif 000021
【図９】
2019528003.tif 000022
【図１０】
2019528003.tif 000023
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
制御情報通信方法であって、
ダウンリンク制御情報（DCI）がマルチキャストのために使用される場合、シングルセル無線ネットワーク一時識別子（SC-RNTI）を使用することによって、前記DCIをスクランブルするステップであって、前記DCIは指示情報およびスケジューリング情報を含み、前記指示情報は、マルチキャスト制御チャネルが更新されたかどうか、および/またはマルチキャストトラフィックチャネルが更新されたかどうかを示すために使用され、前記スケジューリング情報は、マルチキャストチャネルをスケジュールするために使用され、前記マルチキャストチャネルは、前記マルチキャスト制御チャネルおよび/または前記マルチキャストトラフィックチャネルを含む、ステップと、
前記DCIがページングのために使用される場合、ページング無線ネットワーク一時識別子（P-RNTI）を使用することによって、前記DCIをスクランブルするステップと、
第1のダウンリンク制御情報フォーマットを使用することによって、前記DCIをユーザ機器に送信するステップとを含む方法。
【請求項２】
前記第1のダウンリンク制御情報フォーマットは、ダウンリンク制御情報フォーマットDCI format 6-2を含み、または、
前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項1に記載の方法。
【請求項３】
前記指示情報は、1ビットを含む、請求項1に記載の方法。
【請求項４】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項1乃至3のいずれか1項に記載の方法。
【請求項５】
前記マルチキャスト制御チャネルの前記リソースブロック割当てと前記マルチキャストトラフィックチャネルの前記リソースブロック割当てとの間には第1の関連付け関係があり、かつ／または、
前記マルチキャスト制御チャネルの前記変調および符号化方式と前記マルチキャストトラフィックチャネルの前記変調および符号化方式との間には第2の関連付け関係があり、かつ／または、
前記マルチキャスト制御チャネルの前記送信ブロックサイズと前記マルチキャストトラフィックチャネルの前記送信ブロックサイズとの間には第3の関連付け関係があり、かつ／または、
前記マルチキャスト制御チャネルの前記繰返し数と前記マルチキャストトラフィックチャネルの前記繰返し数との間には第4の関連付け関係がある、請求項4に記載の方法。
【請求項６】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項5に記載の方法。
【請求項７】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項1乃至6のいずれか1項に記載の方法。
【請求項８】
制御情報通信方法であって、
第1のダウンリンク制御情報フォーマットを使用することによって、基地局によって送信されたダウンリンク制御情報（DCI）を受信するステップを含み、
前記DCIがマルチキャストのために使用される場合、シングルセル無線ネットワーク一時識別子（SC-RNTI）を使用することによって、前記DCIがスクランブルされ、前記DCIは指示情報およびスケジューリング情報を含み、前記指示情報は、マルチキャスト制御チャネルが更新されたかどうか、および/またはマルチキャストトラフィックチャネルが更新されたかどうかを示すために使用され、前記スケジューリング情報は、マルチキャストチャネルをスケジュールするために使用され、前記マルチキャストチャネルは、前記マルチキャスト制御チャネルおよび/または前記マルチキャストトラフィックチャネルを含み、
前記DCIがページングのために使用される場合、ページング無線ネットワーク一時識別子（P-RNTI）を使用することによって、前記DCIがスクランブルされる、方法。
【請求項９】
前記第1のダウンリンク制御情報フォーマットは、ダウンリンク制御情報フォーマットDCI format 6-2を含み、または、
前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項8に記載の方法。
【請求項１０】
前記指示情報は、1ビットを含む、請求項8に記載の方法。
【請求項１１】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項8乃至10のいずれか1項に記載の方法。
【請求項１２】
前記方法は、
第1の関連付け関係および前記マルチキャスト制御チャネルの前記リソースブロック割当てに基づいて、前記マルチキャストトラフィックチャネルの前記リソースブロック割当てを決定し、または、第1の関連付け関係および前記マルチキャストトラフィックチャネルの前記リソースブロック割当てに基づいて、前記マルチキャスト制御チャネルの前記リソースブロック割当てを決定するステップであって、前記第1の関連付け関係は、前記マルチキャスト制御チャネルの前記リソースブロック割当てと前記マルチキャストトラフィックチャネルの前記リソースブロック割当てとの間の関連付け関係である、ステップ、および/または、
第2の関連付け関係および前記マルチキャスト制御チャネルの前記変調および符号化方式に基づいて、前記マルチキャストトラフィックチャネルの前記変調および符号化方式を決定し、または、第2の関連付け関係および前記マルチキャストトラフィックチャネルの前記変調および符号化方式に基づいて、前記マルチキャスト制御チャネルの前記変調および符号化方式を決定するステップであって、前記第2の関連付け関係は、前記マルチキャスト制御チャネルの前記変調および符号化方式と前記マルチキャストトラフィックチャネルの前記変調および符号化方式との間の関連付け関係である、ステップ、および/または、
第3の関連付け関係および前記マルチキャスト制御チャネルの前記送信ブロックサイズに基づいて、前記マルチキャストトラフィックチャネルの前記送信ブロックサイズを決定し、または、第3の関連付け関係および前記マルチキャストトラフィックチャネルの前記送信ブロックサイズに基づいて、前記マルチキャスト制御チャネルの前記送信ブロックサイズを決定するステップであって、前記第3の関連付け関係は、前記マルチキャスト制御チャネルの前記送信ブロックサイズと前記マルチキャストトラフィックチャネルの前記送信ブロックサイズとの間の関連付け関係である、ステップ、および/または、
第4の関連付け関係および前記マルチキャスト制御チャネルの前記繰返し回数に基づいて、前記マルチキャストトラフィックチャネルの前記繰返し回数を決定し、または、第4の関連付け関係および前記マルチキャストトラフィックチャネルの前記繰返し回数に基づいて、前記マルチキャスト制御チャネルの前記繰返し回数を決定するステップであって、前記第4の関連付け関係は、前記マルチキャスト制御チャネルの前記繰返し回数と前記マルチキャストトラフィックチャネルの前記繰返し回数との間の関連付け関係である、ステップをさらに含む、請求項11に記載の方法。
【請求項１３】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項12に記載の方法。
【請求項１４】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項8乃至13のいずれか1項に記載の方法。
【請求項１５】
制御情報通信装置であって、前記装置は、
実行可能命令を含む記憶媒体と、
プロセッサとを含み、前記実行可能命令は、前記プロセッサによって実行されると、是前記装置に、
ダウンリンク制御情報（DCI）がマルチキャストのために使用される場合、シングルセル無線ネットワーク一時識別子（SC-RNTI）を使用することによって、前記DCIをスクランブルすることであって、前記DCIは指示情報およびスケジューリング情報を含み、前記指示情報は、マルチキャスト制御チャネルが更新されたかどうか、および/またはマルチキャストトラフィックチャネルが更新されたかどうかを示すために使用され、前記スケジューリング情報は、マルチキャストチャネルをスケジュールするために使用され、前記マルチキャストチャネルは、前記マルチキャスト制御チャネルおよび/または前記マルチキャストトラフィックチャネルを含む、スクランブルすることと、
前記DCIがページングのために使用される場合、ページング無線ネットワーク一時識別子（P-RNTI）を使用することによって、前記DCIをスクランブルすることと、
第1のダウンリンク制御情報フォーマットを使用することによって、前記DCIをユーザ機器に送信することとを行わせる、装置。
【請求項１６】
前記第1のダウンリンク制御情報フォーマットは、帯域幅が低減されたユーザ機器によってサポートされるダウンリンク制御情報フォーマットを含む、請求項15に記載の装置。
【請求項１７】
前記指示情報は、1ビットを含む、請求項15に記載の装置。
【請求項１８】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項15乃至17のいずれか1項に記載の装置。
【請求項１９】
前記マルチキャスト制御チャネルの前記リソースブロック割当てと前記マルチキャストトラフィックチャネルの前記リソースブロック割当てとの間には第1の関連付け関係があり、かつ／または、
前記マルチキャスト制御チャネルの前記変調および符号化方式と前記マルチキャストトラフィックチャネルの前記変調および符号化方式との間には第2の関連付け関係があり、かつ／または、
前記マルチキャスト制御チャネルの前記送信ブロックサイズと前記マルチキャストトラフィックチャネルの前記送信ブロックサイズとの間には第3の関連付け関係があり、かつ／または、
前記マルチキャスト制御チャネルの前記繰返し数と前記マルチキャストトラフィックチャネルの前記繰返し数との間には第4の関連付け関係がある、請求項18に記載の装置。
【請求項２０】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項19に記載の装置。
【請求項２１】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項15乃至20のいずれか1項に記載の装置。
【請求項２２】
制御情報通信装置であって、前記装置は、
実行可能命令を含む記憶媒体と、
プロセッサとを含み、前記実行可能命令は、前記プロセッサによって実行されると、是前記装置に、
第1のダウンリンク制御情報フォーマットを使用することによって、基地局によって送信されたダウンリンク制御情報（DCI）を受信することを行わせ、前記DCIがマルチキャストのために使用される場合、シングルセル無線ネットワーク一時識別子（SC-RNTI）を使用することによって、前記DCIがスクランブルされ、前記DCIは指示情報およびスケジューリング情報を含み、前記指示情報は、マルチキャスト制御チャネルが更新されたかどうか、および/またはマルチキャストトラフィックチャネルが更新されたかどうかを示すために使用され前記スケジューリング情報は、マルチキャストチャネルをスケジュールするために使用され、前記マルチキャストチャネルは、前記マルチキャスト制御チャネルおよび/または前記マルチキャストトラフィックチャネルを含み、前記DCIがページングのために使用される場合、ページング無線ネットワーク一時識別子（P-RNTI）を使用することによって、前記DCIがスクランブルされる、装置。
【請求項２３】
前記第1のダウンリンク制御情報フォーマットは、ダウンリンク制御情報フォーマットDCI format 6-2を含み、または、
前記第1のダウンリンク制御情報フォーマットは、マシン型通信MTCユーザ機器によってサポートされるダウンリンク制御情報フォーマットを含み、前記MTCユーザ機器は、帯域幅が低減されたユーザ機器および/またはカバレッジが強化されたユーザ機器を含む、請求項22に記載の装置。
【請求項２４】
前記指示情報は、1ビットを含む、請求項22に記載の装置。
【請求項２５】
前記スケジューリング情報は、前記マルチキャスト制御チャネルのリソースブロック割当てに関する情報、前記マルチキャスト制御チャネルの変調および符号化方式に関する情報、前記マルチキャスト制御チャネルの送信ブロックサイズに関する情報、前記マルチキャスト制御チャネルの繰返し数に関する情報および前記ダウンリンク制御情報の繰返し数のうちの1つまたは複数を含み、かつ／または、
前記スケジューリング情報は、前記マルチキャストトラフィックチャネルのリソースブロック割当てに関する情報、前記マルチキャストトラフィックチャネルの変調および符号化方式に関する情報、前記マルチキャストトラフィックチャネルの送信ブロックサイズに関する情報、前記マルチキャストトラフィックチャネルの繰返し数に関する情報および前記ダウンリンク制御情報の繰返し数のうちの1つまたは複数を含む、請求項22乃至24のいずれか1項に記載の装置。
【請求項２６】
前記実行可能命令は、前記プロセッサによって実行されると、前記装置に、
第1の関連付け関係および前記マルチキャスト制御チャネルの前記リソースブロック割当てに基づいて、前記マルチキャストトラフィックチャネルの前記リソースブロック割当てを決定し、または、第1の関連付け関係および前記マルチキャストトラフィックチャネルの前記リソースブロック割当てに基づいて、前記マルチキャスト制御チャネルの前記リソースブロック割当てを決定することであって、前記第1の関連付け関係は、前記マルチキャスト制御チャネルの前記リソースブロック割当てと前記マルチキャストトラフィックチャネルの前記リソースブロック割当てとの間の関連付け関係である、決定すること、および/または、
第2の関連付け関係および前記マルチキャスト制御チャネルの前記変調および符号化方式に基づいて、前記マルチキャストトラフィックチャネルの前記変調および符号化方式を決定し、または、第2の関連付け関係および前記マルチキャストトラフィックチャネルの前記変調および符号化方式に基づいて、前記マルチキャスト制御チャネルの前記変調および符号化方式を決定することであって、前記第2の関連付け関係は、前記マルチキャスト制御チャネルの前記変調および符号化方式と前記マルチキャストトラフィックチャネルの前記変調および符号化方式との間の関連付け関係である、決定すること、および/または、
第3の関連付け関係および前記マルチキャスト制御チャネルの前記送信ブロックサイズに基づいて、前記マルチキャストトラフィックチャネルの前記送信ブロックサイズを決定し、または、第3の関連付け関係および前記マルチキャストトラフィックチャネルの前記送信ブロックサイズに基づいて、前記マルチキャスト制御チャネルの前記送信ブロックサイズを決定することであって、前記第3の関連付け関係は、前記マルチキャスト制御チャネルの前記送信ブロックサイズと前記マルチキャストトラフィックチャネルの前記送信ブロックサイズとの間の関連付け関係である、決定すること、および/または、
第4の関連付け関係および前記マルチキャスト制御チャネルの前記繰返し回数に基づいて、前記マルチキャストトラフィックチャネルの前記繰返し回数を決定し、または、第4の関連付け関係および前記マルチキャストトラフィックチャネルの前記繰返し回数に基づいて、前記マルチキャスト制御チャネルの前記繰返し回数を決定することであって、前記第4の関連付け関係は、前記マルチキャスト制御チャネルの前記繰返し回数と前記マルチキャストトラフィックチャネルの前記繰返し回数との間の関連付け関係である、決定することをさらに行わせる、請求項25に記載の装置。
【請求項２７】
前記スケジューリング情報は関連付け情報をさらに含み、前記関連付け情報は、前記第1の関連付け関係、前記第2の関連付け関係、前記第3の関連付け関係および前記第4の関連付け関係のうちの1つまたは複数を示す、請求項26に記載の装置。
【請求項２８】
前記スケジューリング情報はNビットを含み、前記Nビットの各々の状態は前記指示情報のビット状態と同じであり、Nは1以上の正の整数であり、または、
前記スケジューリング情報はNビットを含み、前記Nビットの各々の状態は固定値を有するビット状態であり、Nは1以上の正の整数である、請求項22乃至27のいずれか1項に記載の装置。
【請求項２９】
通信デバイスのプロセッサ上で実行されると、請求項1乃至14のいずれか1項に記載の前記方法の前記ステップを前記通信デバイスに実行させる、コンピュータプログラムコードを含むコンピュータプログラム。
【手続補正２】
【補正対象書類名】明細書
【補正対象項目名】全文
【補正方法】変更
【補正の内容】
【発明の詳細な説明】
【技術分野】
【０００１】
本発明の実施形態は通信の分野に関し、詳細には、制御情報送信方法、基地局およびユーザ機器に関する。
【背景技術】
【０００２】
従来技術では、マルチキャスト通信では、シングルセルポイントツーマルチポイント（英語のフルネーム：single-cell point-to-multipoint, 略してSC-PTM）メカニズムが使用される。現在のSC-PTMメカニズムでは、システム情報ブロック（英語のフルネーム：system information block, 略してSIB）20は、シングルセルマルチキャスト制御チャネル（英語のフルネーム：single-cell multicast control channel, 略称：SC-MCCH）のいくつかの設定情報を含み、ユーザ機器（英語のフルネーム：user equipment, 略してUE）は、SIB20に含まれる設定に基づいてSC-MCCHを受信する。
【０００３】
従来技術では、UEは、物理ダウンリンク共有データチャネル（英語のフルネーム：physical downlink shared data channel, 略してPDSCH）をスケジュールするために使用される制御チャネルを最初に受信する必要がある。PDSCHはSC-MCCHを搬送する。制御チャネルの検出に成功した後、UEは、SC-MCCHを搬送するデータチャネルをさらに検出する。UEがデータチャネルの検出に成功した場合、UEは、SC-MCCHに含まれるシングルセルマルチキャストトラフィックチャネル（英語のフルネーム：single-cell multicast traffic channel, 略称：SC-MTCH）の設定情報を学習する。その後、UEはPDSCHをスケジュールする制御チャネルを検出する必要がある。PDSCHはSC-MTCHを搬送する。制御チャネルの検出に成功した後、UEは、SC-MTCHを搬送するデータチャネルをさらに検出する。SC-MTCHは、基地局とUEとの間の通信のために使用されるマルチキャスト情報を含む。
【０００４】
SC-PTMマルチキャスト通信の実際のプロセスでは、SC-MCCHは更新されることがある。従来技術では、SC-MCCHの制御チャネルがスケジュールされる前に、通常は単一の制御チャネルが送信される必要がある。単一の制御チャネルは、SC-MCCHが更新されたかどうかを示すために使用される。制御チャネルが、SC-MCCHが更新されたと示す場合、UEは、前述の方法を使用することによって、SC-MCCHおよびSC-MTCHを受信する。
【０００５】
例えば、従来技術において、SC-MCCHの更新を示す方法では、SC-MCCHに関連する情報が変化した場合、単一のPDCCHが送信される必要がある。PDCCHは、format 1Cを使用することによって、SC-MCCHの更新を通知する。
【０００６】
従って、SC-MCCHが更新されたかどうかを示す更新指示は、単一の制御チャネルを使用することによって送信される必要がある。このように、UEがSC-MTCHを含むPDSCHを受信する必要がある場合、UEは、複数の制御チャネルおよび複数のデータチャネルを受信する必要があり得る。特に、拡張されたカバレッジを有するUEについては、各制御チャネルまたは各データチャネルまたはその両方が、信頼性のある通信を保証するために複数回繰り返し送信される必要がある。このように、システムの通信リソースは、複数の制御チャネルのカバレッジ強化伝送および複数のデータチャネルのカバレッジ強化伝送によって大きく占有され、UEによる検出を実行する複雑さは高くなり、UEの電力消費オーバヘッドは実質的に増加する。
【発明の概要】
【課題を解決するための手段】
【０００７】
本発明の実施形態は、制御情報通信方法、基地局およびユーザ機器を提供し、その結果、マルチキャスト情報通信は単純化されることができ、ユーザ機器による検出を実行する複雑さは低減されることができ、ユーザ機器の電力消費オーバヘッドは低減されることができ、リソース利用は最適化されることができる。
【０００８】
第1の態様によると、本発明の実施形態は制御情報通信方法を提供する。制御情報通信方法は、
指示情報をダウンリンク制御情報に追加するステップであって、ここで、指示情報は、マルチキャスト制御チャネルが更新されたかどうか、および/またはマルチキャストトラフィックチャネルが更新されたかどうかを示すために使用される、ステップと、
マルチキャストチャネルをスケジュールするために使用されるスケジューリング情報をダウンリンク制御情報に追加するステップであって、ここで、マルチキャストチャネルは、マルチキャスト制御チャネルおよび/またはマルチキャストトラフィックチャネルを含む、ステップと、
第1のダウンリンク制御情報フォーマットを使用することによって、ダウンリンク制御情報をユーザ機器に送信するステップとを含む。
【０００９】
本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００１０】
第1の態様を参照すると、第1の態様の第1の可能な実施では、第1のダウンリンク制御情報フォーマットは、ダウンリンク制御情報フォーマットDCI format 6-2を含み、または、
第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００１１】
第1の態様を参照すると、第1の態様の第2の可能な実施では、指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、
指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００１２】
第1の態様または第1の態様の第1の可能なまたは第2の可能な実施を参照すると、第1の態様の第3の可能な実施では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００１３】
第1の態様または第1の態様の第3の可能な実施を参照すると、第1の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００１４】
第1の態様または第1の態様の第3の可能な実施を参照すると、第1の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００１５】
第1の態様の第3の可能な実施を参照すると、第1の態様の第6の可能な実施では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【００１６】
第1の態様の第6の可能な実施を参照すると、第1の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００１７】
第1の態様または第1の態様の第1乃至第7の可能な実施のうちのいずれか1つを参照すると、第1の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００１８】
第1の態様または第1の態様の第1乃至第7の可能な実施のうちのいずれか1つを参照すると、第1の態様の第9の可能な実施では、方法は、
マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するステップをさらに含む。
【００１９】
第2の態様によると、本発明の実施形態は制御情報通信方法を提供する。制御情報通信方法は、
第1のダウンリンク制御情報フォーマットを使用することによって、基地局によって送信されたダウンリンク制御情報を受信するステップと、
指示情報をダウンリンク制御情報から取得するステップであって、ここで、指示情報は、マルチキャスト制御チャネルが更新されたかどうか、および/またはマルチキャストトラフィックチャネルが更新されたかどうかを示すために使用される、ステップと、
ダウンリンク制御情報から、マルチキャストチャネルをスケジュールするために使用されるスケジューリング情報を取得するステップであって、ここで、マルチキャストチャネルは、マルチキャスト制御チャネルおよび/またはマルチキャストトラフィックチャネルを含む、ステップとを含む。
【００２０】
本発明の本実施形態では、ユーザ機器は、スケジューリング情報と指示情報の両方をダウンリンク制御情報において検出してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００２１】
第2の態様を参照すると、第2の態様の第1の可能な実施では、第1のダウンリンク制御情報フォーマットは、ダウンリンク制御情報フォーマットDCI format 6-2を含み、または、
第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００２２】
マルチキャスト情報通信の制御チャネルはDCI format 6-2に基づいて実施され得るため、ダウンリンク制御情報通信は、既存のDCIフォーマットを使用することによって実施され得る。
【００２３】
第2の態様を参照すると、第2の態様の第2の可能な実施では、指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、
指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００２４】
第2の態様または第2の態様の第1の可能なまたは第2の可能な実施を参照すると、第2の態様の第3の可能な実施では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００２５】
第2の態様または第2の態様の第3の可能な実施を参照すると、第2の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００２６】
第2の態様または第2の態様の第3の可能な実施を参照すると、第2の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００２７】
第2の態様の第3の可能な実施を参照すると、第2の態様の第6の可能な実施では、ダウンリンク制御情報から、マルチキャストチャネルをスケジュールするために使用されるスケジューリング情報を取得するステップは、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するステップであって、ここで、第1の関連付け関係は、マルチキャスト制御チャネルのリソースブロック割当てとマルチキャストトラフィックチャネルのリソースブロック割当てとの間の関連付け関係である、ステップ、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するステップであって、ここで、第2の関連付け関係は、マルチキャスト制御チャネルの変調および符号化方式とマルチキャストトラフィックチャネルの変調および符号化方式との間の関連付け関係である、ステップ、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するステップであって、ここで、第3の関連付け関係は、マルチキャスト制御チャネルの送信ブロックサイズとマルチキャストトラフィックチャネルの送信ブロックサイズとの間の関連付け関係である、ステップ、および/または、
第4の関連付け関係およびマルチキャスト制御チャネルの繰返し回数に基づいて、マルチキャストトラフィックチャネルの繰返し回数を決定し、または、第4の関連付け関係およびマルチキャストトラフィックチャネルの繰返し回数に基づいて、マルチキャスト制御チャネルの繰返し回数を決定するステップであって、ここで、第4の関連付け関係は、マルチキャスト制御チャネルの繰返し回数とマルチキャストトラフィックチャネルの繰返し回数との間の関連付け関係である、ステップを含む。
【００２８】
第2の態様の第6の可能な実施を参照すると、第2の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００２９】
第2の態様または第2の態様の第1乃至第7の可能な実施を参照すると、第2の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００３０】
第2の態様または第2の態様の第1乃至第7の可能な実施を参照すると、第2の態様の第9の可能な実施では、方法は、
マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するステップ、または、
マルチキャスト制御チャネルが追加されるシステム情報ブロックを受信し、マルチキャスト制御チャネルをシステム情報ブロックから取得するステップをさらに含む。
【００３１】
第3の態様によると、本発明の実施形態は基地局を提供する。基地局は、
指示情報をダウンリンク制御情報に追加するように構成される指示情報決定モジュールであって、ここで、指示情報は、マルチキャスト制御チャネルが更新されたかどうか、および/またはマルチキャストトラフィックチャネルが更新されたかどうかを示すために使用される、指示情報決定モジュールと、
マルチキャストチャネルをスケジュールするために使用されるスケジューリング情報をダウンリンク制御情報に追加するように構成されるスケジューリング情報決定モジュールであって、ここで、マルチキャストチャネルは、マルチキャスト制御チャネルおよび/またはマルチキャストトラフィックチャネルを含む、スケジューリング情報決定モジュールと、
第1のダウンリンク制御情報フォーマットを使用することによって、ダウンリンク制御情報をユーザ機器に送信するように構成される送信モジュールとを含む。
【００３２】
本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００３３】
第3の態様を参照すると、第3の態様の第1の可能な実施では、送信モジュールによって使用される第1のダウンリンク制御情報フォーマットは、ダウンリンク制御情報フォーマットDCI format 6-2を含み、または、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００３４】
第3の態様を参照すると、第3の態様の第2の可能な実施では、指示情報決定モジュールによって決定される指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００３５】
第3の態様または第3の態様の第1の可能なまたは第2の可能な実施を参照すると、第3の態様の第3の可能な実施では、スケジューリング情報決定モジュールによって決定されるスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００３６】
第3の態様または第3の態様の第3の可能な実施を参照すると、第3の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００３７】
第3の態様または第3の態様の第3の可能な実施を参照すると、第3の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００３８】
第3の態様の第3の可能な実施を参照すると、第3の態様の第6の可能な実施では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【００３９】
第3の態様の第6の可能な実施を参照すると、第3の態様の第7の可能な実施では、スケジューリング情報決定モジュールによって決定されるスケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００４０】
第3の態様または第3の態様の第1乃至第7の可能な実施を参照すると、第3の態様の第8の可能な実施では、スケジューリング情報はNビットを含み、Nビットの各々の状態は指示情報のビット状態と同じであり、Nは1以上の正の整数であり、または、スケジューリング情報はNビットを含み、Nビットの各々の状態は固定値を有するビット状態であり、Nは1以上の正の整数である。
【００４１】
第3の態様または第3の態様の第1乃至第7の可能な実施を参照すると、第3の態様の第9の可能な実施では、送信モジュールは、マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するようにさらに構成される。
【００４２】
第4の態様によると、本発明の実施形態はユーザ機器を提供する。ユーザ機器は、
第1のダウンリンク制御情報フォーマットを使用することによって、基地局によって送信されたダウンリンク制御情報を受信するように構成される受信モジュールと、
指示情報をダウンリンク制御情報から取得するように構成される指示情報取得モジュールであって、ここで、指示情報は、マルチキャスト制御チャネルが更新されたかどうか、および/またはマルチキャストトラフィックチャネルが更新されたかどうかを示すために使用される、指示情報取得モジュールと、
ダウンリンク制御情報から、マルチキャストチャネルをスケジュールするために使用されるスケジューリング情報を取得するように構成されるスケジューリング情報取得モジュールであって、ここで、マルチキャストチャネルは、マルチキャスト制御チャネルおよび/またはマルチキャストトラフィックチャネルを含む、スケジューリング情報取得モジュールとを含む。
【００４３】
本発明の本実施形態では、ユーザ機器は、スケジューリング情報と指示情報の両方をダウンリンク制御情報において検出してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００４４】
第4の態様を参照すると、第4の態様の第1の可能な実施では、受信モジュールによって使用される第1のダウンリンク制御情報フォーマットは、ダウンリンク制御情報フォーマットDCI format 6-2を含み、または、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【００４５】
第4の態様を参照すると、第4の態様の第2の可能な実施では、指示情報取得モジュールによって取得される指示情報は、1ビットを占有する第1の情報を含み、1の状態を有する第1の情報はマルチキャスト制御チャネルが更新されたことを示し、または、0の状態を有する第1の情報はマルチキャスト制御チャネルが更新されていないことを示し、または、指示情報は、1ビットを占有する第2の情報を含み、0の状態を有する第2の情報はマルチキャスト制御チャネルが更新されたことを示し、または、1の状態を有する第2の情報はマルチキャスト制御チャネルが更新されていないことを示す。
【００４６】
第4の態様または第4の態様の第1の可能なまたは第2の可能な実施を参照すると、第4の態様の第3の可能な実施では、スケジューリング情報取得モジュールによって取得されるスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００４７】
第4の態様または第4の態様の第3の可能な実施を参照すると、第4の態様の第4の可能な実施では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００４８】
第4の態様または第4の態様の第3の可能な実施を参照すると、第4の態様の第5の可能な実施では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００４９】
第4の態様の第3の可能な実施を参照すると、第4の態様の第6の可能な実施では、スケジューリング情報取得モジュールは、具体的には、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するように構成され、ここで、第1の関連付け関係は、マルチキャスト制御チャネルのリソースブロック割当てとマルチキャストトラフィックチャネルのリソースブロック割当てとの間の関連付け関係であり、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するように構成され、ここで、第2の関連付け関係は、マルチキャスト制御チャネルの変調および符号化方式とマルチキャストトラフィックチャネルの変調および符号化方式との間の関連付け関係であり、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するように構成され、ここで、第3の関連付け関係は、マルチキャスト制御チャネルの送信ブロックサイズとマルチキャストトラフィックチャネルの送信ブロックサイズとの間の関連付け関係であり、および/または、
第4の関連付け関係およびマルチキャスト制御チャネルの繰返し回数に基づいて、マルチキャストトラフィックチャネルの繰返し回数を決定し、または、第4の関連付け関係およびマルチキャストトラフィックチャネルの繰返し回数に基づいて、マルチキャスト制御チャネルの繰返し回数を決定するように構成され、ここで、第4の関連付け関係は、マルチキャスト制御チャネルの繰返し回数とマルチキャストトラフィックチャネルの繰返し回数との間の関連付け関係である。
【００５０】
第4の態様の第6の可能な実施を参照すると、第4の態様の第7の可能な実施では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【００５１】
第4の態様または第4の態様の第1乃至第7の可能な実施を参照すると、第4の態様の第8の可能な実施では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【００５２】
第4の態様または第4の態様の第1乃至第7の可能な実施を参照すると、第4の態様の第9の可能な実施では、受信モジュールは、マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するようにさらに構成され、または、マルチキャスト制御チャネルが追加されるシステム情報ブロックを受信し、マルチキャスト制御チャネルをシステム情報ブロックから取得するようにさらに構成される。
【図面の簡単な説明】
【００５３】
【図１】図1は、本発明に係る制御情報通信方法が適用される通信システムのシステム構成図である。
【図２】図2は、本発明の実施形態に係る制御情報通信方法の概略ブロックフロー図である。
【図３】図3は、本発明の実施形態に係る別の制御情報通信方法の概略ブロックフロー図である。
【図４】図4は、本発明の実施形態に係る、MPDCCHがSC-MCCHの更新を示し、SC-MCCHもまたスケジュールする適用シナリオの概略図である。
【図５】図5は、本発明の実施形態に係る、SIB20メッセージを使用することによってSC-MCCHがスケジュールされる適用シナリオの概略図である。
【図６】図6は、本発明の実施形態に係る、SIB20メッセージがSC-MCCHを含む適用シナリオの概略図である。
【図７】図7は、本発明の実施形態に係る、基地局の概略構造構成図である。
【図８】図8は、本発明の実施形態に係る、ユーザ機器の概略構成構造図である。
【図９】図9は、本発明の実施形態に係る、別の基地局の概略構成構造図である。
【図１０】図10は、本発明の実施形態に係る、別のユーザ機器の概略構成構造図である。
【発明を実施するための形態】
【００５４】
本発明の実施形態は、制御情報通信方法、基地局およびユーザ機器を提供し、その結果、マルチキャストチャネル通信は単純化されることができ、ユーザ機器による検出を実行する複雑さは低減されることができ、ユーザ機器の電力消費オーバヘッドは低減されることができ、リソース利用は最適化されることができる。
【００５５】
本発明の発明の目的、特徴および利点をより明確かつより理解し易くするために、以下では、本発明の実施形態における添付図面を参照して、本発明の実施形態における技術的解決手段を明確かつ完全に説明する。明らかに、以下で説明される実施形態は単に本発明の実施形態の全てではなく一部である。本発明の実施形態に基づいて当業者によって得られる全ての他の実施形態は、本発明の保護範囲に包含されるべきである。
【００５６】
本発明の明細書、特許請求の範囲および添付図面において、「第1」、「第2」等の用語は、類似の対象の間で区別するように意図されているが、必ずしも特定の順序またはシーケンスを示さない。このような方法で使用される用語は、適切な状況において交換可能であり、これは単に、同じ属性を有する対象が本発明の実施形態において説明されるときに使用される区別の方式であることは理解されるべきである。加えて、「含む（include）」、「含む（contain）」および任意の他の変形の用語は、非排他的な包含をカバーすることを意味しており、その結果、一連のユニットを含むプロセス、方法、システム、製品またはデバイスは、必ずしもこれらのユニットに限定されないが、明示的に列挙されていない、またはこのようなプロセス、方法、システム、製品またはデバイスに固有の他のユニットを含み得る。
【００５７】
本発明の制御情報通信方法が適用されるシステム構成が最初に簡潔に説明される。本発明は主に、LTEシステムまたはロングタームエボリューションアドバンスト（LTE-A, LTE Advanced）システムに適用される。本発明はまた、通信システムが情報を送信することができるエンティティおよび情報を受信することができる別のエンティティを含む限り、広帯域符号分割多元接続（Wideband Code Division Multiple Access, WCDMA（登録商標））システムまたは時分割同期符号分割多元接続（Time Division-Synchronous Code Division Multiple Access, TD-SCDMA）システム等の別の通信システムに適用されてよい。
【００５８】
本発明の実施形態における通信は、送信であっても受信であってもよい。通信中、一方のデバイスの処理が送信である場合、その一方のデバイスに対応する他方の通信デバイスの処理は受信であり、または、一方のデバイスの処理が受信である場合、その一方のデバイスに対応する他方の通信デバイスの処理は送信である。本発明の実施形態におけるカバレッジ強化は、繰返し送信、スペクトル拡散送信、再送信、時間間隔バンドリング送信、狭帯域（例えば、サブキャリアスケジューリング）送信、超狭帯域（例えば、数十ヘルツから数十キロヘルツの帯域幅範囲）送信、パワースペクトル密度向上送信、要求低減送信および連続的に試行される送信のうちの1つまたは複数であってよい。低コスト端末または低複雑度端末は、非低コスト端末または非低複雑度端末の動作帯域幅未満の動作帯域幅を有する端末デバイスを指す。動作帯域幅は、処理帯域幅、無線周波数処理帯域幅およびベースバンド処理帯域幅のうちの1つまたは複数であってよい。例えば、動作帯域幅は1.4 MHz（または200 KHzまたは180 KHz）である。動作帯域幅は、特定の周波数帯域幅を有する周波数リソースである。動作帯域幅は、1つまたは複数のサブキャリア（例えば、サブキャリアのサイズは15 KHz、または2.5 KHz、または3.75 KHzである）を含んでよく、または、1つまたは複数のリソースブロックを含んでよい。
【００５９】
図1を参照すると、図1は本発明における制御情報通信方法が適用される通信システムのシステム構成図である。図1に示されるように、基地局（英語の名前：base station）およびユーザ機器（user equipment, UE）1からUE 6が通信システムを構成する。通信システムでは、基地局は、システム情報、RARメッセージおよびページングメッセージのうちの1つまたは複数をUE 1からUE 6のうちの1つまたは複数に送信する。基地局は本発明の制御情報通信方法における送信側デバイスであり、UE 1からUE 6は本発明の制御情報通信方法における受信側デバイスである。加えて、UE 4からUE 6はまた、通信システムを構成する。通信システムでは、UE 5は基地局の機能を適用してよく、UE 5は、システム情報、RARメッセージおよびページングメッセージのうちの1つまたは複数をUE 4およびUE 6のうちの1つまたは複数に送信してよい。
【００６０】
詳細な説明が以下で別々に提供される。
【００６１】
本発明の制御情報通信方法の実施形態は、基地局がUEに制御情報を送信するシナリオに適用されてよく、その結果、マルチキャスト情報通信手順は最適化され、制御情報通信および/またはデータチャネル通信のステップが低減され、リソース利用が最適化される。図2を参照すると、制御情報通信方法は以下のステップを含んでよい。
【００６２】
201. 指示情報をダウンリンク制御情報に追加し、ここで、指示情報は、マルチキャスト制御チャネルが更新されたかどうか、および/またはマルチキャストトラフィックチャネルが更新されたかどうかを示すために使用される。
【００６３】
本発明の本実施形態では、基地局はUEにサービスを提供する。UEは具体的には、マシン型通信（machine type communication, MTC）ユーザ機器、すなわち、低複雑度ユーザ機器または低電力消費ユーザ機器またはカバレッジが強化されたユーザ機器等を含んでよい。通常、低複雑度ユーザ機器または低電力消費ユーザ機器によってサポートされる動作帯域幅は、通常のユーザ機器の動作帯域幅未満である。
【００６４】
本発明の本実施形態では、マルチキャスト制御チャネルはSC-MCCHまたはMCCHであってよく、マルチキャストトラフィックチャネルはSC-MTCHまたはMTCHであってよい。
【００６５】
現在の適用シナリオでは、マルチキャスト制御チャネルが更新されることがあり、またはマルチキャストトラフィックチャネルが更新されることがある。チャネルの更新は通常、単一チャネルを使用することによって示される必要がある。本発明の本実施形態では、もはや、チャネルの更新は単一のチャネルを使用することによって示されるのではなく、ダウンリンク制御情報を使用することによって示される。例えば、SC-MCCHが更新される場合、または、割り当てられたMBMSセッションが変化した場合、または割り当てられた無線リソースが変化した場合、基地局は指示情報を生成してよく、指示情報はSC-MCCHが更新されたことを示し、基地局は指示情報をダウンリンク制御情報に追加する。加えて、指示情報はまた、マルチキャストトラフィックチャネルの更新を示してもよい。以下に示されるように、マルチキャスト情報通信のために使用される制御チャネルは、SC-MCCH（および/またはSC-MTCH）の更新指示を含む。例えば、マルチキャスト情報通信のために使用される制御チャネル内の1ビットは指示情報として使用され、指示情報は、SC-MCCH（および/またはSC-MTCH）が更新されたかどうかを示すために使用される。
【００６６】
本発明のいくつかの実施形態では、指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、
指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【００６７】
202. マルチキャストチャネルをスケジュールするために使用されるスケジューリング情報をダウンリンク制御情報に追加し、ここで、マルチキャストチャネルは、マルチキャスト制御チャネルおよび/またはマルチキャストトラフィックチャネルを含む。
【００６８】
本発明の本実施形態では、前述の指示情報に加えて、スケジューリング情報はまた、ダウンリンク制御情報に追加されてよく、スケジューリング情報がマルチキャストチャネルをスケジュールするために使用される。具体的には、マルチキャストチャネルは、マルチキャスト制御チャネルおよび/またはマルチキャストトラフィックチャネルである。スケジューリング情報は、マルチキャスト制御チャネルをスケジュールするために使用されてよく、または、マルチキャストトラフィックチャネルをスケジュールするために使用されてよい。前述のステップにおける説明から、本発明の本実施形態では、基地局は、スケジューリング情報と指示情報の両方をダウンリンク制御情報に追加してよく、従って、マルチキャスト制御チャネルが更新されたかどうか、および/またはマルチキャストトラフィックチャネルが更新されたかどうかは、単一のチャネルを使用することによって示される必要はなく、その結果、リソース利用は最適化されることができることがわかる。
【００６９】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００７０】
例えば、マルチキャスト情報通信のために使用される制御チャネルは、マルチキャスト制御チャネルをスケジュールするために使用されるスケジューリング情報をさらに含んでよく、マルチキャスト制御チャネルをスケジュールするために使用されるスケジューリング情報は、マルチキャスト制御チャネルのリソースブロック割当て、マルチキャスト制御チャネルの変調および符号化方式（または送信ブロックサイズ）、マルチキャスト制御チャネルの繰返し数およびDCIサブフレームの繰返し数のうちの1つまたは複数を含んでよい。
【００７１】
さらに、本発明のいくつかの実施形態では、スケジューリング情報がマルチキャスト制御チャネルをスケジュールするために使用される場合、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００７２】
以上では、例を使用することによってスケジューリング情報の可能な実施のみを適宜説明したが、本発明はこれらに限定されない。
【００７３】
さらに、本発明のいくつかの実施形態では、スケジューリング情報がマルチキャストトラフィックチャネルをスケジュールするために使用される場合、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【００７４】
以上では、例を使用することによってスケジューリング情報の可能な実施のみを適宜説明したが、本発明はこれらに限定されない。
【００７５】
本発明のいくつかの実施形態では、マルチキャスト制御チャネルのスケジューリングとマルチキャストトラフィックチャネルのスケジューリングとの間に関連付け関係がある。例えば、マルチキャスト制御チャネルのリソースブロック割当てとマルチキャストトラフィックチャネルのリソースブロック割当てとの間には第1の関連付け関係があり、かつ／または、マルチキャスト制御チャネルの変調および符号化方式とマルチキャストトラフィックチャネルの変調および符号化方式との間には第2の関連付け関係があり、かつ／または、マルチキャスト制御チャネルの送信ブロックサイズとマルチキャストトラフィックチャネルの送信ブロックサイズとの間には第3の関連付け関係があり、かつ／または、マルチキャスト制御チャネルの繰返し数とマルチキャストトラフィックチャネルの繰返し数との間には第4の関連付け関係がある。
【００７６】
マルチキャスト制御チャネルのスケジューリングとマルチキャストトラフィックチャネルのスケジューリングとの間の関連付け関係は、前述の例に限定されない。システムは、第1の関連付け関係、第2の関連付け関係、第3の関連付け関係および第4の関連付け関係のうちの1つまたは複数を事前に指定してよい。基地局はまた、第1の関連付け関係、第2の関連付け関係、第3の関連付け関係および第4の関連付け関係のうちの1つまたは複数を示し、または構成してもよい。基地局は、前述の関連付け関係を使用することによって、マルチキャスト制御チャネルおよびマルチキャストトラフィックチャネルをスケジュールする方法を決定してよい。加えて、ユーザ機器は、前述の関連付け関係を使用することによって、マルチキャスト制御チャネルおよびマルチキャストトラフィックチャネルを受信する方法を決定してよい。
【００７７】
以下に示されるように、同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、SC-MCCH送信の狭帯域に狭帯域シフトを追加することによって取得される。狭帯域シフトは、SC-MCCH送信の狭帯域からSC-MTCH送信の狭帯域までのオフセットを示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであることを示し、狭帯域シフトがkである場合、SC-MTCH送信における狭帯域のインデックスはn+kである。
【００７８】
さらに、本発明のいくつかの実施形態では、DCIにおけるスケジューリング情報は関連付け情報をさらに含む。関連付け情報は、第1の関連付け関係、第2の関連付け関係、第3の関連付け関係および第4の関連付け関係のうちの1つまたは複数を示す。すなわち、基地局は、第1の関連付け関係、第2の関連付け関係、第3の関連付け関係および第4の関連付け関係のうちの1つまたは複数を、スケジューリング情報を使用することによって、ユーザ機器にさらに送信してよく、その結果、ユーザ機器は、スケジューリング情報を使用することによって、第1の関連付け関係、第2の関連付け関係、第3の関連付け関係および第4の関連付け関係のうちの1つまたは複数を取得することができる。
【００７９】
本発明のいくつかの実施形態では、スケジューリング情報はNビットを含み、Nビットの各々の状態は、指示情報のビット状態と同じであり、Nは1以上の正の整数である。あるいは、スケジューリング情報はNビットを含み、Nビットの各々の状態は、固定値を有するビット状態であり、Nは1以上の正の整数である。
【００８０】
以下に示されるように、SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。Nビットの状態は指示情報のビット状態と同じであり、またはNビットの状態は固定値を有し、その結果、指示情報の繰返し送信またはDCI送信のチェックが実施されてよく、指示情報通信の信頼性が改善され、誤ったアラームの可能性が低減される。
【００８１】
本発明のいくつかの実施形態では、前述のステップに加えて、本発明の制御情報通信方法は、
マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するステップをさらに含んでよい。
【００８２】
マルチキャストチャネルがマルチキャストトラフィックチャネルのみを含む場合、すなわち、ステップ202におけるスケジューリング情報がマルチキャストトラフィックチャネルをスケジュールするためにのみ使用されることができる場合、この実施シナリオでは、本発明の本実施形態は、マルチキャスト制御チャネルをスケジュールする方法をさらに説明する。例えば、マルチキャスト制御チャネルは、システム情報ブロックを使用することによってスケジュールされてよい。あるいは、マルチキャスト情報通信のステップを低減するために、マルチキャスト制御チャネルはシステム情報ブロックに直接追加される。このようにして、基地局によって送信されたシステム情報ブロックを受信した後、ユーザ機器はシステム情報ブロック内のマルチキャスト制御チャネルを取得することができる。
【００８３】
203. 第1のダウンリンク制御情報フォーマットを使用することによって、ダウンリンク制御情報をユーザ機器に送信する。
【００８４】
本発明の本実施形態では、前述の指示情報および前述のスケジューリング情報は、ダウンリンク制御情報に追加され、基地局は、第1のダウンリンク制御情報フォーマットを使用することによって、ダウンリンク制御情報をユーザ機器に送信してよい。ユーザ機器は、事前に設定された、または事前に指定された第1のダウンリンク制御情報フォーマットに基づいてダウンリンク制御情報を受信してよい。受信されたダウンリンク制御情報を解析することによって、ユーザ機器は、指示情報およびスケジューリング情報を取得することができ、その結果、ユーザ機器による複数回の異なるチャネルの検出によって生じるオーバヘッドは低減され、リソース利用効率は改善され、情報通信遅延が低減される。
【００８５】
本発明のいくつかの実施形態では、第1のダウンリンク制御情報フォーマットはダウンリンク制御情報フォーマット（DCI format）6-2を含む。あるいは、第1のダウンリンク制御情報フォーマットは、マシン型通信MTCユーザ機器によってサポートされるダウンリンク制御情報フォーマットを含む。MTCユーザ機器は、帯域幅が低減されたユーザ機器および/またはカバレッジが強化されたユーザ機器を含む。本発明の本実施形態では、ダウンリンク制御情報を送信するときに基地局によって使用され得る第1のダウンリンク制御情報フォーマットは、具体的には、DCI format 6-2であり得る。DCI format 6-2は、負荷が小さく、ページングメッセージの繰返しをサポートする。従って、マルチキャスト情報通信のために使用される制御チャネルは、DCI format 6-2に基づいて実施されてよい。例えば、制御チャネルがマルチキャスト情報通信に関連している場合、制御チャネルは第1のRNTIを使用することによってスクランブルされる。制御チャネルがページングメッセージ通信に関連している場合、制御チャネルは、ページング無線ネットワーク一時識別子（paging radio network temporary identifier, P-RNTI）を使用することによってスクランブルされる。ここでの第1のRNTIはP-RNTIとは異なるRNTIである。例えば、第1のRNTIは、SC-RNTI（single cell radio network temporary identifier）またはSC-N-RNTI（single cell notification radio network temporary identifier）である。加えて、本発明の本実施形態では、ダウンリンク制御情報を送信するときに基地局によって使用され得る第1のダウンリンク制御情報フォーマットは、MTCユーザ機器によってサポートされることができるダウンリンク制御情報フォーマットである。MTCユーザ機器は、基地局によって送信されたダウンリンク制御情報を受信してよい。
【００８６】
本発明の例である前述の実施形態から、指示情報はダウンリンク制御情報に追加され、ここで、指示情報は、マルチキャスト制御チャネルが更新されたかどうか、および/またはマルチキャストトラフィックチャネルが更新されたかどうかを示すために使用され、マルチキャストチャネルをスケジュールするために使用されるスケジューリング情報はダウンリンク制御情報に追加され、ここで、マルチキャストチャネルは、マルチキャスト制御チャネルおよび/またはマルチキャストトラフィックチャネルを含み、最後に、第1のダウンリンク制御情報フォーマットを使用することによって、ダウンリンク制御情報はユーザ機器に送信されることがわかる。本発明の本実施形態では、基地局は、スケジューリング情報と指示情報の両方をダウンリンク制御情報に追加してよい。従って、マルチキャスト制御チャネルが更新されたかどうか、および/またはマルチキャストトラフィックチャネルが更新されたかどうかを示すために単一のチャネルを使用する必要はなく、その結果、マルチキャストチャネルの更新の指示は単純化されることができ、ユーザ機器による検出を実行する複雑さは低減されることができ、ユーザ機器の電力消費オーバヘッドは低減されることができ、リソース利用は最適化されることができる。
【００８７】
前述の実施形態は、基地局側から、本発明の実施形態で提供される制御情報通信方法を説明している。以下では、UE側から、発明の実施形態で提供される制御情報通信方法を説明する。本発明の制御情報通信方法の実施形態は、どのようにUEがダウンリンク制御情報を受信するかのシナリオに適用されてよい。図3を参照すると、制御情報通信方法は以下のステップを含んでよい。
【００８８】
301. 第1のダウンリンク制御情報フォーマットを使用することによって、基地局によって送信されたダウンリンク制御情報を受信する。
【００８９】
本発明の本実施形態では、基地局はUEにサービスを提供する。UEは具体的には、MTCユーザ機器、すなわち、低複雑度ユーザ機器または低電力消費ユーザ機器またはカバレッジが強化されたユーザ機器等を含んでよい。通常、低複雑度ユーザ機器または低電力消費ユーザ機器によってサポートされる動作帯域幅は、通常のユーザ機器の動作帯域幅未満である。ユーザ機器は、事前に設定された、または事前に指定された第1のダウンリンク制御情報フォーマットに基づいて、基地局によって送信されたダウンリンク制御情報を受信する。
【００９０】
本発明のいくつかの実施形態では、第1のダウンリンク制御情報フォーマットはダウンリンク制御情報フォーマット（DCI format）6-2を含む。あるいは、第1のダウンリンク制御情報フォーマットは、マシン型通信MTCユーザ機器によってサポートされるダウンリンク制御情報フォーマットを含む。MTCユーザ機器は、帯域幅が低減されたユーザ機器および/またはカバレッジが強化されたユーザ機器を含む。本発明の本実施形態では、ダウンリンク制御情報を受信するときにユーザ機器によって使用され得る第1のダウンリンク制御情報フォーマットは、具体的には、DCI format 6-2であり得る。DCI format 6-2は、負荷が小さく、ページングメッセージの繰返しをサポートする。従って、マルチキャスト情報通信のために使用される制御チャネルは、DCI format 6-2に基づいて実施されてよい。
【００９１】
302. 指示情報をダウンリンク制御情報から取得し、ここで、指示情報は、マルチキャスト制御チャネルが更新されたかどうか、および/またはマルチキャストトラフィックチャネルが更新されたかどうかを示すために使用される。
【００９２】
本発明の本実施形態では、ユーザ機器が基地局によって送信されたダウンリンク制御情報を受信した後、ユーザ機器は、次いで、ダウンリンク制御情報を検出することによって、指示情報を取得してよい。ユーザ機器は、取得された指示情報を使用することによって、マルチキャスト制御チャネルが更新されたかどうか、および/またはマルチキャストトラフィックチャネルが更新されたかどうかを決定してよい。ユーザ機器は、単一の制御チャネルを検出することによって、マルチキャスト制御チャネルが更新されたかどうか、および/またはマルチキャストトラフィックチャネルが更新されたかどうかを決定する必要がなく、それによって、ユーザ機器による検出を実行する複雑さを低減する。
【００９３】
本発明のいくつかの実施形態では、指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、
指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【００９４】
303. ダウンリンク制御情報から、マルチキャストチャネルをスケジュールするために使用されるスケジューリング情報を取得し、ここで、マルチキャストチャネルは、マルチキャスト制御チャネルおよび/またはマルチキャストトラフィックチャネルを含む。
【００９５】
本発明の本実施形態では、前述の指示情報に加えて、ユーザ機器は、ダウンリンク制御情報からスケジューリング情報をさらに取得してよい。スケジューリング情報は、マルチキャストチャネルをスケジュールするために使用される。具体的には、マルチキャストチャネルは、マルチキャスト制御チャネルおよび/またはマルチキャストトラフィックチャネルである。スケジューリング情報は、マルチキャスト制御チャネルをスケジュールするために使用されてよく、または、マルチキャストトラフィックチャネルをスケジュールするために使用されてよい。前述のステップにおける説明から、本発明の本実施形態では、スケジューリング情報と指示情報の両方が、ユーザ機器によって受信されたダウンリンク制御情報に追加され、従って、ユーザ機器は、マルチキャスト制御チャネルが更新されたかどうか、および/またはマルチキャストトラフィックチャネルが更新されたかどうかを学習するために単一の制御チャネルを検出する必要がないことがわかる。このように、ユーザ機器による検出を実行する複雑さは低減され、ユーザ機器の電力消費オーバヘッドは低減され、システムのリソース利用が最適化される。
【００９６】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、
スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【００９７】
例えば、マルチキャスト情報通信のために使用される制御チャネルは、マルチキャスト制御チャネルをスケジュールするために使用されるスケジューリング情報をさらに含んでよく、マルチキャスト制御チャネルをスケジュールするために使用されるスケジューリング情報は、マルチキャスト制御チャネルのリソースブロック割当て、マルチキャスト制御チャネルの変調および符号化方式（または送信ブロックサイズ）、マルチキャスト制御チャネルの繰返し数およびDCIサブフレームの繰返し数のうちの1つまたは複数を含んでよい。
【００９８】
さらに、本発明のいくつかの実施形態では、スケジューリング情報がマルチキャスト制御チャネルをスケジュールするために使用される場合、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【００９９】
以上では、例を使用することによってスケジューリング情報の可能な実施のみを適宜説明したが、本発明はこれらに限定されない。
【０１００】
さらに、本発明のいくつかの実施形態では、スケジューリング情報がマルチキャストトラフィックチャネルをスケジュールするために使用される場合、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１０１】
以上では、例を使用することによってスケジューリング情報の可能な実施のみを適宜説明したが、本発明はこれらに限定されない。
【０１０２】
本発明のいくつかの実施形態では、ダウンリンク制御情報から、マルチキャストチャネルをスケジュールするために使用されるスケジューリング情報を取得するステップ303は、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するステップであって、ここで、第1の関連付け関係は、マルチキャスト制御チャネルのリソースブロック割当てとマルチキャストトラフィックチャネルのリソースブロック割当てとの間の関連付け関係である、ステップ、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するステップであって、ここで、第2の関連付け関係は、マルチキャスト制御チャネルの変調および符号化方式とマルチキャストトラフィックチャネルの変調および符号化方式との間の関連付け関係である、ステップ、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するステップであって、ここで、第3の関連付け関係は、マルチキャスト制御チャネルの送信ブロックサイズとマルチキャストトラフィックチャネルの送信ブロックサイズとの間の関連付け関係である、ステップ、および/または、
第4の関連付け関係およびマルチキャスト制御チャネルの繰返し回数に基づいて、マルチキャストトラフィックチャネルの繰返し回数を決定し、または、第4の関連付け関係およびマルチキャストトラフィックチャネルの繰返し回数に基づいて、マルチキャスト制御チャネルの繰返し回数を決定するステップであって、ここで、第4の関連付け関係は、マルチキャスト制御チャネルの繰返し回数とマルチキャストトラフィックチャネルの繰返し回数との間の関連付け関係である、ステップを含む。
【０１０３】
ユーザ機器は、事前設定または基地局によって送信された受信されたシグナリングに基づいて、第1の関連付け関係、第2の関連付け関係、第3の関連付け関係および第4の関連付け関係のうちの1つまたは複数を取得してよい。マルチキャストトラフィックチャネルのスケジューリング情報は、マルチキャスト制御チャネルの既知のスケジューリング情報および関連付け関係に基づいて決定されてよい。あるいは、マルチキャスト制御チャネルのスケジューリング情報は、マルチキャストトラフィックチャネルの既知のスケジューリング情報および関連付け関係に基づいて決定されてよい。
【０１０４】
以下に示されるように、同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、狭帯域シフトによってSC-MCCH送信の狭帯域を増加させることによって取得される。狭帯域シフトは、SC-MTCH送信の狭帯域とSC-MCCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであり、狭帯域シフトがkであることを示す場合、SC-MTCH送信における狭帯域のインデックスはn+kである。
【０１０５】
さらに、本発明のいくつかの実施形態では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。すなわち、基地局は、第1の関連付け関係、第2の関連付け関係、第3の関連付け関係および第4の関連付け関係のうちの1つまたは複数を、スケジューリング情報を使用することによって、ユーザ機器にさらに送信してよく、その結果、ユーザ機器は、スケジューリング情報を使用することによって、第1の関連付け関係、第2の関連付け関係、第3の関連付け関係および第4の関連付け関係のうちの1つまたは複数を取得することができる。
【０１０６】
本発明のいくつかの実施形態では、スケジューリング情報はNビットを含み、Nビットの各々の状態は、指示情報のビット状態と同じであり、Nは1以上の正の整数である。あるいは、スケジューリング情報はNビットを含み、Nビットの各々の状態は、固定値を有するビット状態であり、Nは1以上の正の整数である。
【０１０７】
以下に示されるように、SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。Nビットの状態は指示情報のビット状態と同じであり、またはNビットの状態は固定値を有し、その結果、指示情報の繰返し送信が実施されてよく、または、DCI送信のチェックが改善されてよく、指示情報通信の信頼性が改善され、誤ったアラームの可能性が低減される。
【０１０８】
本発明のいくつかの実施形態では、前述のステップに加えて、本発明の制御情報通信方法は、
マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するステップ、または、
マルチキャスト制御チャネルが追加されるシステム情報ブロックを受信し、マルチキャスト制御チャネルをシステム情報ブロックから取得するステップをさらに含んでよい。
【０１０９】
マルチキャストチャネルがマルチキャストトラフィックチャネルのみを含む場合、ユーザ機器によって受信されたスケジューリング情報がマルチキャストトラフィックチャネルをスケジュールするためにのみ使用されることができ、この実施シナリオでは、本発明の本実施形態は、マルチキャスト制御チャネルをスケジュールする方法をさらに説明する。例えば、マルチキャスト制御チャネルは、システム情報ブロックを使用することによってスケジュールされてよい。あるいは、より多くの通信リソースを節約するために、マルチキャスト制御チャネルはシステム情報ブロックに直接追加される。基地局によって送信されたシステム情報ブロックを受信した後、ユーザ機器はシステム情報ブロック内のマルチキャスト制御チャネルを取得することができる。
【０１１０】
本発明の本実施形態の説明の例から、基地局によって送信されたダウンリンク制御情報は、第1のダウンリンク制御情報フォーマットを使用することによって受信され、指示情報は、ダウンリンク制御情報から取得され、ここで、指示情報は、マルチキャスト制御チャネルが更新されたかどうか、および/またはマルチキャストトラフィックチャネルが更新されたかどうかを示すために使用されることがわかる。マルチキャストチャネルをスケジュールするために使用されるスケジューリング情報は、ダウンリンク制御情報から取得され、ここで、マルチキャストチャネルは、マルチキャスト制御チャネルおよび/またはマルチキャストトラフィックチャネルを含む。本発明の本実施形態では、スケジューリング情報と指示情報の両方が、ユーザ機器によって受信されたダウンリンク制御情報に追加され、従って、ユーザ機器は、マルチキャスト制御チャネルが更新されたかどうかを示す単一の制御チャネルを検出する必要がなく、その結果、ユーザ機器による検出を実行する複雑さは低減されることができ、ユーザ機器の電力消費オーバヘッドは低減されることができ、リソース利用は最適化されることができる。
【０１１１】
本発明の本実施形態の前述の解決手段のより良い理解および実施のために、以下では、例を使用することによって具体的な説明を提供する。本発明の本実施形態は、主に、マルチキャスト情報通信の手順を最適化し、制御情報通信および/またはデータチャネル通信のステップを低減し、リソース利用を最適化するために使用される。特に、マルチキャスト情報が繰り返し送信される場合、マルチキャスト情報通信のあまりに多くのステップは、システムのリソースオーバヘッドを大幅に増加させ、UEによる検出を実行する複雑さを増加させる。従って、本発明の本実施形態によって達成されるべき目的は、マルチキャスト情報通信の手順を最適化し、制御情報通信および/またはデータチャネル通信のステップを低減することである。従来技術では、カバレッジ強化と繰返し送信のいずれも、マルチキャスト情報通信においてサポートされていない。従って、マルチキャスト情報の繰返し送信をサポートする方法はまた、本発明によって達成されるべき目的である。
【０１１２】
図4を参照すると、図4は本発明の実施形態に係る、MPDCCHがSC-MCCHの更新を示し、またSC-MCCHもスケジュールする適用シナリオの概略図である。本発明の本実施形態では、マシン型通信のための物理ダウンリンク制御チャネル（physical downlink control channel for MTC, MPDCCH）DCI format 6-2は、SC-PTMをサポートするために再利用されてよい。第1のRNTIは、DCI format 6-2がページングメッセージのために使用されるか、またはマルチキャスト情報のために使用されるかを決定するために使用される。ユーザ機器によって受信されたDCI format 6-2がP-RNTIを使用することによってスクランブルされないが、第1のRNTIを使用することによってスクランブルされる場合、DCIは、SC-MCCHが更新されるかどうかを通知するために使用される。加えて、本発明におけるDCI format 6-2がSC-MCCHが更新されたかどうかを示す場合、SC-MCCHまたはSC-MTCHのスケジューリング情報はDCI format 6-2にさらに追加されてよい。このように、マルチキャスト情報通信の手順は単純化され、リソース利用は最適化され、UEによる検出を実行する複雑さが低減され、UEの電力消費は低減される。
【０１１３】
例えば、既存のDCI format 6-2は、以下のものを含む：
ページングメッセージのスケジューリングと直接指示とを区別するために使用される識別子は、識別子が0の状態である場合、識別子は直接情報指示および予約ビットに適用され、または、識別子が1の状態である場合、識別子は、ページングメッセージをスケジュールするために使用され、ページングメッセージをスケジュールするために使用されるスケジューリング情報は、以下の情報を含む：
リソースブロック割当て
【０１１４】
【数１】
2019528003.tif 000024
【０１１５】
ビット；
変調および符号化方式：3ビット；
PDSCHの繰返し数：3ビット；
DCIサブフレームの繰返し数：2ビット。
【０１１６】
【数２】
2019528003.tif 000025
【０１１７】
は、ダウンリンク帯域幅に含まれるリソースブロックの量を表す。ページングメッセージをスケジュールするために使用されるDCI format 6-2は負荷が小さく、ページングメッセージの繰返しをサポートするため、マルチキャスト情報通信のために使用される制御チャネルは、DCI format 6-2に基づいてよい。例えば、制御チャネルがマルチキャスト情報通信に関連する場合、制御チャネルは、第1のRNTIを使用することによってスクランブルされる。制御チャネルがページングメッセージ通信に関連する場合、制御チャネルは、P-RNTIを使用することによってスクランブルされる。ここでの第1のRNTIはP-RNTIとは異なるRNTIである。
【０１１８】
マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されるかどうかを示すために使用される。マルチキャスト情報通信のために使用される制御チャネルは、SC-MCCHをスケジュールするために使用されるスケジューリング情報をさらに含んでよい。SC-MCCHをスケジュールするために使用されるDCIは、SC-MCCHのリソースブロック割当て、SC-MCCHの変調および符号化方式（または送信ブロックサイズ）、SC-MCCHの繰返し数およびDCIサブフレームの繰返し数のうちの1つまたは複数を含んでよい。
【０１１９】
図4に示されるように、MPDCCHはSC-MCCHの更新を示し、またSC-MCCHをスケジュールし、MPDCCHはeMTC（enhanced MTC）またはFeMTC（further enhanced MTC）において使用される制御チャネルである。本発明の本実施形態では、ダウンリンク制御情報は、MPDCCHを使用することによって使用されてよい。実際の適用の間、ダウンリンク制御情報（downlink control information, DCI）の具体的な実施は、以下の例で説明されるケースを含んでよい：
【０１２０】
A. SC-MCCHをスケジュールするために使用されるDCIの具体的な例が提供される：
SC-MCCH（および/またはSC-MTCH）の更新指示：1ビット；
SC-MCCHのリソースブロック割当て：
【０１２１】
【数３】
2019528003.tif 000026
【０１２２】
ビット；
SC-MCCHの変調および符号化方式（または送信ブロックサイズ）：3ビット；
SC-MCCHの繰返し数：3ビット；
DCIサブフレームの繰返し数：2ビット。
【０１２３】
B. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１２４】
【数４】
2019528003.tif 000027
【０１２５】
ビット；
SC-MCCHの変調および符号化方式（または送信ブロックサイズ）：3ビット；
SC-MCCHの繰返し数：3ビット。
【０１２６】
C. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１２７】
【数５】
2019528003.tif 000028
【０１２８】
ビット；
SC-MCCHの変調および符号化方式（または送信ブロックサイズ）：3ビット；
SC-MCCHの繰返し数：3ビット；
予約ビット。
【０１２９】
D. SC-MCCHをスケジュールするために使用されるDCIの別の具体的な例が提供される：
SC-MCCH（および/またはSC-MTCH）の更新指示：1ビット；
SC-MCCHのリソースブロック割当て：
【０１３０】
【数６】
2019528003.tif 000029
【０１３１】
ビット；
SC-MCCHの変調および符号化方式（または送信ブロックサイズ）：3ビット；
予約ビット。
【０１３２】
E. SC-MCCHをスケジュールするために使用されるDCIの別の具体的な例が提供される：
SC-MCCH（および/またはSC-MTCH）の更新指示：1ビット；
SC-MCCHの繰返し数：3ビット；
予約ビット（任意）。
【０１３３】
任意で、本実施形態では、SC-MCCH更新指示が、SC-MCCHが更新されていないと示す場合、マルチキャストをスケジュールするDCI内の別のフィールドは、SC-MTCHのリソースブロック割当て、SC-MTCHの変調および符号化方式（または送信ブロックサイズ）、SC-MTCHの繰返し数およびDCIサブフレームの繰返し数のうちの1つまたは複数を含む。SC-MCCH更新指示が、SC-MCCHが更新されたと示す場合、マルチキャストをスケジュールするDCI内の別のフィールドは、SC-MCCHのリソースブロック割当て、SC-MCCHの変調および符号化方式（または送信ブロックサイズ）、SC-MCCHの繰返し数およびDCIサブフレームの繰返し数のうちの1つまたは複数を含む。
【０１３４】
本発明のいくつかの他の実施形態では、マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されたかどうかを示すために使用される。
【０１３５】
マルチキャスト情報通信のために使用される制御チャネルは、SC-MTCHをスケジュールするために使用されるスケジューリング情報をさらに含んでよい。SC-MTCHをスケジュールするために使用されるDCIは、SC-MTCHのリソースブロック割当て、SC-MTCHの変調および符号化方式（または送信ブロックサイズ）、SC-MTCHの繰返し数、DCIサブフレームの繰返し数のうちの1つまたは複数を含んでよい。実際の適用の間、DCIの具体的な実施は、以下の例で説明されるケースを含んでよい：
【０１３６】
A. SC-MTCHをスケジュールするために使用されるDCIの具体的な例が提供される：
SC-MCCH（および/またはSC-MTCH）の更新指示：1ビット；
SC-MTCHのリソースブロック割当て：
【０１３７】
【数７】
2019528003.tif 000030
【０１３８】
ビット；
SC-MTCHの変調および符号化方式（または送信ブロックサイズ）：3ビット；
SC-MTCHの繰返し数：3ビット；
DCIサブフレームの繰返し数：2ビット。
【０１３９】
B. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４０】
【数８】
2019528003.tif 000031
【０１４１】
ビット；
SC-MTCHの変調および符号化方式（または送信ブロックサイズ）：3ビット；
SC-MTCHの繰返し数：3ビット。
【０１４２】
C. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４３】
【数９】
2019528003.tif 000032
【０１４４】
ビット；
SC-MTCHの変調および符号化方式（または送信ブロックサイズ）：3ビット；
SC-MTCHの繰返し数：3ビット；
予約ビット。
【０１４５】
D. SC-MTCHをスケジュールするために使用されるDCIの別の具体的な例が提供される：
SC-MCCH（および/またはSC-MTCH）の更新指示：1ビット；
SC-MTCHのリソースブロック割当て：
【０１４６】
【数１０】
2019528003.tif 000033
【０１４７】
ビット；
SC-MTCHの変調および符号化方式（または送信ブロックサイズ）：3ビット；
SC-MTCHの繰返し数：3ビット；
予約ビット。
【０１４８】
E. SC-MTCHをスケジュールするために使用されるDCIの別の具体的な例が提供される：
SC-MCCH（および/またはSC-MTCH）の更新指示：1ビット；
SC-MTCHの繰返し数：3ビット；
予約ビット（任意）。
【０１４９】
本発明のいくつかの他の実施形態では、マルチキャスト情報通信のために使用される制御チャネルは、SC-MCCH（および/またはSC-MTCH）の更新指示を含む。例えば、マルチキャスト情報通信のために使用される制御チャネル内の1ビットは、SC-MCCH（および/またはSC-MTCH）が更新されたかどうかを示すために使用される。マルチキャスト情報通信のために使用される制御チャネルは、SC-MCCHおよびSC-MTCHをスケジュールするために使用されるスケジューリング情報をさらに含んでよい。SC-MCCHおよびSC-MTCHをスケジュールするために使用されるDCIは、SC-MCCHのリソースブロック割当て、SC-MCCHの変調および符号化方式（または送信ブロックサイズ）、SC-MCCHの繰返し数、SC-MTCHのリソースブロック割当て、SC-MTCHの変調および符号化方式（または送信ブロックサイズ）、SC-MTCHの繰返し数およびDCIサブフレームの繰返し数のうちの1つまたは複数を含んでよい。
【０１５０】
ケース1:マルチキャストDCIは、SC-MCCHおよび/またはSC-MTCHのリソースブロック割当てを示す。
【０１５１】
同じリソースブロック割当て、すなわち、同じ狭帯域リソースを使用することによって、SC-MCCHおよびSC-MTCHが送信されてよい。あるいは、マルチキャスト情報通信のために使用されるDCIにおけるリソースブロック割当ては、SC-MCCH送信の狭帯域を示し、SC-MTCH送信の狭帯域は、SC-MCCH送信の狭帯域に基づいて決定される。例えば、SC-MTCH送信の狭帯域は、狭帯域シフトによってSC-MCCH送信の狭帯域を増加させることによって取得される。狭帯域シフトは、SC-MTCH送信の狭帯域とSC-MCCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当てが、SC-MCCH送信で使用される狭帯域が狭帯域nであることを示し、狭帯域シフトがkである場合、SC-MTCH送信における狭帯域のインデックスはn+kである。
【０１５２】
同様に、マルチキャスト情報通信のために使用されるDCIにおけるリソースブロック割当ては、SC-MTCH送信の狭帯域を示し、SC-MCCH送信の狭帯域は、SC-MTCH送信の狭帯域に基づいて決定される。例えば、SC-MCCH送信の狭帯域は、狭帯域シフトによってSC-MTCH送信の狭帯域を増加させることによって取得される。狭帯域シフトは、SC-MCCH送信の狭帯域とSC-MTCH送信の狭帯域との間の間隔を示し、狭帯域シフトの値は、システムによって事前に指定され、または、シグナリングを使用することによって構成される。例えば、マルチキャスト情報通信のために使用されるDCIにおけるリソースブロック割当ては、SC-MTCH送信で使用される狭帯域が狭帯域nであることを示し、狭帯域シフトはkであり、SC-MCCH送信における狭帯域のインデックスはn+kである。
【０１５３】
ケース2：マルチキャストDCIは、SC-MCCHおよび/またはSC-MTCHの変調および符号化方式（または送信ブロックサイズ）を示す。
【０１５４】
任意で、マルチキャスト情報通信のために使用されるDCIは、SC-MCCHおよび/またはSC-MTCHの変調および符号化方式（または送信ブロックサイズ）をさらに示す。マルチキャスト情報通信のために使用されるDCIでは、SC-MCCHおよびSC-MTCHの変調および符号化方式（または送信ブロックサイズ）は独立して示されてよい。あるいは、マルチキャスト情報通信のために使用されるDCIでは、SC-MCCH送信の変調および符号化方式（または送信ブロックサイズ）が示されてよく、SC-MTCHの変調および符号化方式（または送信ブロックサイズ）は、SC-MCCH送信の変調および符号化方式（または送信ブロックサイズ）に基づいて決定される。あるいは、マルチキャスト情報通信のために使用されるDCIでは、SC-MTCH送信の変調および符号化方式（または送信ブロックサイズ）が示されてよく、SC-MCCHの変調および符号化方式（または送信ブロックサイズ）は、SC-MTCH送信の変調および符号化方式（または送信ブロックサイズ）に基づいて決定される。例えば、SC-MTCH送信の変調および符号化方式（または送信ブロックサイズ）とSC-MCCH送信の変調および符号化方式（または送信ブロックサイズ）との間には関係がある。
【０１５５】
ケース3：マルチキャストDCIは、SC-MCCHおよび/またはSC-MTCHの繰返し数を示す。
【０１５６】
任意で、マルチキャスト情報通信のために使用されるDCIは、SC-MCCHおよび/またはSC-MTCH送信の繰返し数をさらに示す。マルチキャスト情報通信のために使用されるDCIでは、SC-MCCHの繰返し数およびSC-MTCH送信の繰返し数は独立して示されてよい。あるいは、マルチキャスト情報通信のために使用されるDCIでは、SC-MCCH送信の繰返し数が示されてよく、SC-MTCH送信の繰返し数は、SC-MCCH送信の繰返し数に基づいて決定される。あるいは、マルチキャスト情報通信のために使用されるDCIでは、SC-MTCH送信の繰返し数が示されてよく、SC-MCCH送信の繰返し数は、SC-MTCH送信の繰返し数に基づいて決定される。例えば、SC-MTCH送信の繰返し数とSC-MCCH送信の繰返し数との間には関係がある。SC-MCCH（またはSC-MTCH）送信の繰返し数がわかっている場合、SC-MTCH（またはSC-MCCH）送信の繰返し数は、SC-MCCH（またはSC-MTCH）送信の繰返し数および既知の関係に基づいて決定されてよい。
【０１５７】
例えば、SC-MCCHをスケジュールするために使用されるDCIの具体的な例が提供される：
SC-MCCH（および/またはSC-MTCH）の更新指示：1ビット；
SC-MCCHのリソースブロック割当て：
【０１５８】
【数１１】
2019528003.tif 000034
【０１５９】
ビット；
SC-MTCHの狭帯域シフト：nビット；
SC-MCCHの変調および符号化方式（または送信ブロックサイズ）：aビット；
SC-MTCHの変調および符号化方式（または送信ブロックサイズ）：bビット；
SC-MTCHの繰返し数：cビット。
【０１６０】
本発明のいくつかの他の実施形態では、マルチキャスト情報通信のために使用される制御チャネルは、SC-MCCH（またはSC-MTCH）の更新指示を含む。例えば、マルチキャスト情報通信のために使用される制御チャネル内の1ビットは、SC-MCCH（またはSC-MTCH）が更新されたかどうかを示すために使用される。マルチキャスト情報通信のために使用される制御チャネル内の別のビットは、SC-MCCH（またはSC-MTCH）の更新を示すビットの繰返しであるか、または予約ビットである。実際の適用の間、DCIの具体的な実施は、以下の例で説明されるケースを含んでよい：
【０１６１】
A. SC-MCCHをスケジュールするために使用されるDCIの具体的な例が提供される：
SC-MCCH更新指示：1ビット；
SC-MCCH更新指示の繰返し：1のnビットまたは0のnビット。
【０１６２】
更新情報は1ビットであり、1または0である。他のビットは、更新ビットを繰り返し、すなわち、ビットは全て1または全て０である。予約ビットは、SC-MCCH更新指示のビット状態と同じ状態である。SC-MCCHをスケジュールするために使用されるDCIが13ビットを含み（SC-MCCH更新指示の1ビットを含む）、SC-MCCH更新指示のビット状態が0であると仮定した場合、SC-MCCHのDCIは13個のゼロを含む。SC-MCCHをスケジュールするために使用されるDCIが13ビットを含み（SC-MCCH更新指示の1ビットを含む）、SC-MCCH更新指示のビット状態が1であると仮定した場合、SC-MCCHのDCIは13個の1を含む。
【０１６３】
B. SC-MCCHをスケジュールするために使用されるDCIの別の具体的な例が提供される：
SC-MCCH更新指示：1ビット；
予約ビット：nビット。
【０１６４】
C. DCIはnビットを含み、SC-MCCHをスケジュールするために使用されるDCIの別の具体的な例が提供される：
SC-MCCH更新指示：nビット、すなわち、1のnビットまたは0のnビット。
【０１６５】
本発明のいくつかの実施形態では、SC-MCCHは、SIB20またはSIB1（または別のSIB）を使用することによってスケジュールされてよい。図5に示されるように、第1のステップは、SIB20においてSC-MCCHをスケジュールすることであり、第2のステップは、MPDCCHにおいてSC-MCCHの更新に関する情報を通知することであり、第3のステップは、MPDCCHを使用することによって、SC-MTCHをスケジュールすることである。SC-MTCHをスケジュールするためのMPDCCHのDCIフォーマットは、前述の実施において説明され、詳細はここでは再び説明されない。
【０１６６】
図6に示されるように、第1のステップは、SIB20にSC-MCCHを含むことであり、第2のステップは、MPDCCHにおいてSC-MCCHの更新に関する情報を通知することであり、第3のステップは、MPDCCHを使用することによって、SC-MTCHをスケジュールすることである。SC-MTCHをスケジュールするためのMPDCCHのDCIフォーマットは、前述の実施形態において説明され、詳細はここでは再び説明されない。
【０１６７】
確かに、任意で、第1のステップは、SIB20においてSC-MCCHをスケジュールすることであり、第2のステップは、MPDCCHにおいてSC-MCCHの更新に関する情報を通知することおよびSC-MTCHをスケジュールすることである。SC-MTCHをスケジュールするためのMPDCCHのDCIフォーマットは、前述の実施形態において説明され、詳細はここでは再び説明されない。あるいは、第1のステップは、SIB20にSC-MCCHを含むことであり、第2のステップは、MPDCCHにおいて、SC-MCCHの更新に関する情報を通知することおよびSC-MTCHをスケジュールすることである。SC-MTCHをスケジュールするためのMPDCCHのDCIフォーマットは、前述の実施形態において説明され、詳細はここでは再び説明されない。
【０１６８】
本発明の本実施形態では、MPDCCH DCI format 6-2は、第1のRNTIを使用することによってスクランブルすることによって再利用されて、SC-PTM送信をサポートする。MPDCCH内には、SC-MCCH情報が更新されたかどうかを示すために使用される1ビットがある。DCI format 6-2に含まれるビット数はさらにより少なく、SC-MCCHの更新およびSC-MCCHのスケジューリングを動的に示すためにDCI format 6-2が再利用される。従って、基地局によるMPDCCHの送信回数およびUEによるMPDCCHの検出回数は低減され、SC-PTMのカバレッジ強化はサポートされ、UEによる検出を実行する複雑さは低減され、UEの電力消費オーバヘッドは低減され、リソース利用は最適化され、情報通信遅延は低減される。
【０１６９】
簡単な説明のために、前述の方法の実施形態は一連の動作として表されているが、本発明に従っていくつかのステップは別の順序で実行されるか、同時に実行されてよいため、本発明は説明された動作の順序に限定されないことを当業者は理解するべきであることは留意されるべきである。加えて、当業者はまた、本明細書で説明されている全ての実施形態は例示的な実施形態であり、関連する動作およびモジュールは本発明で必ずしも必要とされないことを理解するべきである。
【０１７０】
本発明の実施形態の解決手段をより良く実施するために、以下では、解決手段を実施するための関連装置をさらに提供する。
【０１７１】
図7を参照すると、本発明の実施形態は基地局700を提供する。基地局700は、指示情報決定モジュール701、スケジューリング情報決定モジュール702および送信モジュール703を含んでよい。
【０１７２】
指示情報決定モジュール701は、指示情報をダウンリンク制御情報に追加するように構成され、ここで、指示情報は、マルチキャスト制御チャネルが更新されたかどうか、および/またはマルチキャストトラフィックチャネルが更新されたかどうかを示すために使用される。
【０１７３】
スケジューリング情報決定モジュール702は、マルチキャストチャネルをスケジュールするために使用されるスケジューリング情報をダウンリンク制御情報に追加するように構成され、ここで、マルチキャストチャネルは、マルチキャスト制御チャネルおよび/またはマルチキャストトラフィックチャネルを含む。
【０１７４】
送信モジュール703は、第1のダウンリンク制御情報フォーマットを使用することによって、ダウンリンク制御情報をユーザ機器に送信するように構成される。
【０１７５】
本発明のいくつかの実施形態では、送信モジュール703によって使用される第1のダウンリンク制御情報フォーマットはダウンリンク制御情報フォーマットDCI format 6-2を含む。あるいは、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【０１７６】
本発明のいくつかの実施形態では、指示情報決定モジュール701によって取得された指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【０１７７】
本発明のいくつかの実施形態では、スケジューリング情報決定モジュール702によって取得されたスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【０１７８】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【０１７９】
本発明のいくつかの実施形態では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１８０】
本発明のいくつかの実施形態では、マルチキャスト制御チャネルのリソースブロック割当てとマルチキャストトラフィックチャネルのリソースブロック割当てとの間には第1の関連付け関係があり、かつ／または、
マルチキャスト制御チャネルの変調および符号化方式とマルチキャストトラフィックチャネルの変調および符号化方式との間には第2の関連付け関係があり、かつ／または、
マルチキャスト制御チャネルの送信ブロックサイズとマルチキャストトラフィックチャネルの送信ブロックサイズとの間には第3の関連付け関係があり、かつ／または、
マルチキャスト制御チャネルの繰返し数とマルチキャストトラフィックチャネルの繰返し数との間には第4の関連付け関係がある。
【０１８１】
本発明のいくつかの実施形態では、スケジューリング情報決定モジュール702によって取得されるスケジューリング情報は関連付け情報をさらに含み、ここで、関連付け情報は、第1の関連付け関係、第2の関連付け関係、第3の関連付け関係および第4の関連付け関係のうちの1つまたは複数を示す。
【０１８２】
本発明のいくつかの実施形態では、スケジューリング情報はNビットを含み、Nビットの各々の状態は指示情報のビット状態と同じであり、Nは1以上の正の整数であり、または、スケジューリング情報はNビットを含み、Nビットの各々の状態は固定値を有するビット状態であり、Nは1以上の正の整数である。
【０１８３】
本発明のいくつかの実施形態では、送信モジュール703は、マルチキャストチャネルがマルチキャストトラフィックチャネルのみを含む場合、ユーザ機器に、マルチキャスト制御チャネルをスケジュールするために使用されるシステム情報ブロックを送信し、または、ユーザ機器に、マルチキャスト制御チャネルが追加されるシステム情報ブロックを送信するようにさらに構成される。
【０１８４】
図8を参照すると、本発明の実施形態はユーザ機器800を提供する。ユーザ機器800は、受信モジュール801、指示情報取得モジュール802およびスケジューリング情報取得モジュール803を含んでよい。
【０１８５】
受信モジュール801は、第1のダウンリンク制御情報フォーマットを使用することによって、基地局によって送信されたダウンリンク制御情報を受信するように構成される。
【０１８６】
指示情報取得モジュール802は、指示情報をダウンリンク制御情報から取得するように構成され、ここで、指示情報は、マルチキャスト制御チャネルが更新されたかどうか、および/またはマルチキャストトラフィックチャネルが更新されたかどうかを示すために使用される。
【０１８７】
スケジューリング情報取得モジュール803は、ダウンリンク制御情報から、マルチキャストチャネルをスケジュールするために使用されるスケジューリング情報を取得するように構成され、ここで、マルチキャストチャネルは、マルチキャスト制御チャネルおよび/またはマルチキャストトラフィックチャネルを含む。
【０１８８】
本発明のいくつかの実施形態では、受信モジュール801によって使用される第1のダウンリンク制御情報フォーマットはダウンリンク制御情報フォーマットDCI format 6-2を含む。あるいは、第1のダウンリンク制御情報フォーマットは、マシン型通信MTCユーザ機器によってサポートされるダウンリンク制御情報フォーマットを含み、MTCユーザ機器は、帯域幅が低減されたユーザ機器および/またはカバレッジが強化されたユーザ機器を含む。
【０１８９】
本発明のいくつかの実施形態では、指示情報取得モジュール802によって取得された指示情報は、1ビットを占有する第1の情報を含み、第1の情報が1の状態である場合、マルチキャスト制御チャネルが更新されたことを示し、または、第1の情報が0の状態である場合、マルチキャスト制御チャネルが更新されていないことを示し、または、指示情報は、1ビットを占有する第2の情報を含み、第2の情報が0の状態である場合、マルチキャスト制御チャネルが更新されたことを示し、または、第2の情報が1の状態である場合、マルチキャスト制御チャネルが更新されていないことを示す。
【０１９０】
本発明のいくつかの実施形態では、スケジューリング情報取得モジュール803によって取得されたスケジューリング情報は、マルチキャスト制御チャネルのリソースブロック割当てに関する情報、マルチキャスト制御チャネルの変調および符号化方式に関する情報、マルチキャスト制御チャネルの送信ブロックサイズに関する情報、マルチキャスト制御チャネルの繰返し数に関する情報およびダウンリンク制御情報の繰返し数のうちの1つまたは複数を含み、かつ／または、スケジューリング情報は、マルチキャストトラフィックチャネルのリソースブロック割当てに関する情報、マルチキャストトラフィックチャネルの変調および符号化方式に関する情報、マルチキャストトラフィックチャネルの送信ブロックサイズに関する情報、マルチキャストトラフィックチャネルの繰返し数に関する情報およびダウンリンク制御情報の繰返し数のうちの1つまたは複数を含む。
【０１９１】
本発明のいくつかの実施形態では、スケジューリング情報は、マルチキャスト制御チャネルのリソースブロック割当てに関する情報、マルチキャスト制御チャネルの変調および符号化方式に関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの送信ブロックサイズに関する情報、マルチキャスト制御チャネルの繰返し数に関する情報およびダウンリンク制御情報の繰返し数を含み、または、
スケジューリング情報は、マルチキャスト制御チャネルのリソースブロック割当てに関する情報、マルチキャスト制御チャネルの変調および符号化方式に関する情報およびマルチキャスト制御チャネルの繰返し数に関する情報を含み、または、
スケジューリング情報は、マルチキャスト制御チャネルのリソースブロック割当てに関する情報、マルチキャスト制御チャネルの送信ブロックサイズに関する情報およびマルチキャスト制御チャネルの繰返し数に関する情報を含む。
【０１９２】
本発明のいくつかの実施形態では、スケジューリング情報は、マルチキャストトラフィックチャネルのリソースブロック割当てに関する情報、マルチキャストトラフィックチャネルの変調および符号化方式に関する情報、マルチキャストトラフィックチャネルの繰返し数に関する情報およびダウンリンク制御情報の繰返し数を含み、または、
スケジューリング情報は、マルチキャストトラフィックチャネルのリソースブロック割当てに関する情報、マルチキャストトラフィックチャネルの送信ブロックサイズに関する情報、マルチキャストトラフィックチャネルの繰返し数に関する情報およびダウンリンク制御情報の繰返し数をさらに含み、または、
スケジューリング情報は、マルチキャストトラフィックチャネルのリソースブロック割当てに関する情報、マルチキャストトラフィックチャネルの変調および符号化方式に関する情報およびマルチキャストトラフィックチャネルの繰返し数に関する情報をさらに含み、または、
スケジューリング情報は、マルチキャストトラフィックチャネルのリソースブロック割当てに関する情報、マルチキャストトラフィックチャネルの送信ブロックサイズに関する情報およびマルチキャストトラフィックチャネルの繰返し数に関する情報をさらに含む。
【０１９３】
本発明のいくつかの実施形態では、スケジューリング情報取得モジュール803は、具体的には、
第1の関連付け関係およびマルチキャスト制御チャネルのリソースブロック割当てに基づいて、マルチキャストトラフィックチャネルのリソースブロック割当てを決定し、または、第1の関連付け関係およびマルチキャストトラフィックチャネルのリソースブロック割当てに基づいて、マルチキャスト制御チャネルのリソースブロック割当てを決定するように構成され、ここで、第1の関連付け関係は、マルチキャスト制御チャネルのリソースブロック割当てとマルチキャストトラフィックチャネルのリソースブロック割当てとの間の関連付け関係であり、および/または、
第2の関連付け関係およびマルチキャスト制御チャネルの変調および符号化方式に基づいて、マルチキャストトラフィックチャネルの変調および符号化方式を決定し、または、第2の関連付け関係およびマルチキャストトラフィックチャネルの変調および符号化方式に基づいて、マルチキャスト制御チャネルの変調および符号化方式を決定するように構成され、ここで、第2の関連付け関係は、マルチキャスト制御チャネルの変調および符号化方式とマルチキャストトラフィックチャネルの変調および符号化方式との間の関連付け関係であり、および/または、
第3の関連付け関係およびマルチキャスト制御チャネルの送信ブロックサイズに基づいて、マルチキャストトラフィックチャネルの送信ブロックサイズを決定し、または、第3の関連付け関係およびマルチキャストトラフィックチャネルの送信ブロックサイズに基づいて、マルチキャスト制御チャネルの送信ブロックサイズを決定するように構成され、ここで、第3の関連付け関係は、マルチキャスト制御チャネルの送信ブロックサイズとマルチキャストトラフィックチャネルの送信ブロックサイズとの間の関連付け関係であり、および/または、
第4の関連付け関係およびマルチキャスト制御チャネルの繰返し回数に基づいて、マルチキャストトラフィックチャネルの繰返し回数を決定し、または、第4の関連付け関係およびマルチキャストトラフィックチャネルの繰返し回数に基づいて、マルチキャスト制御チャネルの繰返し回数を決定するように構成され、ここで、第4の関連付け関係は、マルチキャスト制御チャネルの繰返し回数とマルチキャストトラフィックチャネルの繰返し回数との間の関連付け関係である。
【０１９４】
本発明のいくつかの実施形態では、スケジューリング情報は関連付け情報をさらに含み、ここで、関連付け情報は、第1の関連付け関係、第2の関連付け関係、第3の関連付け関係および第4の関連付け関係のうちの1つまたは複数を示す。
【０１９５】
本発明のいくつかの実施形態では、スケジューリング情報はNビットを含み、Nビットの各々の状態は指示情報のビット状態と同じであり、Nは1以上の正の整数であり、または、
スケジューリング情報はNビットを含み、Nビットの各々の状態は固定値を有するビット状態であり、Nは1以上の正の整数である。
【０１９６】
本発明のいくつかの実施形態では、受信モジュール801は、マルチキャストチャネルがマルチキャストトラフィックチャネルのみを含む場合、マルチキャスト制御チャネルをスケジュールするために使用されるシステム情報ブロックを受信し、システム情報ブロックを使用することによって実行されるスケジューリングに基づいて、マルチキャスト制御チャネルを受信するようにさらに構成され、または、マルチキャスト制御チャネルが追加されるシステム情報ブロックを受信し、マルチキャスト制御チャネルをシステム情報ブロックから取得するようにさらに構成される。
【０１９７】
前述の装置のモジュール/ユニットの実行プロセスとの間の情報交換等の内容は、本発明の方法の実施形態と同じ概念に属するため、本発明の方法の実施形態と同じ技術的効果をもたらすことは留意されるべきである。詳細については、本発明の前述の方法の実施形態における説明を参照されたく、ここではさらに説明はされない。
【０１９８】
本発明の実施形態は、コンピュータ記憶媒体をさらに提供する。コンピュータ記憶媒体はプログラムを記憶し、プログラムは、前述の方法の実施形態に記録されるステップの一部または全てを実行する。
【０１９９】
本発明の実施形態によって提供される別の基地局を以下で説明する。図9を参照すると、基地局900は、
受信器901、送信器902、プロセッサ903およびメモリ904を含む（基地局900内には1つまたは複数のプロセッサ903があってよく、図9における例としては、基地局900内には1つのプロセッサがあることが使用される）。本発明のいくつかの実施形態では、受信器901、送信器902、プロセッサ903およびメモリ904は、バスを使用することによって、または別の方式で接続されてよい。図9における例としては、バスを使用することによる接続が使用される。
【０２００】
メモリ904は、読出し専用メモリおよびランダムアクセスメモリを含んでよく、命令およびデータをプロセッサ903に提供する。メモリ904の一部は、不揮発性ランダムアクセスメモリ（英語のフルネーム：non-volatile random access memory, 略してNVRAM）をさらに含んでよい。メモリ904はオペレーティングシステム、動作命令、実行可能モジュールまたはデータ構造、またはそれらのサブセット、またはそれらの拡張セットを記憶する。動作命令は、様々な動作を実施するための様々な動作命令を含んでよい。オペレーティングシステムは、様々な基本サービスを実施し、ハードウェアベースのタスクを処理するように構成される様々なシステムプログラムを含んでよい。
【０２０１】
プロセッサ903は基地局の動作を制御し、プロセッサ903はさらに中央処理装置（英語のフルネーム：central processing unit, 略してCPU）と呼ばれることもある。特定のアプリケーションにおいては、基地局の全てのコンポーネントはバスシステムを使用することによって互いに結合される。データバスに加えて、バスシステムは、電源バス、制御バス、状態信号バス等をさらに含んでよい。しかしながら、明確な説明のために、図においては、様々なバスはバスシステムと呼ばれる。
【０２０２】
本発明の前述の実施形態で開示される方法はプロセッサ903に適用されてよく、または換言すると、プロセッサ903によって実施されてよい。プロセッサ903は集積回路チップであってよく、信号処理能力を有する。実施プロセスにおいて、前述の方法のステップは、プロセッサ903におけるハードウェア集積論理回路、またはソフトウェアの形態の命令を使用することによって実施されてよい。プロセッサ903は、汎用プロセッサ、デジタル信号プロセッサ（英語のフルネーム：digital signal processing, 略してDSP）、特定用途向け集積回路（英語のフルネーム：application-specific integrated circuit, 略してASIC）、フィールドプログラマブルゲートアレイ（英語のフルネーム：field-programmable gate array, 略してFPGA）または別のプログラマブル論理コンポーネント、ディスクリートゲートまたはトランジスタ論理コンポーネント、またはディスクリートハードウェアコンポーネントであってよく、本発明の実施形態で開示される方法、ステップおよび論理ブロック図を実施または実行することができる。汎用プロセッサはマイクロプロセッサであってよく、または、プロセッサは任意の従来のプロセッサ等であってよい。本発明の実施形態を参照して開示される方法のステップは、ハードウェア復号プロセッサを使用することによって直接実行および達成されてよく、または、復号プロセッサにおけるハードウェアおよびソフトウェアモジュールの組合せを使用することによって実行および達成されてよい。ソフトウェアモジュールは、ランダムアクセスメモリ、フラッシュメモリ、読出し専用メモリ、プログラマブル読出し専用メモリ、電気的消去可能プログラマブルメモリまたはレジスタ等の、当該分野における成熟した記憶媒体に配置されてよい。記憶媒体はメモリ904に配置され、プロセッサ903は、メモリ904内の情報を読み出し、プロセッサ903のハードウェアと組み合わせて、前述の方法のステップを完了する。
【０２０３】
本発明の本実施形態では、プロセッサ903は図2に示される方法のステップを実行するように構成される。
【０２０４】
本発明の実施形態によって提供される別のユーザ機器を以下で説明する。図10を参照すると、ユーザ機器1000は、
受信器1001、送信器1002、プロセッサ1003およびメモリ1004を含む（ユーザ機器1000内には1つまたは複数のプロセッサ1003があってよく、図10における例としては、ユーザ機器1000内には1つのプロセッサがあることが使用される）。本発明のいくつかの実施形態では、受信器1001、送信器1002、プロセッサ1003およびメモリ1004は、バスを使用することによって、または別の方式で接続されてよい。図10における例としては、バスを使用することによる接続が使用される。
【０２０５】
メモリ1004は、読出し専用メモリおよびランダムアクセスメモリを含んでよく、命令およびデータをプロセッサ1003に提供する。メモリ1004の一部は、NVRAMをさらに含んでよい。メモリ1004はオペレーティングシステム、動作命令、実行可能モジュールまたはデータ構造、またはそれらのサブセット、またはそれらの拡張セットを記憶する。動作命令は、様々な動作を実施するための様々な動作命令を含んでよい。オペレーティングシステムは、様々な基本サービスを実施し、ハードウェアベースのタスクを処理するように構成される様々なシステムプログラムを含んでよい。
【０２０６】
プロセッサ1003はユーザ機器の動作を制御し、プロセッサ1003はさらにCPUと呼ばれることもある。特定のアプリケーションにおいては、ユーザ機器の全てのコンポーネントはバスシステムを使用することによって互いに結合される。データバスに加えて、バスシステムは、電源バス、制御バス、状態信号バス等をさらに含む。しかしながら、明確な説明のために、図においては、様々なバスはバスシステムと呼ばれる。
【０２０７】
本発明の前述の実施形態で開示される方法はプロセッサ1003に適用されてよく、または換言すると、プロセッサ1003によって実施されてよい。プロセッサ1003は集積回路チップであってよく、信号処理能力を有する。実施プロセスにおいて、前述の方法のステップは、プロセッサ1003におけるハードウェア集積論理回路、またはソフトウェアの形態の命令を使用することによって実施されてよい。前述のプロセッサ1003は、汎用プロセッサ、DSP、ASIC、FPGAまたは別のプログラマブル論理コンポーネント、ディスクリートゲートまたはトランジスタ論理コンポーネント、またはディスクリートハードウェアコンポーネントであってよく、本発明の実施形態で開示される方法、ステップおよび論理ブロック図を実施または実行することができる。汎用プロセッサはマイクロプロセッサであってよく、または、プロセッサは任意の従来のプロセッサ等であってよい。本発明の実施形態を参照して開示される方法のステップは、ハードウェア復号プロセッサを使用することによって直接実行および達成されてよく、または、復号プロセッサにおけるハードウェアおよびソフトウェアモジュールの組合せを使用することによって実行および達成されてよい。ソフトウェアモジュールは、ランダムアクセスメモリ、フラッシュメモリ、読出し専用メモリ、プログラマブル読出し専用メモリ、電気的消去可能プログラマブルメモリまたはレジスタ等の、当該分野における成熟した記憶媒体に配置されてよい。記憶媒体はメモリ1004に配置され、プロセッサ1003は、メモリ1004内の情報を読み出し、プロセッサ1003のハードウェアと組み合わせて、前述の方法のステップを完了する。
【０２０８】
本発明の本実施形態では、プロセッサ1003は、図3に示される方法のステップを実行するように構成される。
【０２０９】
加えて、説明された装置の実施形態は単なる例であることは留意されるべきである。別々の部分として説明されるユニットは、物理的に分離していてもしていなくてもよく、ユニットとして表示される部分は、物理的ユニットであってもなくてもよく、1つの位置に配置されてよく、または、複数のネットワークユニット上に分配されてよい。いくつかまたは全てのモジュールは、実施形態の解決手段の目的を達成するための実際の必要性に従って選択されてよい。加えて、本発明によって提供される装置の実施形態の添付図面では、モジュール間の接続関係は、モジュールが互いに通信接続を有することを示し、これは、具体的には、1つまたは複数の通信バスまたは信号ケーブルとして実施されてよい。当業者は、創造的努力無しに、本発明の実施形態を理解し実施することができる。
【０２１０】
前述の実施の説明に基づいて、当業者は、本発明が、必要な汎用ハードウェアに加えてソフトウェアによって実施されることができ、または、確かに専用集積回路、専用CPU、専用メモリ、専用コンポーネント等を含む専用ハードウェアによって実施されることができることを明確に理解し得る。一般に、コンピュータプログラムによって実行されることができる任意の機能は、対応するハードウェアを使用することによって容易に実施されることができる。さらに、同じ機能を達成するために使用される特定のハードウェア構造は様々な形態のものであってよく、例えば、アナログ回路、デジタル回路または専用回路の形態であってよい。しかしながら、本発明に関しては、ソフトウェアプログラムの実施は、ほとんどの場合においてより良い実施である。このような理解に基づいて、本発明の技術的な解決手段は本質的に、または、従来技術に貢献する部分は、ソフトウェア製品の形態で実施されてよい。コンピュータソフトウェア製品は、コンピュータのフロッピーディスク、USBフラッシュドライブ、リムーバブルハードディスク、読出し専用メモリ（ROM, read-only memory）、ランダムアクセスメモリ（RAM, random access memory）、磁気ディスクまたは光ディスク等の可読記憶媒体に記憶され、本発明の様々な実施形態で説明される方法を実行するために、コンピュータデバイス（パーソナルコンピュータ、サーバ、ネットワークデバイス等であってよい）に命令するためのいくつかの命令を含む。
【０２１１】
結論として、前述の実施形態は単に本発明の技術的解決手段を説明するように意図されるが、本発明を限定するようには意図されていない。本発明は前述の実施形態を参照して詳細に説明されたが、当業者は、本発明の実施形態の技術的解決手段の精神および範囲を逸脱することなく、前述の実施形態で説明される技術的解決手段に対して修正をさらに行ってよく、または、そのいくつかの技術的特徴に対して均等置換を行ってよいことを理解すべきである。
【符号の説明】
【０２１２】
700  基地局
701  指示情報決定モジュール
702  スケジューリング情報決定モジュール
703  送信モジュール
800  ユーザ機器
801  受信モジュール
802  指示情報取得モジュール
803  スケジューリング情報取得モジュール
900  基地局
901  受信器
902  送信器
903  プロセッサ
904  メモリ
1000  ユーザ機器
1001  受信器
1002  送信器
1003  プロセッサ
1004  メモリ
【国際調査報告】
2019528003.tif 000035
2019528003.tif 000036
2019528003.tif 000037
2019528003.tif 000038